(57)【要約】      （修正有）【課題】電子書籍の選択及び配送システムであるが、テキストを加入者へ配分する。【解決手段】オペレーション・センタ２５０、ビデオ配分システム又は様々なそれ以外の配分システム、ホーム・サブシステム２５８、並びに課金及び集金システム２７８を含む。オペレーション・センタ及び／又は配分点は、テキスト・データの操作、テキストのセキュリティ及びコーディング、書籍のカタログ化、メッセージ・センタ、並びにアップリンクなどの機能を実行する。ホーム・サブシステムは、ビデオ配分システム又は様々なそれ以外の配分システムに接続し、メニュを発生してテキストを記憶し、通信機構を介して取引を行う。携帯用の書籍型ビューワが、テキストを読むのに用いられる。課金システムは、取引、管理、認証、集金及び支払いを、電話システム又は様々なそれ以外の通信システムを用いて実行する。【選択図】図１９
2012054964.tif 000002
【特許請求の範囲】
【請求項１】
電子書籍を加入者に提供する装置であって、
電子書籍注文サイトと通信し、電子書籍選択とプロセッサＩＤとを提供するプロセッサと、
前記プロセッサに結合されており、前記電子書籍選択と前記プロセッサＩＤとを前記注文サイトに送る送信機と、
データ信号とローカル認証コードとを受け取る受信機モジュールであって、前記データ信号は暗号化された電子書籍選択を含み、前記ローカル認証コードにより前記データ信号が見るために復号化されることが可能になる、受信機モジュールと、
前記受信機モジュールに結合されており、前記データ信号を復号化するのに必要となるまで前記受信された認証コードを記憶するメモリと
を備えた装置。
【請求項２】
請求項１記載の装置であって、データを受け取ることができるビューワを更に備えており、前記ビューワは、
前記データ信号を復号化する復号器と、
前記電子書籍のページを表示するディスプレイと、
前記電子書籍を記憶する書籍メモリと、
前記電子書籍を見ることを制御する制御モジュールと
を備えた、装置。
【請求項３】
請求項２記載の装置であって、前記受信機モジュール、前記プロセッサ、前記送信機及び前記メモリは、図書館ユニットの中に含まれ、この装置は、前記図書館ユニットと前記ビューワとの間のインターフェースを更に備えた、装置。
【請求項４】
請求項３記載の装置であって、前記図書館ユニットは外部受信機への外部インターフェースを更に備えており、前記外部受信機は前記データ信号を受け取り、前記外部インターフェースは前記データ信号を前記図書館ユニットに伝送する、装置。
【請求項５】
請求項４記載の装置であって、前記外部受信機はテレビ受信機である、装置。
【請求項６】
請求項４記載の装置であって、前記外部受信機はラジオ受信機である、装置。
【請求項７】
請求項４記載の装置であって、前記外部受信機はスプレッド・スペクトル受信機である、装置。
【請求項８】
請求項４記載の装置であって、前記外部受信機はモデムである、装置。
【請求項９】
請求項２記載の装置であって、前記受信機モジュール、前記プロセッサ、前記送信機及び前記メモリは、テレビに操作可能に接続されたセットトップ端末に含まれており、前記受信機モジュールはブロードキャスト・テレビ番組信号を受信し、前記データ信号は前記テレビ番組信号と多重化されており、この装置は、前記データ信号と前記テレビ番組信号とを逆多重化するデマルチプレクサを更に備えた、装置。
【請求項１０】
請求項２記載の装置であって、前記受信機モジュール、前記送信機、前記メモリ及び前記プロセッサは、デジタル・テレビに組み込まれたスマート・カード上に含まれており、前記受信機モジュールはブロードキャスト・テレビ番組信号を受信し、前記データ信号は前記テレビ番組信号と多重化されており、この装置は、前記データ信号と前記テレビ番組信号とを逆多重化するデマルチプレクサを更に備えた、装置。
【請求項１１】
請求項２記載の装置であって、前記受信機モジュール、前記プロセッサ、前記送信機及び前記メモリは、デジタル・テレビに組み込まれたスマート・カード上に含まれており、前記デジタル・テレビは、ブロードキャスト・テレビ番組信号を受信する受信機を備えた、装置。
【請求項１２】
請求項２記載の装置であって、前記デジタル・テレビは、受信した前記デジタル・ブロードキャスト・テレビ番組信号と前記データ信号とを逆多重化するデマルチプレクサを更に備えた、装置。
【請求項１３】
請求項２記載の装置であって、前記受信機モジュール、前記プロセッサ、前記送信機及び前記メモリは、パーソナル・コンピュータに組み込まれた、装置。
【請求項１４】
請求項１３記載の装置であって、前記パーソナル・コンピュータは、該パーソナル・コンピュータをデジタル・テレビに結合するコネクタを更に備え、前記デジタル・テレビは、前記デジタル・ブロードキャスト・テレビ番組信号と前記データ信号とを受信する第２の受信機を備え、前記受信機モジュールは、前記ローカル認証コードと前記デジタル信号とを受け、前記パーソナル・コンピュータは前記データ信号と前記ローカル認証コードとを送り前記データ信号を復号化する、装置。
【請求項１５】
請求項１４記載の装置であって、前記コネクタは、無線周波数コネクタ、赤外線コネクタ及び有線コネクタのうちの１つである、装置。
【請求項１６】
請求項１５記載の装置であって、前記有線コネクタは、ＲＳ−２３２接続及びＲＳ−２３２ケーブルを備えた、装置。
【請求項１７】
請求項１記載の装置であって、前記送信機は、電話モデム、ケーブル・モデム、ワイヤレス・モデム、非対称デジタル加入者線（ＡＤＳＬ）コネクタ、サービス総合デジタル網（ＩＳＤＮ）コネクタ、Ｔ１及びＴ３の回線、光ファイバ・コネクタ、ローカル・エリア・ネット（ＬＡＮ）コネクタ並びに衛星アンテナ・コネクタのうちの１つを備えた、装置。
【請求項１８】
請求項１記載の装置であって、この装置は前記デジタル信号及び前記認証コードを受けるインターフェースを更に備え、該インターフェースは、無線周波数コネクタ、電話モデム、ケーブル・モデム、ワイヤレス・モデム、非対称デジタル加入者線コネクタ、サービス総合デジタル網コネクタ、Ｔ１及びＴ３の回線、光ファイバ・コネクタ、ローカル・エリア・ネット・コネクタ並びに衛星アンテナ・コネクタのうちの１つを備えた、装置。
【請求項１９】
請求項１記載の装置であって、前記データ信号は電子書籍データを含み、前記プロセッサは、受けた前記電子書籍データに基づいて電子書籍メニュを生成し、この装置はリモート・コントロールを更に備え、該リモート・コントロールは、コマンドを送り、前記電子書籍メニュをスクロールし所望の電子書籍を注文のために選択する、装置。
【請求項２０】
請求項１９記載の装置であって、前記リモート・コントロールは、有線コントロール、赤外線コントロール、無線周波数コントロール及びレーザー・コントロールのうちの１つである、装置。
【請求項２１】
請求項１記載の装置であって、前記電子書籍はケーブル・テレビ・ネットワークを用いて提供される、装置。
【請求項２２】
請求項１記載の装置であって、前記電子書籍は、オーバー・ザ・エア・ブロードキャストを用いて提供される、装置。
【請求項２３】
請求項２２記載の装置であって、前記オーバー・ザ・エア・ブロードキャストは、全国放送局から提供される、装置。
【請求項２４】
請求項２２記載の装置であって、前記オーバー・ザ・エア・ブロードキャストは、放送支局から提供される、装置。
【請求項２５】
請求項１記載の装置であって、前記電子書籍は、衛星ブロードキャストを用いて提供され、該衛星ブロードキャストは、ダイレクト・ツー・ホーム・ブロードキャスト、ビデオ・ネットワーク配布ブロードキャスト、ポイント・ツー・ポイント・ブロードキャスト、ポイント・ツー・マルチポイント・ブロードキャスト、地域ブロードキャスト及び転送通信サービス・ブロードキャストのうちの１以上を含む、装置。
【請求項２６】
請求項１記載の装置であって、前記注文サイトは、ローカル・ケーブル・システム、放送支局、全国放送局、インターネット・ウェブ・サイト、イントラネット・サイト、電子書籍ストア及び電子図書館のうちの１つを含む、装置。
【請求項２７】
請求項２６記載の装置であって、前記送信機は前記電子書籍選択を前記ローカル・ケーブル・システムに送り、該ローカル・ケーブル・システムは前記ローカル認証コードを返す、装置。
【請求項２８】
請求項２７記載の装置であって、前記ローカル認証コードはデジタル・ブロードキャスト・テレビ番組信号と多重化された、装置。
【請求項２９】
請求項２６記載の装置であって、前記送信機は前記電子書籍選択を前記放送支局に送り、該放送支局は前記ローカル認証コードを返す、装置。
【請求項３０】
請求項２９記載の装置であって、前記ローカル認証コードはデジタル・ブロードキャスト・テレビ番組信号と多重化された、装置。
【請求項３１】
請求項２６記載の装置であって、前記送信機は前記番組選択を前記全国放送局に送り、該全国放送局は前記ローカル認証コードを返す、装置。
【請求項３２】
請求項３１記載の装置であって、前記ローカル認証コードはデジタル・ブロードキャスト・テレビ番組信号と多重化された、装置。
【請求項３３】
請求項２６記載の装置であって、前記注文サイトは認証システムを備え、該認証システムは前記電子書籍選択を受け認証信号を生成し、該認証信号は前記ローカル認証コードを提供する、装置。
【請求項３４】
請求項３３記載の装置であって、前記注文サイトは、前記ローカル・ケーブルの会社、前記放送支局及び前記全国放送局のうちの１つと同一場所に配置された、装置。
【請求項３５】
請求項３３記載の装置であって、前記注文サイトのシステムは課金システムを備え、該課金システムは前記認証信号を受信し課金記録を生成する、装置。
【請求項３６】
請求項３５記載の装置であって、前記課金記録は加入者の口座を引き落とす、装置。
【請求項３７】
請求項３５記載の装置であって、前記課金システムは前記課金記録を加入者に支払いのために送る、装置。
【請求項３８】
請求項３５記載の装置であって、前記課金システムは加入者のクレジット・カード口座に請求する、装置。
【請求項３９】
請求項１記載の装置であって、前記注文サイトはインターネット・ウェブ・サイトを含み、該ウェブ・サイトは電子書籍メニュを含み、該ウェブ・サイトは前記電子書籍選択を受け前記ローカル認証コードを生成する、装置。
【請求項４０】
請求項３９記載の装置であって、前記注文サイトは課金システムを含み、該課金システムは前記ローカル認証コードを受け課金記録を生成する、装置。
【請求項４１】
請求項１記載の装置であって、前記ローカル認証コードは、
識別コードと、
アドレスと、
１以上の電子書籍の識別子と
を含み、前記識別コードは、電子書籍アクセス認証を受ける前記装置を一意に識別し、前記アドレスは前記装置の位置及びルーティング命令を識別し、前記１以上の電子書籍の識別子は、復号化のために認証された前記電子書籍を特定する、装置。
【請求項４２】
請求項１記載の装置であって、前記ローカル認証コードは満了を含み、満了すると、選択された前記電子書籍は前記ローカル認証コードを用いて復号化できない、装置。
【請求項４３】
請求項１記載の装置であって、前記電子書籍選択は購読を含む、装置。
【請求項４４】
請求項４３記載の装置であって、前記購読は電子新聞に対するものである、装置。
【請求項４５】
請求項４３記載の装置であって、前記購読は電子雑誌に対するものである、装置。
【請求項４６】
請求項４３記載の装置であって、前記購読は、前記装置にログオンすると、定期的に前記装置で受ける、装置。
【請求項４７】
請求項１記載の装置であって、前記データ信号は、利用可能な電子書籍のメニュを更に含む、装置。
【請求項４８】
請求項４７記載の装置であって、前記メニュは電子書籍の要約、著者、値段及びオリジナルのハード・コピーのテキストの発行年を含む、装置。
【請求項４９】
請求項４７記載の装置であって、前記メニュは前記電子書籍のレビューを含む、装置。
【請求項５０】
請求項４７記載の装置であって、前記メニュはインターネット上のウェブ・サイトへのハイパーテキスト・リンクを含む、装置。
【請求項５１】
請求項４７記載の装置であって、前記メニュはサブメニュを含む、装置。
【請求項５２】
請求項５１記載の装置であって、前記サブメニュは、電子書籍選択の確認サブメニュを含む、装置。
【請求項５３】
請求項４７記載の装置であって、前記メニュはインターネットのウェブ・ページ上で表示され、該ウェブ・ページはホーム・ページ及び追加ページを含み、該ホーム・ページ及
び該追加ページは、進むボタン、戻るボタン及びホーム・ボタンの操作によりアクセス可能である、装置。
【請求項５４】
請求項４７記載の装置であって、前記メニュはハードコピー・フォーマットで提供され、該ハードコピー・フォーマットは電子書籍の識別子を含む、装置。
【請求項５５】
請求項５４記載の装置であって、１以上の前記電子書籍の識別子は、前記電子書籍選択を送るためにこの装置に入力される、装置。
【請求項５６】
請求項５５記載の装置であって、前記電子書籍の識別子は、前記装置に結合したリモート・コントロールの操作によって該装置に入力される、装置。
【請求項５７】
請求項５５記載の装置であって、前記電子書籍の識別子は、ビューアに表示されたソフト・キーボードの操作により前記装置に入力される、装置。
【請求項５８】
請求項５５記載の装置であって、前記電子書籍の識別子は、パーソナル・コンピュータに結合したキーボードの操作により前記装置に入力される、装置。
【請求項５９】
電子書籍を遠隔サイトから前記電子書籍を見ることができる装置まで配布するシステムであって、
電子書籍配布点と、
前記配布点に結合されたネットワークと、
前記ネットワークに結合された電子書籍デバイスと
を備え、該電子書籍デバイスは、
電子書籍ビューワと、
電子書籍ホーム・サブシステムと
を備え、該電子書籍ホーム・サブシステムは、
前記ネットワークへのインターフェースと、
前記電子書籍を記憶するメモリと
を備えた、システム。
【請求項６０】
請求項５９記載のシステムであって、前記電子書籍デバイスは、
暗号化された電子書籍を受ける受信機と、
前記暗号化された電子書籍を見るために復号化する復号化器と、
電子書籍に関係したデータを前記システムに送る送信機と
を更に備え、前記データは、電子書籍の注文データと、加入者の好みと、加入者のデータとのうちの１以上を含む、システム。
【請求項６１】
請求項５９記載のシステムであって、前記配布点は全国放送局である、システム。
【請求項６２】
請求項６１記載のシステムであって、前記全国放送局はテレビ番組放送局である、システム。
【請求項６３】
請求項６２記載のシステムであって、電子書籍データはテレビ番組信号と多重化され、前記電子書籍データは前記電子書籍を含む、システム。
【請求項６４】
請求項６２記載のシステムであって、前記テレビ番組放送局は、ケーブル・テレビ放送局と、衛星テレビ放送局と、オーバー・ザ・エア・テレビ放送局と、ワイヤレス・テレビ放送局とのうちの１つである、システム。
【請求項６５】
請求項６４記載のシステムであって、前記ケーブル・テレビ放送局は、同軸ケーブル・ネットワークと、全体的にファイバのネットワークと、ファイバと動軸のハイブリッドのネットワークと、ファイバー・ツー・ザ・カーブ・ネットワークとのうちの１つを用いてテレビ番組をブロードキャストする、システム。
【請求項６６】
請求項６５記載のシステムであって、このシステムはローカル・ケーブル・システムを含み、該ローカル・ケーブル・システムは多重化された前記テレビ番組及び電子書籍のデータを前記全国放送局から受け、多重化された前記テレビ番組及び電子書籍のデータを前記電子書籍サブシステムに送る、システム。
【請求項６７】
請求項６１記載のシステムであって、前記全国放送局はラジオ番組放送局であり、前記電子書籍データ及びラジオ番組の信号は単一のラジオ・ブロードキャストに組み合わされた、システム。
【請求項６８】
請求項５９記載のシステムであって、前記配布点はインターネット・ウェブ・サイトである、システム。
【請求項６９】
請求項５９記載のシステムであって、前記配布点はイントラネット・サイトである、システム。
【請求項７０】
請求項５９記載のシステムであって、前記配布点は電子書籍ストアである、システム。
【請求項７１】
請求項５９記載のシステムであって、前記配布点は電子図書館である、システム。
【請求項７２】
請求項５９記載のシステムであって、前記配布点は、
前記電子書籍を可搬の固定メモリ・デバイスに書き込むプロセッサ
を備え、該メモリ・デバイスは前記電子書籍システムに結合可能である、システム。
【請求項７３】
請求項５９記載のシステムであって、このシステムは、
前記ネットワーク及び前記電子書籍システムに結合したブロードキャスト・テレビ受信デバイスであって、該ブロードキャスト・テレビ・デバイスはブロードキャスト・テレビ信号を受信し、該ブロードキャスト・テレビ信号はデジタル・マルチプレクス信号であり、電子書籍データは、テレビ番組信号と前記ブロードキャスト・テレビ信号において多重化され、前記ブロードキャスト・テレビ受信デバイスは、外部ソースからデータを受け外部ソースにデータを転送する通信デバイスを備えた、前記ブロードキャスト・テレビ受信デバイスと、
前記ブロードキャストテレビ受信デバイスおよび前記外部ソースに結合したコンピュータであって、該コンピュータは前記デジタル・マルチプレクス信号を処理して逆多重化された電子書籍データを提供する、前記コンピュータと
を更に備えた、システム。
【請求項７４】
請求項７３記載のシステムであって、前記電子書籍データは前記電子書籍及び電子書籍メニュのデータを含み、前記電子書籍メニュのデータは前記電子書籍デバイスに配送可能な電子書籍に関係した情報を含む、システム。
【請求項７５】
請求項７３記載のシステムであって、前記電子書籍データは電子書籍を含み、前記外部ソースは電子書籍メニュのデータを生成する、システム。
【請求項７６】
請求項７５記載のシステムであって、前記電子書籍メニュのデータは電子書籍メニュとして前記コンピュータ上で表示され、所望の電子書籍が、表示された前記電子書籍メニュ
から該所望の電子書籍を選択することによって、前記電子書籍デバイスへの配送のために注文され、前記コンピュータは電子書籍注文リクエストを前記外部ソースに送り前記配送を開始する、システム。
【請求項７７】
請求項７５記載のシステムであって、前記電子書籍メニュのデータは前記ビューア上で電子書籍メニュとして表示され、所望の電子書籍が、表示された前記電子書籍メニュから該所望の電子書籍を選択することによって、前記電子書籍デバイスへの配送のために注文され、前記ビューアは電子書籍注文リクエストを送り前記配送を開始する、システム。
【請求項７８】
請求項７７記載のシステムであって、前記注文リクエストは前記ブロードキャスト・テレビ受信デバイスに送られ、前記ブロードキャスト・テレビ受信デバイスは前記注文リクエストを前記電子書籍の配布点に送る、システム。
【請求項７９】
請求項７７記載のシステムであって、前記注文リクエストは前記ブロードキャスト・テレビ受信デバイスに送られ、前記ブロードキャスト・テレビ受信デバイスは前記注文リクエストを前記外部ソースに送る、システム。
【請求項８０】
請求項７９記載のシステムであって、前記外部ソースはインターネット・ウェブ・サイトである、システム。
【請求項８１】
請求項７９記載のシステムであって、前記外部ソースは電子書籍の書店である、システム。
【請求項８２】
請求項７９記載のシステムであって、前記外部ソースは電子図書館である、システム。
【請求項８３】
請求項７７記載のシステムであって、前記ビューアは、
前記メニュのデータを記憶するメモリと、
前記メニュのデータを用いて前記電子書籍メニュを生成するプロセッサと、
前記電子書籍メニュを表示するディスプレイと
を備えた、システム。
【請求項８４】
請求項７３記載のシステムであって、前記ブロードキャスト・テレビ受信デバイスはデジタル・セットトップ・ターミナルである、システム。
【請求項８５】
請求項７３記載のシステムであって、前記ブロードキャスト・テレビ受信デバイスはデジタル・テレビであり、該デジタル・テレビはスマート・カードを備え、該スマート・カードは、多重化された前記テレビ番組信号を受信し前記電子書籍データを提供する、システム。
【請求項８６】
請求項７３記載のシステムであって、前記ブロードキャスト・テレビ受信デバイスはデジタル・テレビであり、該デジタル・テレビはスマート・カードを備え、該スマート・カードは多重化された前記テレビ番組信号を受信し前記電子書籍データを提供し、前記デジタル・テレビは前記コンピュータを備え、前記デジタル・テレビは加入者からコマンドを受けるインターフェースを更に備え、該コマンドは前記電子書籍をプレビューし注文するためのコマンドを含む、システム。
【請求項８７】
請求項８６記載のシステムであって、前記インターフェースは、リモート・コントロール、ワイヤレス・キーボード、有線キーボード及びソフト・キーボードのうちの１つである、システム。
【請求項８８】
請求項７３記載のシステムであって、前記ブロードキャストテレビ受信デバイスはデジタル・テレビであり、該デジタル・テレビは、
多重化された前記テレビ番組信号を受信し前記電子書籍データを提供するスマート・カードと、
前記電子書籍ホーム・サブシステムと
を備えた、システム。
【請求項８９】
請求項７３記載のシステムであって、前記ブロードキャスト・テレビ受信機デバイスはコンピュータを備え、該コンピュータは、
テレビ受信機と、
前記電子書籍ホーム・サブシステムと
を備えた、システム。
【請求項９０】
請求項７３記載のシステムであって、前記ブロードキャスト・テレビ受信デバイスはコンピュータを備え、該コンピュータは、
テレビ受信機と、
前記電子書籍デバイスと
を備えた、システム。
【請求項９１】
請求項７３記載のシステムであって、前記ブロードキャスト・テレビ受信デバイスは代替通信ネットワークへの接続を備え、前記代替通信ネットワークは前記電子書籍データを提供し、前記接続は、有線データ接続、ワイヤレス・データ接続、有線電話接続、ワイヤレス電話接続及び無線接続のうちの１以上を備えた、システム。
【請求項９２】
請求項５９記載のシステムであって、前記電子書籍デバイスは、
前記ネットワークに結合したデジタル・テレビ受信機と、
代替ネットワークに結合した接続であって、該代替ネットワークは前記電子書籍データを提供することが可能であり、該接続は、有線データ接続、ワイヤレス・データ接続、有線電話接続、ワイヤレス電話接続及び無線接続のうちの１以上を備えた、前記接続と
を備えた、システム。
【請求項９３】
電子書籍の注文及び配布を提供する装置であって、
電子書籍を表示して電子書籍の注文を生成する端末と、
前記端末からの電子書籍の注文を受け電子書籍へのアクセスを認証する認証信号を生成する注文及び認証システムと、
前記注文及び認証システムに結合され前記電子書籍を前記端末に送る放送局と
を備え、前記電子書籍はデジタル・ブロードキャスト・テレビ番組と多重化されており、前記放送局は前記認証信号を受信し、前記認証信号は前記端末に向けてアドレス指定されたローカル認証コードを提供し、前記ローカル認証コードは前記端末が前記電子書籍を復号化し表示することを可能にする、装置。
【請求項９４】
請求項９３記載の装置であって、前記認証信号は、前記デジタル・ブロードキャスト・テレビ番組と多重化され、前記端末は前記認証信号を逆多重化して前記番組にアクセスする、装置。
【請求項９５】
請求項９３記載の装置であって、前記認証信号は前記注文及び認証システムによって前記端末に送られる、装置。
【請求項９６】
請求項９３記載の装置であって、前記電子書籍は前記電子書籍のガイドにおいてリスト化される、装置。
【請求項９７】
請求項９６記載の装置であって、前記電子書籍のガイドは電子ガイドである、装置。
【請求項９８】
請求項９７記載の装置であって、前記電子ガイドはインターネット・ウェブ・サイト上に提供され、前記端末は該ウェブ・サイトにアクセスして前記電子ガイドを受ける、装置。
【請求項９９】
請求項９７記載の装置であって、前記電子ガイドはインターネット・ウェブ・サイト上に提供され、前記端末は該ウェブ・サイトにアクセスして前記電子ガイドを見る、装置。
【請求項１００】
請求項９７記載の装置であって、前記電子ガイドは前記放送局によって前記端末にブロードキャストされる、装置。
【請求項１０１】
請求項９７記載の装置であって、前記電子ガイドは利用可能な電子書籍のリストであり、該リストをスクロールして全ての利用可能な電子書籍を示すことが可能である、装置。
【請求項１０２】
請求項９７記載の装置であって、前記電子書籍は、単一の電子書籍、複数の電子書籍及び電子購読のうちの１つである、装置。
【請求項１０３】
請求項１０２記載の装置であって、前記電子購読は電子雑誌である、装置。
【請求項１０４】
請求項１０２記載の装置であって、前記電子購読は電子新聞である、装置。
【請求項１０５】
請求項１０２記載の装置であって、前記電子購読は定期的にブロードキャストにより前記端末に提供され、該端末は電源が入ったとき又はログオンしたときに前記電子購読を受ける、装置。
【請求項１０６】
請求項９３記載の装置であって、この装置は前記注文及び認証システムに結合した課金システムを更に含み、該課金システムは前記電子書籍の注文を受け課金記録を生成する、装置。
【請求項１０７】
請求項９３記載の装置であって、前記課金記録は前記端末が含むキャッシュ・カードを引き落とすために使用され、前記課金システムは該課金記録に対応するデビット信号を前記端末に送る、装置。
【請求項１０８】
請求項９３記載の装置であって、前記放送局は全国放送局である、装置。
【請求項１０９】
請求項９３記載の装置であって、前記放送局は放送支局である、装置。
【請求項１１０】
請求項９３記載の装置であって、前記放送局はローカル・ケーブル会社である、装置。
【請求項１１１】
請求項９３記載の装置であって、前記放送局はデジタル衛星放送局である、装置。
【請求項１１２】
請求項９３記載の装置であって、前記デジタル・ブロードキャスト・テレビ番組はオーバー・ザ・エアで提供される、装置。
【請求項１１３】
請求項９３記載の装置であって、前記デジタル・ブロードキャスト・テレビ番組はケーブル・テレビ・システムを介して提供される、装置。
【請求項１１４】
請求項９３記載の装置であって、前記デジタル・ブロードキャスト・テレビ番組は衛星
システムを介してい提供される、装置。
【請求項１１５】
請求項９３記載の装置であって、前記注文及び認証システムと前記放送局とは同一場所に配置された、装置。
【請求項１１６】
請求項９３記載の装置であって、前記注文及び認証システムと前記放送局とは、課金システムと同一場所に配置された、装置。
【請求項１１７】
請求項９３記載の装置であって、前記ローカル認証コードは、端末のアドレスと、ルーティング・インジケータと、端末の識別子とを含む、装置。
【請求項１１８】
請求項１１７記載の装置であって、前記ローカル認証コードは電子書籍の識別子を更に含み、前記放送局は複数の電子書籍をブロードキャストし、前記端末は前記電子書籍の識別子によって識別された電子書籍のみを復号化し表示する、装置。
【請求項１１９】
ブロードキャストされた電子書籍の注文及び配送を提供するシステムであって、
通信ネットワークにおける端末と、
前記通信ネットワークの前記端末までの配送のために電子書籍の注文を受け、電子書籍へのアクセスを認証する認証信号を生成するプロセッサ・システムと、
前記プロセッサ・システムに結合した配送システムであって、前記認証信号を受け前記電子書籍を前記端末まで送る前記配送システムと
を備え、前記電子書籍は他のブロードキャスト番組とマルチプレクス・ブロードキャストとして多重化され、前記認証信号は前記端末に向けてアドレス指定されたローカル認証コードを提供し、前記ローカル認証コードは前記端末が前記電子書籍を逆多重化し復号化し表示することを可能にする、システム。
【請求項１２０】
請求項１１９記載のシステムであって、前記他のブロードキャスト番組はデジタル・ブロードキャスト番組であり、前記ローカル認証コードは前記デジタル・ブロードキャスト番組と多重化され、前記端末は前記ローカル認証コードを逆多重化して前記電子書籍にアクセスする、システム。
【請求項１２１】
請求項１１９記載のシステムであって、前記ローカル認証コードは前記プロセッサ・システムによって前記端末に送られる、システム。
【請求項１２２】
請求項１１９記載のシステムであって、利用可能な電子書籍は電子書籍のガイドにおいてリスト化される、システム。
【請求項１２３】
請求項１２２記載のシステムであって、前記電子書籍のガイドはハード・コピーのガイドである、システム。
【請求項１２４】
請求項１２２記載のシステムであって、前記電子書籍のガイドは電子ガイドである、システム。
【請求項１２５】
請求項１２４記載のシステムであって、前記電子ガイドはインターネット・ウェブ・サイト上に提供され、前記端末は該ウェブ・サイトにアクセスして前記電子ガイドを受ける、システム。
【請求項１２６】
請求項１２４記載のシステムであって、前記電子ガイドは前記端末まで前記配送システムによってブロードキャストされる、システム。
【請求項１２７】
請求項１２４記載のシステムであって、前記電子ガイドは利用可能な電子書籍のリストであり、該リストをスクロールして利用可能な電子書籍を示すことが可能である、システム。
【請求項１２８】
請求項１１９記載のシステムであって、前記プロセッサ・システムある加入者の加入者特定データを集め、該加入者特定データに基づいて加入者特定メニュ・データを生成し、該加入者特定メニュ・データに基づいて加入者特定メニュを見るために提供する、システム。
【請求項１２９】
請求項１２８記載のシステムであって、前記加入者特定データは、注文した電子書籍、人口学的データ及び加入者のクエリのうちの１つを含む、システム。
【請求項１３０】
請求項１２９記載のシステムであって、前記注文した電子書籍のデータは前記端末に配送された電子書籍に基づく、システム。
【請求項１３１】
請求項１１９記載のシステムであって、前記他のブロードキャスト番組は電子書籍である、システム。
【請求項１３２】
請求項１１９記載のシステムであって、前記他のブロードキャスト番組はテレビ番組である、システム。
【請求項１３３】
請求項１１９記載のシステムであって、前記他のブロードキャスト番組はラジオ番組である、システム。
【請求項１３４】
請求項１３３記載のシステムであって、前記ラジオ番組はアナログ・ラジオ番組である、システム。
【請求項１３５】
請求項１３４記載のシステムであって、前記電子書籍はアナログ・ラジオ番組ブロードキャストのサブキャリアにおいて搬送される、システム。
【請求項１３６】
請求項１３３記載のシステムであって、前記ラジオ番組はデジタル・ラジオ番組である、システム。
【請求項１３７】
請求項１３６記載のシステムであって、ラジオ・ブロードキャストはスペクトラム拡散ブロードキャストである、システム。
【請求項１３８】
請求項１１９記載のシステムであって、前記他のブロードキャスト番組は電話信号である、システム。
【請求項１３９】
請求項１１９記載のシステムであって、前記マルチプレクス・ブロードキャストは衛星ブロードキャストである、システム。
【請求項１４０】
請求項１３９記載のシステムであって、前記衛星ブロードキャストはダイレクト・ブロードキャストである、システム。
【請求項１４１】
請求項１３４記載のシステムであって、前記衛星はデジタル・オーディオ・ブロードキャストである、システム。
【請求項１４２】
請求項１３４記載のシステムであって、前記衛星ブロードキャストはダイレクト・ツー・ホーム衛星ブロードキャストである、システム。
【請求項１４３】
請求項１３９記載のシステムであって、前記衛星ブロードキャストはビデオ・ネットワーク配布ブロードキャストである、システム。
【請求項１４４】
請求項１３９記載のシステムであって、前記衛星ブロードキャストはポイント・ツー・ポイント・ブロードキャストである、システム。
【請求項１４５】
請求項１３９記載のシステムであって、前記衛星ブロードキャストはポイント・ツー・マルチポイント・ブロードキャストである、システム。
【請求項１４６】
請求項１３９記載のシステムであって、前記衛星ブロードキャストはモバイルのデータ及び電話ブロードキャストである、システム。
【請求項１４７】
請求項１３９記載のシステムであって、前記衛星ブロードキャストはアナログ・ビデオ・ブロードキャストである、システム。
【請求項１４８】
請求項１３９記載のシステムであって、前記衛星ブロードキャストは地域ブロードキャストである、システム。
【請求項１４９】
請求項１３９記載のシステムであって、前記衛星ブロードキャストは通信のリピータ上でホストされた転送通信サービスである、システム。
【請求項１５０】
請求項１４４記載のシステムであって、前記通信のリピータは気球に配置された、システム。
【請求項１５１】
請求項１４４記載のシステムであって、前記通信のリピータは航空機に配置された、システム。
【請求項１５２】
請求項１１９記載のシステムであって、前記マルチプレクス・ブロードキャストはデジタル・ビデオ・ブロードキャストを含む、システム。
【請求項１５３】
請求項１１９記載のシステムであって、前記配送システムは有線データ・ネットワークを含む、システム。
【請求項１５４】
請求項１５３記載のシステムであって、前記有線データ・ネットワークは、金属線ネットワーク及びファイバの有線ネットワークのうちの一方であり、前記有線データ・ネットワークは、ＨＤＳＬ、ＡＤＳＬ、ＤＳＬ、ＩＳＤＮ、Ｔ１、Ｔ３、ＳＯＮＥＴ、ＡＴＭ、Ｘ．２５、フレーム・リレー及び交換式マルチメガビット・データ・サービス（ＳＭＤＳ）のプロトコルのうちの１以上をサポートした、システム。
【請求項１５５】
請求項１１９記載のシステムであって、前記配送システムはワイヤレス通信ネットワークを含む、システム。
【請求項１５６】
請求項１５５記載のシステムであって、前記ワイヤレス通信ネットワークは、ワイヤレス・ローカル・エリア・ネットワーク、デジタル・セルラー・ネットワーク、アナログ・セルラー・ネットワーク、デジタル・ページャ・ネットワーク及びパーソナル通信ネットワークのうちの１つである、システム。
【請求項１５７】
請求項１５５記載のシステムであって、前記ワイヤレス通信ネットワークは、グローバル・システムズ・フォー・モバイル・コミュニケーションズ（ＧＳＭ）規格、時分割多重
アクセス（ＴＤＭＡ）、符号分割多重（ＣＤＭＡ）及びアドバンスド・モバイル電話システム（ＡＭＰＳ）のうちの１以上をサポートした、システム。
【請求項１５８】
請求項１５５記載のシステムであって、前記ワイヤレス通信ネットワークは、マイクロ波マルチポイント配送システム（ＭＭＤＳ）、ローカル・マルチポイント配送システム（ＬＭＤＳ）、インストラクショナル・テレビジョン・フィクスド・サービス（ＩＴＦＳ）、ポイント・ツー・ポイント・マイクロ波ブロードキャスト・システム、ポイント・ツー・マルチポイント・マイクロ波ブロードキャスト・システム、ワイヤレス・ビデオ・システム及びワイヤレスＡＴＭネットワークのうちの１以上を含む、システム。
【請求項１５９】
請求項１１９記載のシステムであって、前記端末は、
ライブラリ・モジュールであって、
デジタル・ロジックと、
該デジタル・ロジックに結合したリムーバブル・ストレージ・デバイスであって、該リムーバブル・ストレージ・デバイスは１以上の電子書籍を含む電子書籍のデータを記憶した、前記リムーバブル・ストレージ・デバイスと、
該デジタル・ロジック及び該リムーバブル・ストレージ・デバイスに結合したモジュラ・コネクタであって、該モジュラ・コネクタは、入来データ信号を受信し、該入来データ信号から電子書籍のデータをストリップし、該電子書籍のデータを前記デジタル・ロジックに転送し、該デジタル・ロジックはエラー・チェックを実行し前記電子書籍のデータのアドレスを読む、前記モジュラ・コネクタと、
前記デジタル・ロジック及び前記リムーバブル・ストレージ・デバイスに結合した受信デバイスであって、該受信デバイスは、電子書籍のデータを含むデータを受け、情報を前記配送システムに転送する、前記受信デバイスと
を備えた、前記ライブラリ・モジュールと、
ビューア・モジュールであって、
前記電子書籍のデータを前記ライブラリ・モジュールから受けるインターフェース・モジュールと、
注文された前記電子書籍を表示するディスプレイと
を備えた、前記ビューア・モジュールと
を備えた、システム。
【請求項１６０】
請求項１５９記載のシステムであって、前記受信デバイスは、モデム、インターフェース・デバイス及びデジタル・ターミネーティング・エクイップメント（ＤＴＥ）デバイスのうちの１つである、システム。
【請求項１６１】
請求項１６０記載のシステムであって、前記モデムは、ケーブル・モデム、衛星モデム、有線電話モデム、ワイヤレス電話モデム、有線データ・モデム及びワイヤレス・データ・モデムのうちの１以上である、システム。
【請求項１６２】
請求項１５９記載のシステムであって、前記受信デバイスは、ＨＤＳＬモデム、ＡＤＳＬモデム、ＤＳＬモデム、ＩＳＤＮターミナル・エクイップメント・デバイス、Ｔ１のデジタル・サービス・ユニット（ＤＳＵ）、Ｔ３のＤＳＵ、ファイバのユーザ網インターフェース（ＵＮＩ）デバイス、ＡＴＭのＵＮＩ、Ｘ．２５のＤＴＥ、フレーム・アセンブラ／デアセンブラ、ローカル・エリア・ネットワーク・インターフェース・デバイス及びＳＭＤＳ加入者ネットワーク・インターフェース・デバイスのうちの１以上である、システム。
【請求項１６３】
請求項１５９記載のシステムであって、前記ビューア・モジュール及び前記ライブラリ・モジュールは単一のハウジングに含まれた、システム。
【請求項１６４】
請求項１５９記載のシステムであって、前記ビューア・モジュールは第１の可搬ハウジングに含まれ、前記ライブラリ・モジュールは第２の可搬ハウジングに含まれた、システム。
【請求項１６５】
請求項１５９記載のシステムであって、前記ライブラリ・モジュールはセットトップ端末に含まれた、システム。
【請求項１６６】
請求項１５９記載のシステムであって、前記ライブラリ・モジュールはテレビに含まれた、システム。
【請求項１６７】
請求項１５９記載のシステムであって、前記ライブラリ・モジュールはコンピュータに含まれた、システム。
【請求項１６８】
請求項１５９記載のシステムであって、前記端末はコネクタを備え、該コネクタは、テレビ、セットトップ端末、コンピュータ及びラジオのうちの１以上から前記マルチプレクス・ブロードキャストを受けるように構成された、システム。
【請求項１６９】
請求項１５９記載のシステムであって、前記端末は、
内部ケーブル・モデムと、
該モデムに結合したチューナであって、前記マルチプレクス・ブロードキャストを搬送するチャネルに同調することが可能な前記チューナと、
前記マルチプレクス・ブロードキャストを復調する復調器と、
前記端末及び前記配送システムに接続したモジュラ・コネクタと
を備えた、システム。
【請求項１７０】
請求項１５９記載のシステムであって、前記マルチプレクス・ブロードキャストはオーディオ信号を含み、前記端末は該オーディオ信号から電子書籍のデータを抽出するオーディオ対応コネクタを備えた、システム。
【請求項１７１】
請求項１７０記載のシステムであって、前記オーディオ信号はデジタル・オーディオ信号である、システム。
【請求項１７２】
請求項１７０記載のシステムであって、前記オーディオ信号はアナログ・オーディオ信号である、システム。
【請求項１７３】
請求項１１９記載のシステムであって、前記マルチプレクス・ブロードキャストはスペクトラム拡散信号であり、該スペクトラム拡散信号はデジタル・データ・ストリームを含み、該デジタル・データ・ストリームは電子書籍を含み、前記端末はスペクトラム拡散受信機を備えた、システム。
【請求項１７４】
請求項１７３記載のシステムであって、前記スペクトラム拡散信号は、ビデオ信号と同じ帯域幅であるが該ビデオ信号のノイズ・レベルより下である、システム。
【請求項１７５】
請求項１１９記載のシステムであって、前記端末は、
衛星アンテナと、
衛星受信機と
を備えた、システム。
【請求項１７６】
請求項１７５記載のシステムであって、前記衛星アンテナ及び前記衛星受信機はアナロ
グである、システム。
【請求項１７７】
請求項１７５記載のシステムであって、前記衛星アンテナ及び前記衛星受信機はデジタルである、システム。
【請求項１７８】
請求項１１９記載のシステムであって、前記マルチプレクス・ブロードキャストはライブラリに提供され、該ライブラリは前記電子書籍を前記端末に送るためのインターフェースを備えた、システム。
【請求項１７９】
請求項１７８記載のシステムであって、前記インターフェースはイントラネットを含む、システム。
【請求項１８０】
請求項１７８記載のシステムであって、前記インターフェースはローカル・エリア・ネットワークを含む、システム。
【請求項１８１】
請求項１８０記載のシステムであって、前記インターフェースはインターネット・ウェブ・サイトを含む、システム。
【請求項１８２】
請求項１８０記載のシステムであって、前記インターフェースはリムーバブル・メモリ・デバイスを含む、システム。
【請求項１８３】
請求項１１９記載のシステムであって、前記マルチプレクス番組は書店に提供され、該書店は前記電子書籍を前記端末に送るためのインターフェースを含む、システム。
【請求項１８４】
請求項１８３記載のシステムであって、前記インターフェースはリムーバブル・メモリ・デバイスを含む、システム。
【請求項１８５】
請求項１８３記載のシステムであって、前記インターフェースはインターネット・ウェブ・サイトを含む、システム。
【請求項１８６】
請求項１８３記載のシステムであって、前記インターフェースは有線接続を含む、システム。
【請求項１８７】
請求項１１９記載のシステムであって、前記マルチプレクス番組はキオクスにて提供される、システム。
【請求項１８８】
請求項１８７記載のシステムであって、前記電子書籍は電子新聞及び電子雑誌のうちの一方を含み、前記キオスクは前記電子書籍を前記端末に送るためのインターフェースを含む、システム。
【請求項１８９】
請求項１８８記載のシステムであって、前記インターフェースは有線接続を含む、システム。
【請求項１９０】
請求項１８８記載のシステムであって、前記インターフェースはリムーバブル・メモリ・デバイスを含む、システム。
【請求項１９１】
請求項１１９記載のシステムであって、前記配送システムは専用の電子書籍配送システムである、システム。
【請求項１９２】
請求項１１９記載のシステムであって、選択された利用可能な電子書籍が継続的にブロ
ードキャストされる、システム。
【請求項１９３】
請求項１１９記載のシステムであって、選択された利用可能な電子書籍の組は定期的に変わる、システム。
【請求項１９４】
請求項１１９記載のシステムであって、前記電子書籍は試験的に提供される、システム。
【請求項１９５】
請求項１９４記載のシステムであって、試験的な前記電子書籍へのアクセスは設定時刻の後に無効にすることができる、システム。
【請求項１９６】
請求項１９５記載のシステムであって、前記の無効は試験的な前記電子書籍の購入により防ぐことができる、システム。
【請求項１９７】
請求項１１９記載のシステムであって、前記電子書籍の一部は前記端末に暗号化されていないフォーマットで提供される、システム。
【請求項１９８】
請求項１９７記載のシステムであって、前記電子書籍の残りに対する前記認証コードは、前記電子書籍を購入したときに前記端末に提供される、システム。
【請求項１９９】
請求項１１９記載のシステムであって、前記プロセッサ・システムは前記電子書籍に対応するデータ・パケットを生成し、前記配送システムは前記電子書籍の注文に応答して該データ・パケットを配送する、システム。
【請求項２００】
請求項１９９記載のシステムであって、前記端末は失敗したデータ・パケットの再送を要求する、システム。
【請求項２０１】
請求項１１９記載のシステムであって、前記プロセッサ・システムは、
前記電子書籍を暗号化する暗号化モジュールと、
電子書籍のデータにおけるエラーを訂正するエラー訂正モジュールと、
配送のために電子書籍を記憶するメモリと
を備えた、システム。
【請求項２０２】
請求項１１９記載のシステムであって、前記電子書籍は複数回前記端末に送られる、システム。
【請求項２０３】
請求項２０２記載のシステムであって、前記端末は、前記電子書籍を受けたときに受信の指示を前記配送システムに提供し、該配送システムは前記受信の指示を受けたときに前記電子書籍の配送を止める、システム。
【請求項２０４】
請求項１１９記載のシステムであって、前記電子書籍は前記端末への配送のために事前認証される、システム。
【請求項２０５】
請求項１１９記載のシステムであって、前記電子書籍の注文は前記端末から前記プロセッサ・システムまで電話ネットワークを用いて送られる、システム。
【請求項２０６】
請求項２０５記載のシステムであって、前記電話ネットワークは、旧来の電話ネットワーク及び公衆交換電話網のうちの一方である、システム。
【請求項２０７】
請求項２０５記載のシステムであって、前記電子書籍の注文は、Ｔ１回線、Ｔ３回線、
サービス総合デジタル網の回線、非対称デジタル加入者線及び光ファイバ回線のうちの１つを用いて送られる、システム。
【請求項２０８】
請求項１１９記載のシステムであって、前記電子書籍の注文は前記端末から前記プロセッサ・システムまでインターネット・ウェブ・サイトを用いて送られる、システム。
【請求項２０９】
請求項２０８記載のシステムであって、前記インターネット・ウェブ・サイトは、自動番号識別、ユーザ名、ユーザ識別、インターネット・アドレス及びブラウザのクッキーのうちの１つに基づいて、電子書籍の注文を配置した端末を認識する、システム。
【請求項２１０】
請求項２０９記載のシステムであって、前記インターネット・ウェブ・サイトは、前記ブラウザのクッキーを用いて前記端末に対してカスタムされた電子書籍の注文を生成し、カスタムされた前記電子書籍の注文は、個別化メニュ、個別化メニュ・ナビゲーション、個別化電子書籍注文のうちの１以上を含む、システム。
【請求項２１１】
請求項１１９記載のシステムであって、前記電子書籍の注文は前記端末から前記プロセッサ・システムまでケーブル・テレビ・システムを用いて送られる、システム。
【請求項２１２】
請求項１１９記載のシステムであって、前記電子書籍の注文は前記端末から前記プロセッサ・システムまでワイヤレス・モデム及びワイヤレス・ネットワークを用いて送られる、システム。
【請求項２１３】
請求項１１９記載のシステムであって、前記電子書籍は電子メール・アドレスに配送される、システム。
【請求項２１４】
請求項２１３記載のシステムであって、前記認証信号は前記電子メール・アドレスに配送される、システム。
【請求項２１５】
請求項２１３記載のシステムであって、前記認証信号は前記端末に配送される、システム。
【請求項２１６】
請求項１１９記載のシステムであって、前記電子書籍の注文は前記プロセッサ・システムまでローカル・エリア・ネットワークを介して送られる、システム。
【請求項２１７】
電子書籍を配送するシステムであって、
複数のマシンを備え、該複数のマシンのうちの１つのマシンは、
マイクロプロセッサと、
該マイクロプロセッサに結合したトランシーバと、
該マイクロプロセッサに結合し前記マシンに関係する１以上の電子書籍を記憶するメモリと、
前記複数のマシンに結合したネットワークと、
該ネットワークに結合したインターフェースと、
該インターフェースに操作可能に結合可能な電子書籍ビューワであって、該電子書籍ビューワからのコマンドにより、前記マシンは前記メモリから前記電子書籍ビューワに電子書籍を送る、前記電子書籍ビューワと
を備えた、システム。
【請求項２１８】
請求項２１７記載のシステムであって、前記ネットワークは１２０ボルトの配布システムである、システム。
【請求項２１９】
請求項２１７記載のシステムであって、前記ネットワークはワイヤレス・ホーム・ネットワークである、システム。
【請求項２２０】
請求項２１７記載のシステムであって、前記ネットワークは有線ホーム・ネットワークである、システム。
【発明の詳細な説明】
【技術分野】
【０００１】
関連出願
本出願は、１９９２年１２月９日に出願された米国特許出願第０７／９９１，０７４号である“Ｔｅｌｅｖｉｓｉｏｎ  Ｐｒｏｇｒａｍ  Ｐａｃｋａｇｉｎｇ  ａｎｄ  Ｄｅｌｉｖｅｒｙ  Ｓｙｓｔｅｍ  ｗｉｔｈ  Ｍｅｎｕ  Ｄｒｉｖｅｎ  Ｓｕｂｓｃｒｉｂｅｒ
Ａｃｃｅｓｓ”と、１９９４年１１月７日に出願された米国特許出願第０８／３３６，２４７号である“Ｅｌｅｃｔｒｏｎｉｃ  Ｂｏｏｋ  Ｓｅｌｅｃｔｉｏｎ  ａｎｄ  Ｄｅｌｉｖｅｒｙ  Ｓｙｓｔｅｍ”と、１９９３年１２月２日に出願された米国特許出願第０８／１６０，１９４号及びＰＣＴ／ＵＳ９３／１１０６０号である“Ａｄｖａｎｃｅｄ  Ｓｅｔ−ｔｏｐ  Ｔｅｒｍｉｎａｌ  ｆｏｒ  Ｃａｂｌｅ  Ｔｅｌｅｖｉｓｉｏｎ  Ｄｅｌｉｖｅｒｙ  Ｓｙｓｔｅｍｓ”と、１９９７年８月５日に出願された米国特許出願第０８／９０６，４６９号である“Ｒｅｐｒｏｇｒａｍｍａｂｌｅ  Ｔｅｒｍｉｎａｌ  ｆｏｒ  Ｓｕｇｇｅｓｔｉｎｇ  Ｐｒｏｇｒａｍｓ  Ｏｆｆｅｒｅｄ  ｏｎ  ａ  Ｔｅｌｅｖｉｓｉｏｎ  Ｐｒｏｇｒａｍ  Ｄｅｌｉｖｅｒｙ  Ｓｙｓｔｅｍ”と、１９９８年１１月１３日に出願された米国特許出願第０９／１９１，５２０号である“Ｄｉｇｉｔａｌ  Ｂｒｏａｄｃａｓｔ  Ｐｒｏｇｒａｍ  Ｏｒｄｅｒｉｎｇ”との一部継続出願である。これらの出願を本出願において援用する。更に、同時継続の、１９９９年１月２７日に出願された米国特許出願第０９／２３７，８２７号である“Ｅｌｅｃｔｒｏｎｉｃ  Ｂｏｏｋ  Ｈａｖｉｎｇ  Ｌｉｂｒａｒｙ  Ｃａｔａｌｏｇ  Ｍｅｎｕ  ａｎｄ  Ｓｅａｒｃｈｉｎｇ  Ｆｅａｔｕｒｅｓ”と、１９９９年１月２７日に出願された米国特許出願第０９／２３７，８２８号である“Ｅｌｅｃｔｒｏｎｉｃ  Ｂｏｏｋ  Ｅｌｅｃｔｒｏｎｉｃ  Ｌｉｎｋｓ”と、１９９９年４月１３日に出願された米国特許出願第０９／２８９，９５７号である“Ｅｌｅｃｔｒｏｎｉｃ  Ｂｏｏｋ  Ａｌｔｅｒｎａｔｉｖｅ  Ｄｅｌｉｖｅｒｙ
Ｍｅｔｈｏｄｓ”とを援用する。
【背景技術】
【０００２】
情報スーパーハイウェイの構想に示唆を受け、書籍の配布に革命が生じる。グーテンベルグによる可動なタイプセット印刷の発明以来、世界は、テキスト・マテリアルの配布においてこのような革命のきわに立ったことはない。「書籍」（ｂｏｏｋ）という語の定義は、近い将来、劇的に変化する。
【発明の概要】
【発明が解決しようとする課題】
【０００３】
セキュリティ、便利さ、コスト、そしてそれ以外の技術的な問題などの理由により、書籍及び雑誌出版社は、現在、紙の形式でしか、その製品を配布することができない。しかし、本発明は、出版社が直面している問題を解決する。
【課題を解決するための手段】
【０００４】
電子書籍選択及び搬送システムは、書籍を書店、図書館、学校そして消費者に配布する新たな方法である。本発明の技術的なブレークスルーにより、選択された電子書籍を配送し支払いを受け取る信頼性の高い電子的なシステムが提供される。このシステムは、消費者に、高度な技術的魅力を備えていながら同時に非常に実用的であって携帯可能で使用が容易な日常的で身近な装置を提供する。
【０００５】
このシステムの効果は、紙の書籍やコンピュータ・メモリ装置などの物理的な物体の配布を、書籍又はテキスト配布システムから取り除いたことである。書籍の購入は、ペイパーリード（ｐａｙ−ｐｅｒ−ｒｅａｄ  ＴＭ）な事柄となり、現在の書籍配布システムに
関連したオーバヘッド、「中間の人間」、印刷コスト、そして、時間的遅延を回避する。大統領のスピーチ、新たな立法、堕胎に関する裁判所の判決、ＯＪシンプソンの証言などの出版されたマテリアル及びテキストを、最小の費用で、消費者が直ちに入手可能なようにすることができる。また、書籍のスポンサーとなり書籍の中に広告を埋め込む広告業者が資金を負担することにより、書籍が無料で末端の消費者が利用できるようになる。
【０００６】
このシステムは、テレビジョン、ケーブル、電話、そしてコンピュータ産業に関係する新たな技術の新規な組合せである。高帯域幅のデータ伝送、強力なセキュリティ保護方法、高度なデジタル・スイッチング、高解像度の視覚的表示、新規なコントロールズ、そして、ユーザ・フレンドリなインターフェース・ソフトウェアを用いる。
【０００７】
このテキスト配送システムの基本コンポーネントは、配送のためにテキストを準備するサブシステムと、配送されたテキストを受け取り選択するサブシステムとである。このシステムのある実施例には、システムを強化する追加的なコンポーネントやオプションの機能が含まれる。このシステムは、書店、公共図書館、学校、そして消費者による使用に向くように構成することができる。ある実施例では、この消費者向けのシステムは、４つのサブシステムで構成される。すなわち、（１）オペレーション・センタ、（２）配布システム、（３）受信、選択、見る、取引及び伝送の能力を含むホーム・サブシステム、そして、（４）課金及び集金システム、である。このシステムの代替の構成は、様々な伝統的な及び非伝統的な配送方法を可能とするように規定されている。
【０００８】
オペレーション・センタは、いくつかの基本機能、テキスト・データの操作（テキスト・データの受信、フォーマット化及び記憶を含む）、テキストのセキュリティ符号化、書籍のカタログ化、メッセージング・センタ能力の提供、そして、アップリンク機能、を実行である。ある実施例では、このシステムは、オペレーション・センタからのテキストを、アナログ・ビデオ信号の中にテキスト・データを挿入することによって、消費者の自宅に配送する。テキストの挿入は、一般に、オペレーション・センタ内にある又はその近くにあるアップリンク・サイトでエンコーダと共に実行される。このシステムは、垂直ブランキング期間（ＶＢＩ）のいくつかのライン、アナログ・ビデオ信号のすべてのライン、デジタル・ビデオ信号又は帯域幅の中の未使用部分を用いてテキスト・データを送ることができる。ＶＢＩ配送方法を用いると、トップの１０又は２０の書籍タイトルを、加入者のビデオ受信を妨げることなく、既存のケーブル又はブロードキャスト伝送能力を用いて、通常のプログラミングの間にビデオと共に送信することができる。ビデオ信号全体を用いると、数千冊の書籍を僅かに１時間の放送時間内に伝送できる。ほぼどのようなアナログ又はデジタルのビデオ又はデータの配送システムでも、テキスト・データを配送するために用いることができる。またテキスト・データは、例えば、ＡＤＳＬ接続など高速な接続を有する電話ネットワーク（例えば、公共交換型電話ネットワーク）及びインターネット等を含む、それ以外の低速及び高速の信号経路を介して伝送することができる。
【０００９】
ホーム・サブシステムは、少なくとも４つの機能、配布システムへの接続、テキストの選択、テキストの記憶、そして、通信機構を通じた取引、を実行する。ホーム・サブシステムのコンポーネントは、様々なハードウェア構成において構成することができる。それぞれの機能は、別個のコンポーネントによって実行することができ、コンポーネントは統合することもでき、又は、既存のケーブル・セットトップ・コンバータ・ボックス、コンピュータ、及びテレビジョンの能力を用いることができる。コネクタ、ライブラリ・ユニット、そしてビューワ・ユニットを用いることができる。ある実施例では、ホーム・サブシステムのコネクタ部分は、アナログ・ビデオ信号を受け取り、テキストをビデオから引き離すか又は抽出する。ホーム・ライブラリは、テキスト信号を記憶し、システムへのユーザ・フレンドリなソフトウェア・インターフェースを提供し、消費者の自宅で取引（トランザクション）を処理する。ビューワは、テキスト又はメニュを見るためのスクリーン
と、新規なユーザ・フレンドリなコントロールズ（操作装置）とを提供する。様々な通信機構を用いてテキストの配送をサポートする代替の実施例が示される。
【００１０】
見るための装置は、好ましくは、１冊又は複数冊の電子書籍を読むために記憶しホーム・ライブラリ・ユニットと相互作用するスクリーンを提供する携帯型の書籍状のビューワである。高解像度のＬＣＤディスプレイが、書籍を読むのとホーム・ライブラリ・ユニットとの相互作用との両方に用いられる。オプションの電話コネクタ又はリターン・パス・ケーブル接続が、電話コールを開始し、ライブラリの補助を得て必要なデータを伝送し、注文と消費者の商取引の課金部分とを終了する。ユーザ・フレンドリなコントロールズには、ブックマーク、現在の書籍、そしてページ繰りボタンが含まれる。課金及び集金システムは、トランザクションの管理、認証、集金、そして出版社への支払いを、自動的に実行する。
【００１１】
消費者向けのシステムと類似するシステムを、書店、学校及び公共図書館で用いることも可能である。
【図面の簡単な説明】
【００１２】
【図１ａ】電子書籍選択及び配送システムの基本コンポーネントのブロック図である。
【図１ｂ】複合ビデオ信号を使用する電子書籍選択及び配送システムのブロック図である。
【図２】電子書籍選択及び配送システムの全体像を示す概観図である。
【図３】電子書籍選択及び配送システムのための配送プランの概観図である。
【図４】オペレーション・センタのブロック図である。
【図５】図５ａは、オペレーション・センタとアップリンクとにおける処理の流れ図である。図５ｂは、アップリンク・サイトのためのハードウェア構成に関するブロック図である。
【図６ａ】４つの構成要素からなるホーム・サブシステムのためのハードウェア構成のブロック図である。
【図６ｂ】２つのユニットからなるホーム・サブシステムの概観図である。
【図７】ビデオ・コネクタによって実行されるプロセスの流れ図である。
【図８】一例であるライブラリ・ユニットのためのブロック図である。
【図９】受信されたデータ・ストリームに対してライブラリによって実行されるプロセスの流れ図である。
【図１０】ビューワからの情報リクエストに対してライブラリ・ユニットによって実行されるプロセスの流れ図である。
【図１１】一例であるビューワのための構成要素を示すブロック図である。
【図１２】加入者からの情報リクエストに対してビューワによって実行されるプロセスの流れ図である。
【図１３】メニュ構造とメニュ・システムにおけるメニュの進行（シーケンシング）とを示す図である。
【図１４ａ】導入メニュの概観図である。
【図１４ｂ】一例であるメイン・メニュを示す概観図である。
【図１４ｃ】サブメニュの例を示す概観図である。
【図１４ｄ】サブメニュの例を示す概観図である。
【図１４ｅ】サブメニュの例を示す概観図である。
【図１４ｆ】サブメニュの例を示す概観図である。
【図１４ｇ】サブメニュの例を示す概観図である。
【図１４ｈ】サブメニュの例を示す概観図である。
【図１４ｉ】サブメニュの例を示す概観図である。
【図１４ｊ】サブメニュの例を示す概観図である。
【図１５】書店又は公共図書館のための電子書籍システムの概観図である。
【図１６ａ】セットトップ・コンバータに対するハードウェア上の修正又は更新の概観図である。
【図１６ｂ】セットトップ・コンバータに対するハードウェア上の修正又は更新の概観図である。
【図１７】データ受信機及びデータ送信機を含むセットトップ端末を示す概観図である。
【図１８ａ】ブック・オン・デマンド・システムの概観図である。
【図１８ｂ】ブック・オン・デマンド・システムをサポートするオペレーション・センタの概観図である。
【図１９】デジタル・テレビ・プログラム環境の図である。
【図２０】オペレーション・センタにおけるテキストの処理に関するステップの流れ図である。
【図２１ａ】遠隔位置での受信オプションの図である。
【図２１ｂ】遠隔位置での受信オプションの図である。
【図２１ｃ】遠隔位置での受信オプションの図である。
【図２１ｄ】遠隔位置での受信オプションの図である。
【図２１ｅ】遠隔位置での受信オプションの図である。
【図２１ｆ】遠隔位置での受信オプションの図である。
【図２１ｇ】遠隔位置での受信オプションの図である。
【図２２】プログラム・ブロードキャストを受信するのに用いられるホーム・サブシステムのハードウェア構成を示している。
【図２３】デジタル・テレビジョン・プログラム・コネクタによって実行されるプロセスの流れ図である。
【図２４】図２４ａ〜２４ｃは、図１９のブロードキャスト環境において用いられる注文システムの例である。
【図２５】インターネットを介した注文と関連するステップを示す流れ図である。
【図２６】インターネットを介して電子書籍を配送するのに用いられる構成要素を示す図である。
【図２７】ケーブル・システムを用いて電子書籍を配送するための実施例を示している。
【図２８】無線ブロードキャスト・システムを用いて電子書籍を配送するための実施例を示している。
【図２９】衛星ブロードキャスト・システムを用いて電子書籍を配送するための実施例を示している。
【図３０】ワイヤード接続データ・ネットワークを用いて電子書籍を配送するための実施例を示している。
【図３１】ＰＳＴＮを用いて電子書籍を配送するための実施例を示している。
【図３２】無線ＰＣＳネットワークを用いて電子書籍を配送するための実施例を示している。
【図３３】電子書籍を含む携帯型記憶媒体を記憶する記憶装置を示している。
【図３４】電子書籍をリクエストして配送するための別のシステムのブロック図である。
【発明を実施するための形態】
【００１３】
図１ａは、電子書籍を配布するのに使用可能な電子書籍配布システム１００を示している。コンテンツ・プロバイダ１１０は、例えば新聞や雑誌や製品カタログを含む書籍又は他の印刷媒体のハードコピー版を出版することができる。コンテンツ・プロバイダ１１０は、印刷されたマテリアルを電子フォーマットに変換し、電子フォーマットになったマテ
リアルをアップリンク経路１１５経由で配布点、即ちセンタ１２０に提供することができる。アップリンク経路１１５は、有線（ワイアード）又は無線（ワイアレス）の経路でありうる。アップリンク経路１１５は、例えば、通信ネットワークである。アップリンク経路１１５は、衛星中継経路や無線電話経路でありうる。アップリンク経路１１５は、例えばＣＤ−ＲＯＭなどの固定媒体を用いて電子書籍を配布センタに提供することもある。
【００１４】
図１ａでは、コンテンツ・プロバイダ１１０と配布センタ１２０とが、電子書籍配布システム１００の別個の構成要素として示されている。しかし、コンテンツ・プロバイダ１１０と配布センタ１２０とが同じ場所に位置することもある。
【００１５】
配布センタ１２０は、印刷物を電子フォーマットに変換することができる。あるいは、配布センタ１２０は、コンテンツ・プロバイダ１１０などの外部ソースから電子ファイルを受け取ることもある。配布センタ１２０は、電子書籍を処理し記憶することもある。
【００１６】
配布センタ１２０は、電子書籍を配布する。この配布は、例えば、配布経路１２５、配布ネットワーク１３０、及び配布経路１３５を経由して、電子書籍ビューワ（図示せず）を含むことがある電子書籍サブシステム又は端末１４０に至ることができる。また端末は、テレビジョン、セットトップ端末、パーソナル・コンピュータ又は同様のデバイスであることができる。以下では、電子書籍を配布する装置及び方法の詳細を説明する。配布ネットワーク１３０は、電子書籍店、インターネット・ウェブ・サイト、ワイアード又はワイアレスの通信ネットワーク、イントラネット、ラジオ番組配送システム、テレビ番組配送システムであることができ、ケーブルテレビ、衛星テレビ放送（ブロードキャスト）、空中経由の放送などを含む。電子書籍配布ネットワーク１３０は、例えばＣＤ−ＲＯＭなどの固定媒体を用いた、電子書籍のメール・デリバリ・システムを介した直接配送を含むことが可能である。
【００１７】
図１ｂは、テレビ・プログラム（番組）配送システムを用いて電子書籍を配布（配信）する電子書籍配布システム１７０の構成要素を示している。
【００１８】
図１ｂに示されている実施例では、電子書籍選択及び配送システム１７０の構成要素は、エンコーダ１７４と、ビデオ分配システム１７８と、コネクタ１８２と、テキスト・セレクタ１８６とである。エンコーダ１７４は、テキスト・データをビデオ信号上に配置して複合ビデオ信号（ｃｏｍｐｏｓｉｔｅ  ｖｉｄｅｏ  ｓｉｇｎａｌ）を形成する。複合信号はテキスト・データだけを含むこともあるが、通常は、ビデオ・データとテキスト・データとの両方を運ぶ。様々な機器及び方法を用いてテキスト・データをビデオ信号上に符号化することができる。ビデオ分配システム１７８は、エンコーダ１７４のシングル・ポイントからの複合ビデオ信号を、コネクタ１８２を有する複数の場所に分配する。コネクタ１８２は、デジタル又はアナログ・ビデオ信号をビデオ分配システム１７８から受け取り、複合ビデオ信号からテキスト・データを分離、引き離し、又は抽出する。必要であれば、抽出されたテキスト・データは、デジタル・ビット・ストリームに変換される。テキスト・セレクタ１８６は、コネクタ１８２と共に機能して、テキストを選択する。
【００１９】
コネクタ１８２とテキスト・セレクタ１８６との組合せを用いると、複合又はビデオ信号から希望するテキストを選択し検索する様々な方法が可能である。テキストは、予め選択する、受信時に選択する、又は、受信され記憶された後で選択することが可能である。１つの方法は、コネクタ１８２がビデオ信号からすべてのテキストを引き離すか又は抽出し、テキスト・セレクタ１８６に、コネクタ１８２から受け取られたすべてのテキストをスクリーニングさせることである。テキスト・セレクタ１８６は、テキストが後述するスクリーニング・プロセスにパスした場合にだけ、そのテキストを長期又は恒久的なメモリに記憶する。
【００２０】
図２は、電子書籍選択及び配送システム２００の別の実施例を示している。配送システム２００には、アップリンク・サイト２５４を含むオペレーション・センタ２５０と、ビデオ分配システム２０８と、ビデオ・コネクタ２１２を含む電子書籍デバイス、即ちホーム・システム２５８と、ライブラリ２６２と、ビューワ２６６と、電話コネクタ２７０と、電話システム２７４と、インターネット・ウェブ・サイト２７９と、課金及び集金サブシステム２７８とが含まれる。やはり図２に示されているように、ホーム・システム２５８はテレビジョン２５９への接続を含むことができ、パーソナル・コンピュータ２６１を用いて、メニュ・スクリーン、電子書籍、電子ファイル、又は、電子書籍配送システム２００と関連する他の任意の情報を表示することができる。更に、テレビジョン２５９とパーソナル・コンピュータ２６１とは、ビューワ２６６の機能を複写し補完する制御機能を提供する。
【００２１】
オペレーション・センタ２５０は、出版社、新聞及びオンライン・サービスなどの外部ソース２８２からテキスト・マテリアルを受け取る。あるいは、外部ソースは、電子書籍をインターネット・ウェブ・サイト２７９に維持することもできる。外部ソース２８２は、テキスト及びグラフィクス・マテリアルを、デジタル・フォーマットに変換するか、又は、別のベンダにコンタクトしてこのサービスを提供することもできる。オペレーション・センタ２５０は、このテキスト及びグラフィクス・マテリアルを様々なデジタル・フォーマットで受け取り、記憶のために、それを標準的な圧縮されたフォーマットに変換する。そうする際に、オペレーション・センタ２５０は、ホーム・システム２５８に配送できるテキスト・マテリアルのプールを作成する。テキスト・マテリアルは、アクセスを容易にするために、書籍又はタイトル別にグループ分けされている。
【００２２】
ここでは、「書籍」とは、任意の小説、百科事典、記事、雑誌、新聞、カタログ、定期刊行物、又はマニュアルなどに含まれているテキスト又はグラフィクス情報を意味する。「タイトル」という語は、著者によって書籍に割り当てられた実際のタイトルや、特定のグループ、部分、又はテキスト情報のカテゴリを指示する任意のそれ以外の指定を表す。タイトルは、一連の関係のあるテキスト情報、一群のテキスト情報、又はテキスト・データの一部を指しうる。例えば、「最新のハーレクインロマンス」、「（１０歳から１２歳向けの）フォー・チャイルド・リーディング・ブックス（Ｆｏｕｒ  Ｃｈｉｌｄ  Ｒｅａｄｉｎｇ  Ｂｏｏｋｓ）」、「ブリタニカ百科事典」、「大統領のスピーチ」、「インストラクション・マニュアル」、「７月４日のイベントの予定」、「ペット・ハンドブック」、「ロー対ウェード」、そして、「ジョイオブクッキング」などは、適切なタイトルである。また、タイトルは、グラフィカルなシンボル又はアイコンでもよい。従って、レンチの絵は修理本のタイトルになりうるし、コンピュータの絵はコンピュータ本のタイトルになりうるし、電話のグラフィカルなシンボルは電話帳のタイトルになりうるし、ダガーの絵はミステリ本のタイトルになりうるし、バットとボールの絵はスポーツ本のタイトルになりうるし、チッカーテープの絵はビジネス本のタイトルになりうる。
【００２３】
オペレーション・センタ２５０は、テキストを通信信号上に配置しその通信信号を分配システムに送るアップリンク・サイト２５４を含む。アップリンク・サイト２５４は、一般に、テキストを通信信号上に符号化するエンコーダ２０４（図２には示されていない）を含む。
【００２４】
多くのアナログ及びデジタル・ビデオ分配システム、例えば、ケーブル・テレビジョン分配システム、ブロードキャスト・テレビジョン分配システム、電話システムを介して分配されるビデオ、直接衛星ブロードキャスト配布システム、そして、それ以外の有線及び無線の配布システムを、電子書籍配送システム２００と共に用いることができる。ビデオ信号を含む通信信号を配送することができるほとんどすべての配布システムは、電子書籍
配送システム２００と共に機能することができる。また、セクションＶＩＩで提示する実施例において述べるように、通信信号を用いることなく電子書籍を配布することも可能である。
【００２５】
ホーム・システム２５８は、５つの基本機能、（１）ビデオ配送システムとの接続、（２）データの選択、（３）データの記憶、（４）データの表示、そして、（５）取引（トランザクション）を扱うこと、を実行する。ホーム・システム２５８の重要なオプションの機能は、ある実施例において、電話通信システム２７４を用いた通信である。ホーム・システム２５８は、４つの部分、配布システム２０８と接続するためのビデオ・コネクタ２１２又は類似のタイプのコネクタと、記憶及び処理のためのライブラリ２６２と、メニュ及びテキストを見るためのビューワ２６６と、電話通信システム２７４と接続するための電話コネクタ２７０とで構成されている。セクションＶＩＩでは、代替の通信機構に向けられた追加の実施例を提示する。
【００２６】
課金及び集金システム２７８は、オペレーション・センタ２５０と同じ場所に配置されてもよいし、オペレーション・センタ２５０とは離れて配置されてもよい。課金及び集金システム２７８は、電話タイプの通信システム（例えば、２７４）を使用して、ホーム・システム２５８と通信することができる。セルラ・システムやインターネットなどセクションＶＩＩにおいて述べる任意の数の通信システムが、課金及び集金システム２７８と共に動作する。課金及び集金システム２７８は、加入者によって選択され注文された電子書籍又はテキストの一部を記録する。集金システムは、加入者のクレジット口座に請求するか、加入者に課金する。更に、課金及び集金システム２７８は、テキスト・データ、又は、テキスト配送システム２００を動作させるためのエア時間などそれ以外のサービスを提供した出版社又はそれ以外の外部ソース２８２が権利を有している金額をモニタすることができる。
【００２７】
図２にはイントラネット２７９’も示されている。イントラネット２７９’は、電子書籍を配布し回覧するための私的な配布ネットワークの一部として用いることができる。例えば、大学の図書館がイントラネット２７９’を用いて大学の学生や教授に電子書籍を回覧することがある。
【００２８】
図３は、配送システム２００のための好ましい配送プラン３０１の拡張された概観である。これは、様々なタイプの加入者と様々なタイプの課金システムとをサポートする配送プランである。図３には、出版社２８２がオペレーション・センタ２５０’へのテキスト転送３０２を提供し、課金及び集金システム２７８’から支払い３０６を受け取る様子が示されている。別個のチャネル・アップリンク・サイト２５４’がこの構成には示されており、オペレーション・センタ２５０’からデータ３１０を受け取っている。オペレーション・センタ２５０’は、３つの独立の部分（３１８、３２２、３２６）を有する。すなわち、テキストの受信、フォーマット化及び再エントリのための第１の部分３１８と、セキュリティ符号化のための第２の部分３２２と、カタログ及びメッセージ・センタ機能のための第３の部分３２６とである。
【００２９】
示されている集金及び課金システム２７８’は、２つの部分（３３０及び３３４）を有する。第１に、商取引の管理、認証そして出版社への支払いを担当する部分３３０であり、第２に、顧客サービスを担当する部分３３４である。顧客サービス部分３３４は、データ・エントリと顧客の口座情報へのアクセスとを与える。商取引口座情報３３８は、クレジット・カード会社３４２に、課金及び集金システム２７８’の商取引管理部分３３０によって供給される。クレジット・カード会社３４２は、電子的に又は郵便で顧客に請求３４６を行う。
【００３０】
加入者ベース３４８と課金及び集金システム２７８’との間の通信のための方法は、電話スイッチング３５０だけによるものと、セルラ・スイッチング３５４及び電話スイッチング３５０の組合せと、ケーブル・システム３５８及び電話スイッチング３５０の使用によるものとを含む。示されているシステムは、加入者との一方向ケーブル通信３６２及び双方向ケーブル通信３６６をサポートする。追加的な通信方法を、セクションＶＩＩにおいて述べる。書店３７４に加えて公共図書館及び学校３７０も、この配送システム３０１を用いることができる。
【００３１】
公共図書館及び学校３７０は、ビューワをチェックアウト又は貸し出し、一方、書店３７４がビューワを賃貸するか又は販売し、電子書籍データを販売することを可能にする修正されたシステムを有することができる。公共図書館及び学校３７０だけでなく書店３７４も、ケーブル３７８のサービスを受けられる。オプションの直接ブロードキャスト・システム（ＤＢＳ）３８２は、セクションＶＩＩにおいて詳述するように、システム２００と共に用いることもできる。
【００３２】
Ｉ．オペレーション・センタ
図４は、アップリンク２５４を含むオペレーション・センタ２５０の概要である。オペレーション・センタ２５０は、受信し、フォーマット化し、記憶し、そして、符号化することによって、テキスト又は書籍を収集する。テキストを含むデータ・ストリーム３０２は、オペレーション・センタにおいて、データ受信機４０２によって受信される。データ受信機４０２は、プロセッサ４０４の制御の下にある。受信されると、データ・ストリームは、やはりプロセッサ４０４に制御されているフォーマット用のデジタル・ロジック４０６を用いてフォーマット化される。分配される信号にローカルに挿入するために、どのようなものであっても追加的なテキストがオペレーション・センタ２５０で発生される場合には、このテキスト発生は、データ受信機とキーボード（図示せず）とを含むテキスト発生器ハードウェア４１０を通じて扱われる。テキスト発生器４１０による処理の後では、追加的なテキストが、デジタル・ロジック回路（図示せず）を含む合成用のハードウェア４１４によって、受信されたテキストに更なるテキストを追加することができる。
【００３３】
オペレーション・センタ２５０での処理は、命令メモリ４１６を用いるプロセッサ４０４によって制御される。プロセッサ４０４と命令メモリ４１６とは、パーソナル・コンピュータ又はミニコンピュータによって与えられる。カタログ及びメッセージング機能を実行するに、オペレーション・センタ２５０は、カタログ及びメッセージ・メモリ４２０と、必要であればテキスト発生器４１０とを用いる。
【００３４】
テキスト、カタログ及びメッセージのデータ・ストリームは、アップリンク・モジュール２５４に送られる前に、セキュリティ符号化モジュール４２４によって符号化することができる。セキュリティ符号化モジュール４２４は、ＮＳＡの暗号化アルゴリズムの商業的なデリバティブ（データ暗号化システム（ＤＥＳ））、及びゼネラル・インスツルメンツ社のデジサイファ（ＤｉｇｉＣｉｐｈｅｒ）ＩＩなどの様々な符号化技術を用いることができる。符号化の後では、符号化されたテキストは、アップリンク２５４に送られる前に、テキスト・メモリ４２８に記憶されうる。先入れ先出しテキスト・メモリ構成をプロセッサ４０４の制御の下で用いることができる。ＲＡＭを含む様々なタイプのメモリを、テキスト・メモリ４２８に用いることができる。オペレーション・センタ２５０は、テキスト・メモリ４２８のためにファイル・サーバ技術を用いて、以下で説明するように、伝送する書籍をカタログ化しスプールすることができる。またオペレーション・センタ２５０は、圧縮されたデータ・ファイルとして電子書籍を記憶することができる。
【００３５】
ある実施例において、テキスト・データを伝送するために、配布システム２０８（図２を参照）は、北米ブロードキャスト・テレテキスト・スタンダード（ＮＡＢＴＳ）や世界
システム・テレテキスト（ＷＳＴ）標準が定義したような高帯域幅の伝送技術を用いることができる。ＷＳＴフォーマット（垂直ブランキング期間のそれぞれのラインが２６６データ・ビットを含む）を用いると、垂直ブランキング期間の４つのラインを用いて、例えば、４００ページの書籍を、１．６分でほぼ１冊の書籍の割合（毎秒６３８４０ビットで、通常のテレビジョン・プログラミングの間に伝送することができる）。あるいは、専用チャネルを介して書籍を伝送することができ、この場合には、プログラミングには割り込みがなされ、２４６ラインのビデオを用いて、１時間当たり約２２５０冊の書籍（毎秒３．９メガビット）を伝送することができる。テレテキスト・タイプのフォーマットは、この電子書籍配送システム２００と共に用いるための、最も単純ではあるがおそらく最も低速のテキスト・フォーマットである。いずれの場合にも、アップリンク・サイト２５４で、エンコーダ２０４を用いて、テキスト・データをアナログ・ビデオ信号の中に挿入する。多くの他の点では、テキスト情報の配送は、既存のケーブル・テレビジョン・プラント及び設備を用いてなすことができる。代替の送信フォーマット及び配送システムを、セクションＶＩＩにおいて提示する。
【００３６】
図５ａは、出版社又はプロバイダ２８２からのテキストを処理することに関係する、オペレーション・センタ２５０で生じるステップの流れ図である。ブロック５００に示されているように、出版社２８２は、書籍のテキストのデータ・ファイルを処理し、そのデータ・ファイルを圧縮し、暗号化し、オペレーション・センタ２５０又はアップリンク２５４に送る。一度に１つの書籍であるように書籍のテキスト・ファイルを送ることができる。ブロック５０４に示されているように、アップリンク２５４又はオペレーション・センタ２５０が、出版社２８２からのデータ・ストリームを受け取り、それを処理する。一般に、この処理の一部には、暗号化と誤り訂正とが含まれる。テキスト・ファイルは、複数のホーム・サブシステムによって同時に受信されるように配送するか、又は特定の個別のホーム・サブシステムに配送することができる。
【００３７】
図５ａにおいて、電子書籍はケーブル・テレビジョン・システム等のビデオ分配システムを使用して消費者に配布される。しかし、電子書籍をデータ・パケットとしてパッケージし、例えばデジタル・ワイヤレス電話ネットワーク等の他の通信ネットワークを介して配布することもできる。
【００３８】
ある実施例においては、ブロック５０８に示されているように、ファイルは、より小さな情報のパケットに分割される。ヘッダ情報が、パケットに追加される。ビット・ストリームは、シリアルなデジタル・ビット・ストリームから、ＮＴＳＣビデオ信号と互換性のあるアナログ・ビット・ストリームに変換される。ブロック５１２には、アナログ・データのビデオ信号のビデオ・ラインへのスイッチングが示されている。アナログ・データは、ＶＢＩ又はアクティブなビデオ・ラインのいずれかに配置することができる。場合によっては、ビデオ・ラインの代わりに、帯域幅の未使用部分（５ないし４０ＭＨＺ、７０−７５ＭＨＺ、１００−１０９ＭＨＺ又は他のガード帯域など）を用いることができる。代替の送信方法をセクションＶＩＩにおいて提示する。
【００３９】
図５ｂは、ブロック５０８及び５１２に対する機能のいくつかを実行するハードウェア構成の例である。ビデオ・フィード５１６が、同期ストリッパ５２０を介して受信されて処理される。ストリップされた同期信号５３２は、デジタル・ロジック制御５２４によって用いられる。デジタル・ロジック制御５２４は、同期信号５３２とシリアル・デジタル・ビット・ストリーム５２８とを処理のために受け取る。デジタル・ロジック制御５２４は、シリアル・デジタル・ビット・ストリームをデジタル・アナログ・コンバータ５３６に送り、ビデオ・スイッチ５４４のための制御信号５４０を出力する。ビデオ・スイッチ５４４は、ビデオ・フィード５１６とアナログ・データ・ストリーム５４８とをアナログ・データ信号が挿入されたビデオ・フィード５５２に統合する。
【００４０】
ケーブル、衛星、ブロードキャスト、又はテレビジョン配送方法の代わりに、公共電話システムを用いて書籍を加入者に伝送することもできる。公共電話システムを介すると、平均的な書籍は１冊で約７分で伝送される。電話システムを用いると、ビデオとテキストとを複合信号に合成することが不要である。ほとんどのそれ以外の点で、オペレーション・センタは、テキストの配送が電話によるかケーブルによるかと問わず同様なままである。（米国特許番号第５，２６２，８７５号のＭｉｎｃｅｒ  ｅｔ  ａｌ．に与えられた“Ａｕｄｉｏ／Ｖｉｄｅｏ  Ｆｉｌｅ  Ｓｅｒｖｅｒ  Ｉｎｃｌｕｄｉｎｇ  Ｄｅｃｏｍｐｒｅｓｓｉｏｎ／Ｐｌａｙｂａｃｋ  Ｍｅａｎｓ”と、米国特許番号第５，２１８，６９５号のＮｏｖｅｃｋ  ｅｔ  ａｌ．に与えられた“Ｆｉｌｅ  Ｓｅｒｖｅｒ  Ｓｙｓｔｅｍ  Ｈａｖｉｎｇ  Ｈｉｇｈ−Ｓｐｅｅｄ  Ｗｒｉｔｅ  Ｅｘｅｃｕｔｉｏｎ”とに記載されているような）ファイル・サーバ技術（これらは共に本出願で援用する）が、電話システムによるテキスト配送方法と共にオペレーション・センタ２５０で用いられることが好ましい。
【００４１】
ケーブル、テレビジョン、電話システムによる配送の代わりに、公共電話システムを用いて、インターネットにアクセスし、インターネット・ウェブ・サイト２７９にアクセスすることができる。電話システムを用いて、電子書籍を注文し、支払いを行い、インターネット・ウェブ・サイトから直接に配送することができる。
【００４２】
ワイヤレス・電話ネットワークを使用して電子書籍を配布するか又はそうではなくホーム・システム２５８と通信するとき、このホーム・システムは任意の１以上の標準プロトコルを使用してデータを受けることができ、この任意の１以上の標準プロトコルは、時分割多重アクセス（ＴＤＭＡ）、符号分割多重アクセス（ＣＤＭＡ）、グローバル・システムズ・フォー・モバイル・コミュニケーションズ（ＧＳＭ）（登録商標）、及びアドバンスド・モバイル電話システム（ＡＭＰＳ）のプロトコルを含んでいる。
【００４３】
電話システムを用いているどのような配送システムでも、高速のモデムや、総合デジタル通信網（ＩＳＤＮ）コネクタ等の他の通信デバイスを組み込むことによって、又は、非対称デジタル加入者回線（ＡＤＳＬ）を用いることによって、個別の加入者は電子書籍の配送速度を増加させることが可能である。これら代替の配送方法をセクションＶＩＩにおいて提示する。
【００４４】
ＩＩ．ホーム・サブシステム
４コンポーネントのホーム・サブシステム２５８のためのハードウェア構成が、図６ａに示されている。図６ｂは、２コンポーネントのホーム・サブシステムのハードウェア構成を示している。ホーム・システム２５８は、データ及びビデオ伝送を受信する、データをビデオ信号からストリップ（又は、抽出）する、データをスクリーニングし記憶する、ユーザ・フレンドリなインターフェースのコントロールズ及びソフトウェアを提供する、メニュ及びテキストを表示する、取引（トランザクション）を処理する、電話コールを開始する、課金データを伝送するなど、いくつかの機能を実行する。様々なハードウェア構成を用いて、ホーム・サブシステム２５８の希望する機能を達成することができる。例えば、図６ｂに示されているように、ホーム・サブシステム２５８は、ケーブル・コンバータ・ボックス及びテレビジョン６０１の現在インストールされている加入者ベース並びにネットワークのコンピュータの受信及びチャネル・チューニング能力を利用するように構成することができる。ホーム・サブシステム２５８は、また、メニュ発生能力、電子メモリ、及び電話モデムを備えたセクションＶにおいて後述する進歩型のセットトップ端末コンバータ・ボックスとして設計することもできる。代替として、ホーム・システム２５８は、セクションＶＩＩで説明するような代替の配送及び注文の方法をサポートするように構成可能である。
【００４５】
ホーム・サブシステム２５８を構成する電子コンポーネントは、様々な方法で構成することができる。図６ａの４ユニット型システムでは、ビューワ２６６とライブラリ２６２とを相互にワイヤで接続し、他方で、残りのコンポーネントは、ＲＦトランシーバ６０４を介して通信する。ホーム・サブシステム２５８の単純なバージョンでは、ライブラリ２６２とビューワ２６６という２つのユニットだけが存在する。図６ｂは、あるオプションの機能を備えた２ユニットのホーム・システム２５８を示している。
【００４６】
ビューワ２６６は、高解像度のビューイング領域６０２と、デジタル・ロジック（鍵６０５と、セキュリティ６０６と、マイクロプロセッサ６２１とを含む）と、ビデオ・グラフィクス制御及びメモリ６０７と、電源回路６０２（図示せず）と、オプションのバッテリ６０３と、オプションのＲＦトランシーバ６０４とを備えている。２ユニット型の構成では、ライブラリ・ユニット２６２は、ビデオ配送システム２０８へのコネクタ機能と、公共電話通信システムへのコネクタ機能と、メモリ６００（取り外し可能な携帯型６００’でもよい）とを含む。更に詳しくは、ライブラリ・ユニット２６２は、データ・ストリップ機能６１７と、デジタル・ロジック６０９と、メモリ・ストレージ６００と、電源回路６１０と、オプションの電話接続部６１１（セルラ又はＰＣＮ６１１’を含む）と、オプションのバッテリ（図示せず）と、オプションのチューナ・モジュール６１３と、オプションのＲＦトランシーバ６０４とを含む。ビデオ・コネクタ２１２と公共電話システム接続部２７０とは、ライブラリ・ユニット２６２の取り外し可能な携帯型のメモリ・ユニット６００と同じように、別個のコンポーネントに分けることもできる。（図６ｂには、取り外し可能なカートリッジ６１４を備えた取り外し可能な携帯型のハードディスク・メモリ６００’が示されている。）最後に、ホーム・サブシステム２５８は、付属のキーボード２６７又は無線のキーボード２６８を含む。付属したキーボード２６７と無線式のキーボード２６８とは、共に、ビューワ２６６又はライブラリ・ユニット２６２と通信するのに用いられる。無線式のキーボード２６８は、例えば、無線周波数（ＲＦ）シグナリングを介して通信することができる。
【００４７】
代替の配置において、単一型のユニットにホーム・システム２５８のすべての機能を組み込むことができる。例えば、ライブラリ２６２の機能は、ビューア２６６内のカード又はチップセットによって実行することができる。ホーム・システム２５８を様々な通信ネットワークに結合するために必要な全ての通信デバイスもまた、このビューアに組み込むことができる。ホーム・システム２５８と加入者との間の全てのインターフェースは、ビューア２６６に含めることができる。この実施例において、ビューア２６６は、別個のキーボードからの入力を受けるための通信デバイスを含むことができる。またビューア２６６は、加入者に画像を送るために使用可能な組み込みビデオ・カメラ６０８”を含むことができる。トランシーバ６０８、カメラ６０８”、及びスピーカ／マイクロフォン６０８’を使用して、加入者は、例えばビデオ会議のためにビューア２６６を使用することができる。
【００４８】
従って、ホーム・サブシステム２５８は、相互に通信する別個のコンポーネントを５つも有することができる。ホーム・サブシステムを構成する２つ、３つ、４つ、又は５つの別個のコンポーネントは、様々な方法で相互に通信することができる。これには、ハードワイアード接続６１５、ＲＦトランシーバ６０４、そしてそれ以外の無線での方法が含まれる。
【００４９】
自宅（家庭、ホーム）ではＲＦ通信を使用することができ、別々のコンポーネントを家庭の全体において制限なく配置することができる。ユニットの間で通信されるデータは、セキュリティが保証されたデータであることが好ましい。更に、ライブラリ２６２は、ハードワイア接続リンク６１５を介してビューワ２６６に電力を供給することができる。
【００５０】
消費者の自宅でデータを受信しビデオ信号から切り離す（ストリップする）には、ケーブル・インターフェース・デバイス又はケーブル・コネクタ２１２のいずれかが用いられる。ケーブル・コネクタ・デバイスはチューナ６１３を含み、それに対して、ケーブル・インターフェース・デバイスは、家庭にある既存の同調装置を利用する。どちらの構成でも、データは、ビデオ信号から切り離されてライブラリ・ユニット２６２における加入者の位置に記憶される。電話コネクタ２７０とモデム６１１とが電話コールを開始し、注文及び課金情報をオペレーション・センタ２５０又は課金及び集金システム２７８に伝送する。あるいは、電話コネクタ２７０とモデム６１１とを用いて、インターネットへのアクセスを提供し、電子書籍をインターネット・ウェブ・サイトに注文し受け取ることができる。ライブラリ２６２は、ホーム・サブシステムのインテリジェントなコンポーネントであり、テキスト・データを記憶し、メニュを発生し、購入の商取引を実現するのに必要なハードウェア及びソフトウェアを内蔵している。ＲＦトランシーバ６０４に加えて、ライブラリ２６２は、システムがビューワ２６６に接続されることを可能にするのに必要なジャック及び接続部を含む。図６ｂに示されているように、ライブラリ２６２は、テキスト・データをビューワ２６６まで、復号化に鍵６０５を要する安全なフォーマットで通信する。テキストは、読まれる直前に、ページごとにだけ復号化されるのが一般的である。
【００５１】
ａ．ビデオ・コネクタ
図７には、ビデオ・コネクタ２１２によって実行されるプロセスの流れが示されている。ビデオ・コネクタは、ビデオ信号６０８を受け取り、テキスト・データ６１２を含むチャネルに同調し、テキスト・データをビデオ信号６１６から引き離し、テキスト・データ・ストリームをライブラリ６２０におけるロジック・コンポーネントに通信する。
【００５２】
ビデオ分配システムへの接続は、好ましくは、図６ｂに示されているように、ケーブル・テレビジョン配送システムへのケーブル・コネクタである。このケーブル・コネクタにはデータ・ストリッパ回路６１７が含まれており、これが、セットトップ・コンバータ、ＴＶ若しくはＶＣＲ６０１、又は、ケーブル・コネクタ２１２’を介してＣＡＴＶ信号を受け取るオプションのチューナ・ブロック６１３のいずれかからビデオ入力を受け取る。データ・ストリッパ回路６１７は、データをビデオから引き離し、デジタル・ビット・ストリームをライブラリ・ユニット２６２のデジタル・ロジック部分６０９に出力する。データは、ビデオ信号の垂直ブランキング期間又はアクティブ・ビデオ部分に暗号化され圧縮されたフォーマットで埋め込まれている。データ・ストリッパ回路６１７は、セットトップ・コンバータ・ボックス６０１、ＴＶ又はライブラリ・ユニットの内部に配置することができる。データ・ストリッパ回路６１７は、ライブラリのデジタル・ロジック６０９において用いられるデジタル・ビット・ストリームを出力する。
【００５３】
またビデオ・コネクタ２１２はチャネル・チューナ・モジュール６１３を含むことができ、このチャネル・チューナ・モジュール６１３は、ビデオ・チャネルに同調して引き離されるデータを含むビデオへのアクセスを提供することができる。オプションのチューナ・モジュール６１３を用いると、セットトップ・コンバータ、ＶＣＲ、又はＴＶチューナは、ホーム・サブシステムでは不要である。オプションのチューナ・モジュール６１３は、代わりに、ケーブル・コネクタ２１２を介して直接にＣＡＴＶ信号を受信することになる。代替の配布方法を使用してテキスト・ファイルの受信を可能にする追加のコネクタ・オプションをセクションＶＩＩにおいて述べる。このユビキタス・アクセスは、図６ｂで描写したようなモジュール型コネクタ７００を使用して提供される。
【００５４】
ｂ．ライブラリ
２ユニット型のホーム・サブシステムのためのライブラリ・ユニット２６２の実施例が、図６ｂと図８との両方に示されている。ここで示されている実施例には、次のようなオ
プションのパーツが含まれている。すなわち、取り外し可能な携帯型メモリ６００’、マイクロプロセッサ６２８、命令メモリ・ユニット６３２、デジタル・ロジック６３６、そして、電源ユニット６４０に加えて、ビデオ・コネクタ２１２、電話コネクタ２７０、ＲＦトランシーバ６０４、そして、バッテリ・パックである。
【００５５】
ライブラリ２６２は、マイクロプロセッサ６２８とデジタル・ロジック６３６と命令メモリ・ユニット６３２とを含むデジタル・ロジック部６０９（図８には示されていない）を含んでいる。マイクロプロセッサ６２８は、好ましくは、モトローラ社から販売されているＭｏｔＳＣ２１などの信頼性の高いマイクロプロセッサである。デジタル・ロジック部６０９は、シリアル・デジタル・ビット・ストリームをデータ・ストリッパ回路６１７から受け取り、データを処理する。誤り訂正もデジタル・ロジック部６０９によって実行され、データは、適切なアドレスに関してチェックされる。データのアドレスが正しく、ライブラリ・ユニット２６２がそのデータを受け取ることが承認されている場合には、そのデータは、メモリ・ストレージ・ユニット６００及び６００’に転送される。データを受け取る承認は、ケーブル・ヘッドエンド又はそれ以外の配布点によって提供される。承認コードをシリアルなデジタル・ビット・ストリームにおいて送ることも可能である。デジタル・ロジック部６０９は、適切なテキスト及びグラフィクス・データをメモリ・ストレージ・ユニット６００及び６００’に送る。このデータは、圧縮され暗号化されたフォーマットで転送され、圧縮され暗号化されたフォーマットのままで記憶される。
【００５６】
ｉ．メモリ・ストレージ・ユニット
ライブラリ・ユニット２６２のメモリ・ストレージ・ユニットは、取り外し可能な携帯型のメモリ・ユニット（図６ａ、図６ｂ及び図８に示されている）でありうる。メモリ・ストレージには、様々なオプションを利用できる。すなわち、ハードディスク・ドライブ、取り外し可能なプラッタを有するハードディスク、ＣＤ−ＲＯＭなどである。図６ｂを参照すると、取り外し可能なプラッタを含むハードディスク・ドライブ・ユニット６００’も利用できる。これによって、ライブラリは、ほぼ無制限な記憶容量を得ることになる。データ（すなわち、電子書籍ファイル）は、メモリ・ストレージ・ユニットに圧縮され暗号化されたフォーマットで記憶される。図６ｂに示されているように、データは、ビューワ２６６のＩＤ又は鍵と一致する鍵又は一意的なＩＤ番号を有している。一意的な鍵又はＩＤ番号のこのような一致により、メモリ・ストレージ・ユニットから未承認のビューワへ、テキスト・データが転送されることが防止される。スマート・カード、電子メモリ・カード又はＰＣＭＣＩＡ（パーソナル・コンピュータ・メモリ・カード・インダストリ・アソシエーション）カードなどの小型のメモリ・デバイスを用いてデータを記憶することもできる。
【００５７】
ｉｉ．電源回路
図６ｂ及び図８に示されているように、ライブラリ・ユニット２６２は、ＡＣの壁電源、ＤＣ電源６４０又はオプションのバッテリ電源６２４のいずれかから電力を提供される。電源回路６１０及び６４０は、ライブラリにおける様々な回路に対してバッテリ６２４又はＡＣユニットのいずれかからすべての必要な電圧を供給することが好ましい。好ましくは、電源回路６１０及び６４０は、ビューワ２６６に接続されると、単一のデータ・ケーブルを介してビューワに電力を提供する。電源回路６１０及び６４０は、動作中に、ＡＣ電源を用いてバッテリを再充電することもできる。オプションのバッテリ・ユニット６２４がインストールされると、ライブラリ・ユニット２６２は、携帯型のユニットとなり、電力をビューワ２６６に提供することができる。バッテリの寿命を長くするために、使用されないときにはメモリ・システムをシャットダウンするなど、電力節約策が講じられる。ビューワ２６６が用いられているときにはライブラリ回路は用いられず、ほぼすべての電力が、ライブラリ２６２に対して遮断される。
【００５８】
ｉｉｉ．公共電話システムへの接続
ある実施例において、電話システムへの接続は、モデムで構成されるコネクタ・デバイス６１１によって提供される。様々な入手可能なモデムを用いて、この機能を実行することができる。図６ｂに示されているように、セルラ電話又はＰＣＮ電話接続６１１’も提供されうる。ホーム・サブシステム２５８が最初に始動されるときに、モデムを用いて、消費者の氏名とクレジット・カード情報とが課金及び集金システム２７８に転送することができる。電話接続２７０は、書籍が消費者に購入されるたびに用いて、取引を完了し記録することができる。電話接続２７０は、テキスト・データをオペレーション・センタ２５０から受け取り、ビデオ分配システム２０８をバイパスするためにも用いられ得る。電話接続２７０は、図６ｂに示されているように、別個のユニットであってもよい。しかし、ホーム・システム２５８を課金及び集金システム２７８又はオペレーション・センタ２５０に接続するための代替の手段が存在する。モジュール型コネクタ７０１（図６ｂ及び８において示す）は、各通信ネットワークへのアクセスを提供して、ホーム・システム２５８から課金及び集金システム２７８又はオペレーション・センタ２５０への経路を提供する。これらの代替を、セクションＶＩＩにて詳細に提示する。
【００５９】
ｉｖ．ライブラリ処理
図９は、ライブラリ２６２のデジタル・ロジック・セクション６０９によって実行されるビデオ・コネクタ２１２又はストリッパ回路６１７から受け取られたデータ・ストリーム６５１に関するプロセスの、ある実施例に対する例である。ステップＳ６５０において、デジタル・ロジック・セクション６０９は誤り訂正に関してデータ・ストリーム６５１をチェックする。誤りが検出された場合には、デジタル・ロジック・セクション６０９は、ステップＳ６５４においてデータをデインターリーブし、ステップＳ６５８においてＦＥＣ（フォワード・エラー訂正）アルゴリズムを走らせる。ステップＳ６５０、Ｓ６５４及びＳ６５８において、デジタル・ロジック・セクション６０９はデータ・ストリームで必要な誤り訂正を実行する。誤り訂正が必要ない場合には、デジタル・ロジック・セクション６０９はステップＳ６６２に進み、データ・パケットをパケット・アドレスに関して個別的にチェックする。
【００６０】
アドレスが一意的なアドレスである場合には、このプロセスはステップＳ６６６に移動し、デジタル・ロジック・セクション６０９はパケットのアドレスがライブラリ・ボックスのＩＤ番号と一致するかどうかをチェックする。ライブラリ・ボックスのＩＤ番号は、そのライブラリ２６２と関連する一意的な番号であり、データのセキュリティを確認するために用いられる。次にこのプロセスはステップＳ６７０に移動し、デジタル・ロジック・セクション６０９は電子ファイルが既に開かれその中にデータ・パケットがセーブ可能かどうかを判断する。データ・ファイルが開かれていない場合には、デジタル・ロジック・セクション６０９は、そのパケットのために新たなデータ・ファイルを開く。電子ファイルが開かれている場合には、このプロセスはステップＳ６７８に移動し、デジタル・ロジック・セクション６０９はパケットをディスク上のその電子ファイルにセーブする。このプロセスはステップ６８２に移動し、デジタル・ロジック・セクション６０９は、このパケットが受信されている特定のテキスト・データ・ブロックに対する特定の書籍の最後のパケットであるかどうかを見るためにチェックする。それが情報の最後のパケットである場合には、このプロセスはステップ６８６に移動し、デジタル・ロジック・セクション６０９は電子ファイルを閉じ、利用可能な電子ファイルのディレクトリを更新する。ステップＳ６８２又はＳ６８６のどちらかに続いて、別のデータ・パケットを、データ・ストリッパ・ブロックから受け取られたデータ・ストリームから受け取るために、このプロセスは戻る（リターンする）。
【００６１】
パケット・アドレスがチェックされ、アドレスがブロードキャストされたアドレスであると判断されると、このプロセスはステップＳ６９０に移動し、デジタル・ロジック・セ
クション６０９は送られているメッセージのタイプを判断する。このメッセージは、例えば、書籍のタイトルのインデクス、メニュ（及びメニュのグラフィック）の情報、告知、特別な申し出、割引、公報宣伝、及びプレビューであることができる。次に、このプロセスはステップＳ６９４に移動し、デジタル・ロジック・セクション６０９はメッセージを適切な電子メッセージ・ファイル６９４に記憶する。次に、このプロセスはステップＳ６５０に戻って別のデータ・パケットを受け取り、別のエラー・チェックを実行する。
【００６２】
図９のプロセスを用いると、ライブラリ２６２は、（与えられた書籍における画像を示すか、又はメニュを生成するのに用いることができる）テキスト・データ及びグラフィクス・データに関連するディレクトリを受け取り、記憶し、更新することができる。データのフォーマットとライブラリ２６２のオペレーティング・システムとに応じて、プロセスの変形が可能である。
【００６３】
図１０は、ライブラリ２６２においてビューワ２６６からの情報リクエストを処理する例を示している。ビューワ２６６からの情報リクエストは、ビューワ２６６をライブラリ２６２に接続するケーブルを介して、又は、ＲＦなどの無線伝送を介して、受け取られる。ある実施例では、加入者のリクエストが、セットトップ・コンバータ・ボックス６０２から来ることもありうる（セクションＶを参照）。
【００６４】
ビューワ２６６から受け取られる情報リクエストは、一般に３つのカテゴリに属する。すなわち、（１）ライブラリ２６２に記憶されている書籍のディレクトリ・データ、（２）システムにおいて利用可能なすべての書籍のインデクス、そして、（３）特定の書籍のリクエスト（ステップＳ７００）である。ステップＳ７０４において、デジタル・ロジック・セクション６０９は、ビューワ２６６に記憶されている書籍を示すデータのディレクトリに対するビューワ２６６からのリクエストに回答する。データのディレクトリはビューワ２６６に送られ、それによって、加入者に表示される。ステップＳ７０８において、デジタル・ロジック・セクション６０９はシステムで利用可能なすべての書籍のインデクスに対するビューワ２６６からのリクエストを処理する。ライブラリ２６２は、システムで利用可能なすべての書籍のインデクスを取得し、そのインデクスをステップＳ７１２においてメニュ情報と共にビューワ２６６に伝送する。ステップＳ７１６において、デジタル・ロジック・セクション６０９は特定の電子書籍に関するビューワ２６６からのリクエストに応答する。ステップＳ７２０において、デジタル・ロジック・セクション６０９は、ビューワ２６６によってリクエストされた特定の書籍の電子ファイルを開き、レコード又は情報をパケットごとにビューワ２６６に伝送する。特定の書籍、レコード、又はパケットをビューワ２６６に伝送するというこのプロセスは、最後のレコード又はパケットがステップＳ７２４において送られるまで継続する。
【００６５】
特定の書籍に対するリクエストを処理する際の図１０に示されたプロセスに加えて、ライブラリ２６２は、また、ステップＳ７１６に記載されているプロセスを用いて、特定の書籍を注文しオペレーション・センタ２５０から受け取る。ライブラリ２６２に記憶されていない特定の書籍に対するリクエストに続いて、ライブラリ２６２は、当該書籍がビデオ分配システム２０８か又は代替の配送システム上にあるであろう次の利用可能な時間を判断し、その書籍の受信及び記憶を確実にするように進むことになる（このプロセスは、図示されていない）。このプロセスを実行する際には、ライブラリ２６２は、ビューワに、その書籍のテキスト・データをいつ取得するかに関する情報を伝送し、それによって、加入者が電子書籍を見ることができるようにする。タイミング情報に加えて、価格及びそれ以外の注文情報を、ライブラリ・ユニット２６２によって加入者に送ることもできる。
【００６６】
ｃ．ビューワ（Ｔｈｅ  ｖｉｅｗｅｒ）
図１１は、ビューワ２６６のブロック図であり、その内部コンポーネントが示されてい
る。図１１のビューワ２６６は、図６ｂに示されているビューワ２６６と同じである。ビューワ２６６は、製本された書籍と物理的に類似するように設計されている。ビューワ２６６は、５つの基本コンポーネントと７つのオプショナルなコンポーネントとで構成されている。すなわち、（１）ＬＣＤディスプレイ６０２、（２）デジタル回路（図示せず）、（３）ビデオ・グラフィクス・コントローラ６０７’、（４）コントロールズ７４０、（５）書籍メモリ７２８、（６）オプショナルな電源回路７３６、（７）オプショナルなバッテリ６０３’、（８）オプショナルなＲＦトランシーバ６０４、（９）オプショナルなセルラ又はモバイル・コネクタ（６１１’等）、（１０）オプショナルなキーボード２６７及び２６８、そして、（１１）オプショナルなスピーカ／マイクロフォン６０８’、（１２）オプショナルな代替の通信インターフェース・デバイスである。
【００６７】
（１）ＶＧＡクオリティである高解像度のＬＣＤスクリーン６０２を、テキスト及びグラフィクス・イメージを表示するのにビューワ２６６で用いることができる。このスクリーンは、書籍の１ページのサイズであることができる。２ページ型のスクリーンや２つのスクリーンをビューワ２６６において用いることも可能である。
【００６８】
（２）信頼性の高いマイクロプロセッサ６２１、命令メモリ７３２、及びデジタル・ロジックを含むデジタル回路である。データがビューワ２６６に転送される際は、圧縮され暗号化されたフォーマットを有する。信頼性の高いマイクロプロセッサ６２１は、ビューワ２６６のＩＤ番号を入ってくるデータ・ストリームと比較し、ビューワ２６６のＩＤ番号が入ってくるデータ・ストリーム内部のＩＤ番号と一致する場合にのみ、テキスト・データを記憶する。ビューワ２６６は、テキスト・データ又はそれ以外のデータを出力せず、見るときにだけそして現に見られているページについてだけデータを解凍し復号化するように構成することができる。これらの対策は、データへの認証のないアクセスに対する追加的なセキュリティを提供する。
【００６９】
（３）ＶＧＡクオリティのテキスト及びグラフィクス・イメージを補助し表示することができるビデオ・グラフィクス・コントローラ６０７’が、ビューワ２６６に含まれている。グラフィクス・コントローラ６０７’は、上述のデジタル回路によって制御される。テキストは、複数のフォント・サイズで表示することができる。
【００７０】
（４）図１１のビューワ２６６は、タッチパネル式のコントロールズ（操作装置）７４０を有する。これらのユニークで新規なコントロールズ７４０を用いて、消費者は、記憶されている電子書籍とカタログにある電子書籍とを選択し、カーソルを移動させ、書籍の中のページをめくることが可能になる。典型的には、好ましいコントロールズ７４０は、次項及び前項ボタン７４２及び７４１と、カーソル移動のためのボール７４３と、１つ又は複数の選択ボタン７４５と、現在の書籍ボタン７４７と、ブックマーク・ボタン７４９（図１４ａを参照のこと）とを含む。
【００７１】
コントロールズ７４０は、使用が容易であり便利な位置に配置されなければならない。図１４ａを参照すると、ビューワ２６６のためのコントロールズは、ビューワ２６６の下部のスクリーン６０２の下側に配置することができる。次頁ボタン７４２は最も用いられるボタン７４０であり、ページの右側エッジに近い位置に配置することができる。加入者は、コントロールズ、特に次頁ボタン７４１及び７４２を操作するのに右手の親指を用いる可能性が高い。従って、これらのボタンは、加入者の右手親指によって容易に操作できるように配置されるのが好ましい。一般的に、これは、図に向かって、ビューワ２６６の下側か、又は、ビューワ２６６の右側のマージンに沿って与えられる。現在の書籍のボタン７４７とブックマーク・ボタン７４９は、通常、コントロールズ７４０の中で最も使用頻度が低いボタンである。従って、示されている例では、これらのボタン７４７及び７４９は、ビューワ２６６のバインダに近い内部の領域に配置されている。ビューワ２６６の
下側中央に位置するボール７４３又はそれ以外のカーソル移動デバイス（４つのポインタ矢印などであるが、図示されていない）は、加入者による使用が容易であり、ビューワ２６６の操作も容易である。カーソル７４５のための選択ボタンは、好ましくは、示されているように、ボールの左右の側にカーソル・ボール７４３の直径の半分だけ下側に配置されるのが好ましい。ポインタ矢印がカーソル移動のために用いられる場合には、選択ボタン７４５は、４つの矢印ボタン（図示せず）の中心に配置することができる。再び、最も頻繁に用いられるコントロールズ７４０は、加入者の右手親指が通常おかれる位置に配置されるべきである。
【００７２】
（５）少なくとも１冊の書籍又はより多くのテキストのための書籍メモリ７２８が、ビューワ２６６に含まれている。メモリ７２８は、テキストと、書籍中の写真を表す任意のグラフィクスとを記憶する。また、メモリ７２８は、メニュ・グラフィクス・データを記憶することもできる。ビューワ２６６では、２つの異なるメモリ・デバイス７２８を用いることができる。第１は、デジタル回路の中のマイクロプロセッサ６２１に対する命令用のものであり、第２は、書籍メモリ７２８（及び、グラフィクス）のために用いられ得るものである。ＲＯＭ、ＲＡＭ又は小型のハードディスクなど、市販されている様々なメモリ装置を用いることができる。１冊の書籍は約０．６メガバイトのストレージを必要とするので、約６０メガバイトのストレージを提供する小型のハードディスクは、約１００冊分の電子書籍のメモリを提供することができる。
【００７３】
書籍のテキストは様々なフォント・サイズで記憶することができる。表示のために様々なフォントを与えるために、様々なフォントが命令又は書籍メモリ７２８に記憶されている。従って、より大きな又はより小さなフォントをメモリ６２１及び７２８から呼び出して、加入者の希望する表示を行うことができる。
【００７４】
（６）ビューワ２６６における電源回路７３６は、ＡＣ電源、オプショナルなバッテリ６０３’又はライブラリ・ユニット２６２のいずれかから電力を受け取る。電源回路７３６は、ビューワ２６６内部の様々なシステムに必要な電圧を提供する。
【００７５】
（７）オプショナルなバッテリ６０３’が、好適実施例では提供される。バッテリ６０３’は、ＡＣ電源が利用可能なときには自動的に再充電される。
【００７６】
（８）ビューワ２６６とホーム・サブシステムの他のコンポーネントとの間の双方向のデータ・リンクを提供するオプショナルなＲＦトランシーバ６０４を、ビューワ２６６に含めることもできる。
【００７７】
（９）また、ビューワ２６６は、移動通信のためのセルラ・トランシーバ（図示せず）を含むこともありうる。
【００７８】
（１０）オプショナルな有線（付属型）キーボード２６７と無線（例えば、ＲＦ）キーボード２６８（図６ａを参照のこと）を、ビューワ２６６とともに用いて、加入者とビューワ２６６との間の通信を行うことができる。
【００７９】
（１１）スピーカ及びマイクロフォン６０８’によって、ビューワ２６６は、オーディオ信号を加入者に提供することが可能になり、また、加入者がオーディオ（音声）入力を行うことが可能になる。スピーカ及びマイクロフォン６０８’は、セルラ・トランシーバ６０８又はそれ以外の通信装置と共に用いることによって、テレフォニ及びデータの送受信が得られる。
【００８０】
（１２）オプショナルな別の通信インターフェース・デバイスにより、ビューワ２６６
が様々な通信経路を利用することが可能になる。
【００８１】
図１１のビューワ２６６は、ライブラリ接続７４４、電子カード・メモリ７４８、ＣＤ−ＲＯＭ装置７５２、及び携帯用メモリ装置７５６（図６ｂに示されている６００’など）への接続を提供するために利用可能なパーツを有する。ＰＣＭＣＩＡなど、様々な電子メモリ・カードを、このビューワ２６６と共に用いて電子書籍を供給し記憶することができる。
【００８２】
セキュリティと、低い電力消費と、優れた表示技術とが、ビューワ２６６の設計に求められている特徴である。ビューワ２６６は、軽量かつ携帯可能でなければならない。ビューワ２６６は、電子書籍を記憶し、読み、消去することを可能し、更に、書籍を注文し、それをシステム・オペレータが決めた所定の時間メモリに保持しておくという機能を含むソフトウェアであるオペレーティング・システムを含む。このソフトウェアは、ある期間（例えば、２週間）の間はその書籍を読むことが可能でその後には自動的に消去される、１回読めば消去される、又は、恒久的にメモリに保持できる、などのように構成することが可能である。各ビューワ２６６は、一意的な鍵６０５を有している。すべてのデータ・ストレージは個別のビューワ２６６のための鍵６０５を用いて暗号化され、複数のビューワ２６６が、テキスト・ファイル又は書籍ファイルにアクセスすることを防止している。
【００８３】
図１２は、ビューワ２６６の中のマイクロプロセッサ６２１によって実行されるプロセスの中のいくつかの流れ図である。ビューワ２６６は、タッチパネル式のコントロールズ７４０を介して、加入者からの入力を受け取る。そして、ステップＳ８００において、加入者の情報リクエストは、マイクロプロセッサ６２１によって処理される（８００）。
【００８４】
ステップＳ８０４では、加入者が利用可能な電子書籍のメニュをリクエストする場合に、マイクロプロセッサ６２１が電子書籍メニュを選択することになる。ステップ８０８では、マイクロプロセッサ６２１が利用可能な電子書籍をリスト化する電子ファイル（メニュにおけるトピックのカテゴリに関係する）を開き、利用可能な電子書籍の名前を備えたメニュを表示する。
【００８５】
加入者が特定の読みたい書籍を選択すると、ステップ８１２で、マイクロプロセッサ６２１がその選択を処理して、その特定の電子書籍を含む電子ファイルを決定する。ステップＳ８１６において、マイクロプロセッサ６２１はその特定の電子書籍のファイルを開き、通常はその最初のページにアクセスする。（ポインタがその書籍の電子ファイルの中に既にセットされている場合には、この処理によってデフォルトでそのページに到達する。）ステップＳ８２０において、マイクロプロセッサ６２１は、次に、どのページが表示される必要があるかを決定する。すなわちマイクロプロセッサ６２１は、次ページか、前ページか、それともブックマークされたページのどれを表示すべきかを判断する。この電子ファイルへのポインタが正しい位置にない場合には、ステップＳ８２８において、マイクロプロセッサ６２１はポインタを移動させ、記憶されているファイルからデータの前ページを取得する。そうでない場合には、ステップＳ８２４において、マイクロプロセッサ６２１は記憶されている電子ファイルからテキストの次のページを取得するのが通常である。ステップＳ８３２において、マイクロプロセッサ６２１はテキスト・データを復号化及び解凍し、そのデータをビデオ・ディスプレイに送る。ビデオ・ディスプレイは、一般に、それに関連したビデオ・ディスプレイ・メモリを有する。ステップＳ８３２において、マイクロプロセッサ６２１はデータをこのビデオ・ディスプレイ・メモリに直接に送る。次に、ディスプレイ用の回路によって、テキストのページを表示するというプロセスが完了する。
【００８６】
加入者がコントロールズ７４０を介して電源をオフにするというリクエストを（ステッ
プＳ８００から）すると、ステップＳ８３６において、マイクロプロセッサ６２１は電源オフを開始する。ステップＳ８４０において、マイクロプロセッサ６２１はビューワ２６６が現に読んでいるその書籍におけるページ数へのポインタをメモリにセーブする。ステップＳ８４４において、マイクロプロセッサ６２１はすべての電子ファイルを閉じ、電源回路にビューワ２６６の様々な回路への電力供給を遮断するように信号を送る。これらの基本プロセスの例と共に、ビューワ２６６は、書籍の選択を表示し、それらの書籍からのテキストを表示することができる。
【００８７】
ｄ．メニュ・システム
図１３を参照すると、配送システム２００は、この配送システム２００から機能及び電子書籍を選択するメニュ・システムを有している。メニュ・システム８５１に要求されるオペレーティング・ソフトウェアとメモリとは、ビューワ２６６に配置されている（例えば、命令メモリ７３２及び／又は書籍メモリ７２８）。しかし、ライブラリ・ユニット２６２（例えば、命令メモリ６３２）に配置されてもよいし、ライブラリ・ユニット２６２とビューワ２６６とがメニュ・システム８５１の動作に必要なソフトウェア及びメモリを共有することもできる。メニュはビューワ２６６上に表示されるのが通常であり、ビューワ２６６はライブラリ２６２が存在しない場合でも動作が可能であることから、メニュを作成するための基本ソフトウェア及びメモリは、ビューワ２６６に配置されている方が便利である。
【００８８】
メニュ・システム８５１は、複数のメニュの間でのシーケンシングを可能とし、ビューワ２６６のＬＣＤディスプレイ６０２の上などでのグラフィカル表示のためのメニュ・グラフィクスを提供する。セットトップ・コンバータを用いる電子書籍システムでは、これらのメニュは、テレビジョン・スクリーン上にも表示できる。コンピュータを用いる電子書籍システムでは、これらメニュはコンピュータのモニタ上にも表示できる。ある実施例では、メニュは、加入者がそこから選択ができる基本的なテキスト情報だけを提供する。他の実施例では、メニュは、加入者を補助するためのグラフィクス及びアイコンをともなう視覚的な表示を提供し、加入者の相互作用、電子書籍又は加入者に対して利用可能な他のコンテンツのリアルタイム注文を可能とする。
【００８９】
図１３には、シーケンシングを備えたメニュ・システム８５１が示されている。このシステムにおける基本メニュは、導入メニュ８５０と、メイン・メニュ８５４と、複数のサブメニュ８５８とである。示されている実施例では、３つのレベルのサブメニュが存在する。場合によっては、加入者を選択又はリクエストされた情報に容易に導くのに、１又は２のサブメニュ８５８で十分な場合がある。しかし、３つ以上のサブメニュ８５８があれば加入者にとってより使いやすいユーザ・インターフェースが得られるような機能も存在する。サブメニュ８５８の各レベルは、表示のための様々なメニュによって構成されうる。表示される特定のメニュは、先に示されているメニュに関する加入者による選択に依存する。１つないし多くのメニュのこのツリー・シーケンスの例は、ヘルプ・サブメニュ８８７及び８８８である。リクエストされた特定のヘルプに応じて、加入者に、異なるレベルの２つのヘルプ・メニュが表示される。
【００９０】
導入メニュ８５０の例が、図１４ａに示されている。一般に、導入メニュ８５０は、ビューワ２６６をシステムに導き、初期ガイダンス、告知（アナウンスメント）及び命令を提供する。導入メニュ８５０の次には、メイン・メニュ８５４が続くが、その例は図１４ｂに示されている。メイン・メニュは、ビューワ２６６に、このシステムにおいて利用可能な基本的な選択又は機能を提供する。図１４ｂは、メイン・メニュ８５４が多くの追加的な機能及びサブメニュ８５８を加入者に提供している例である。例えば、図１４ｂには、ビューワ２６６が、ポイント・アンド・クリック法によって、以下の例を含む複数のオプションを選べることが示されている。すなわち、（１）無料（フリー）プレビュー、（
２）注文できる書籍、（３）あなたのライブラリの書籍、（４）あなたの現在の書籍、（５）ヘルプ、（６）オンライン・サービス、そして（７）それ以外のシステム機能、である。メイン・メニュ８５４での選択の後には、対応するサブメニュ８５８が示される。
【００９１】
図１３には、１４の利用可能な基本的なすなわち第１レベルのサブメニュが示されている。それらは、（１）口座設定８６２、（２）無料のプレビュー８６６、（３）書籍推薦エントリ８５５、（４）あなたのライブラリの書籍８７２、（５）あなたが注文できる書籍８７８、（６）あなたの現在の書籍８８４、（７）ヘルプ８８７、（８）利用可能な機能８９０、（９）メッセージ８９３、（１０）口座情報８９６、（１１）出ていく（ｏｕｔｇｏｉｎｇ）メッセージのサブメニュ８９８、（１２）リンク表示サブメニュ９７０、（１３）リンクの作成サブメニュ９８０、および（１４）対話型ファイル表示サブメニュ９９０である。図１４ｃは、あなたのライブラリの書籍８７２という第１レベルのサブメニュの例である。この「あなたのライブラリの書籍」という例示的なサブメニュ８７２は、タイトルと著者別の６冊の利用可能な書籍を示しており、加入者が、異なる書棚８７４をチェックしたり、メイン・メニュ８５４に戻るための能力を提供している。図１４ｄ及び図１４ｅは、「あなたが注文できる書籍」サブメニュ８７８を用いて注文できる電子書籍のための例示のサブメニュ８７８を示している。
【００９２】
図１４ｆは、注文選択及び確認メニュ８８０’の例であり、電子書籍の注文をするのに加入者が用い、その加入者の注文を確認するための「ソフト・キーボード」９７５を提供している。この特定の例では、加入者は、その注文を完了するのにＰＩＮ番号を入力することを求められる。「ソフト・キーボード」９７５は、完全な英数字キーボードとして構成でき、また、加入者が書籍の注文に関係する追加的な情報を追加するのにも用いることができる。英数字又はそれと類似のパスワードを用いて、その加入者が承認されている加入者であることが確認される。ある実施例では、加入者は、ＰＩＮ又はパスワードを用いて注文を確認し、最終的な確認スクリーンを受け取る。最終的な確認スクリーンは、基本的にはテキストであり、次のように（又は、類似の内容が）書かれている。
【００９３】
『あなたの書籍注文はＣＡＢＬＥを介して処理されています。
【００９４】
あなたの書籍は翌日までに配送され、あなたのＶＩＳＡの口座に２ドル９５セントの請求がなされます。
【００９５】
あなたの書籍は、あしたの東部標準時間で午前６時から読むことができます。次の点にご注意下さい。
【００９６】
１．あなたのライブラリ・ユニット及びケーブル接続ユニットが、今夜、アンテナを立てた状態でプラグ・インに差し込まれていること。そして、
２．あなたのケーブル・コンバータを「ＴＨＥ  ＢＯＯＫ」チャネルにチューニングすること。ＴＶセットは、オンである必要はありません。』
「口座設定メニュ」８６２と口座の設定に関係する更なるサブメニュ８５８（指示と口座入力８６４とを与える）との例が、図１４ｇ及び図１４ｈに示されている。これらのサブメニュ８５８は、オペレーション・センタ２５０における口座の初期化や注文してクレジット・カードに課金することが可能とする。サブメニュ８５８には、あなたが希望するＰＩＮ番号又はパスワード、クレジットカード、及び電話番号などに関係するデータを入力できる能力が含まれている。ある実施例において、アカウント設定は電話システムを使用して実行される。確認メニュは、所望のＰＩＮ又はパスワードとクレジット・カードとを用いて口座（勘定）が適切に設定されたことを検証する。しかし、追加の設定方法をセクションＶＩＩにおいて述べる。
【００９７】
書籍の無料プレビュー８６６も、サブメニュ（８６８及び８７０）によって提供される。無料プレビュー・メニュの例は、図１４ｉ及び図１４ｊに示されている。図１４ｉは、見るためにプレビューができる様々な電子書籍を表示しているメニュを示している。電子書籍の選択に続いて、選択された書籍の表紙からの抜粋を示すスクリーン・サブメニュが、その選択された書籍に関する批評家の書評からの抜粋と共に提供される。ある実施例では、特定の書籍に対するこのプレビュー・スクリーンによって、加入者はまた、著者に関する情報を与えてくれるサブメニュを選択することができる。この書籍プレビュー・サブメニュには、書籍の表紙やその書籍のシーンが表現された静止ビデオ画像やグラフィクスも含まれる。そのような静止ビデオ画像又はグラフィクスの例が図１４ｊに示されており、そこには、著者に関するプレビュー・スクリーン８７０が示されている。著者のプレビュー・スクリーン８７０では、著者の写真が示され、短い伝記が与えられ、加入者がその著者の書籍を注文できるようになっている。その著者の様々な電子書籍を注文する価格も、メニュ上に示すことができる。
【００９８】
無料プレビューに加えて、より高度な実施例では、配送システム２００は、加入者に、電子書籍推薦機能（８５５を参照）を提供する。これは、メニュ・システム８５１と、ビューワ２６６、ライブラリ・ユニット２６２又は配布点（１０２０又は２５０）に位置する関連のメモリを備えているプロセッサとを用いて達成される。必要なときに、プログラム推薦機能のための情報が、複合又はビデオ信号のテキスト・データとしてホーム・サブシステム２５８に送られる。この機能によると、書籍又は著者が、その加入者の先の注文に関する履歴データ、人口学的データ又は傾向、それ以外のインジケータ、及び／又はテキスト・ワード・サーチに基づいて、加入者に提案される。
【００９９】
書籍推薦に関する実施例では、プレビュー情報（本の表紙の説明、批評家の書評、著者の伝記など）、及び／又は、書籍のテキスト又はそれ以外のタイトルのテキスト・ワード・サーチが、ライブラリ・ユニット２６２によって、ライブラリ・メモリ６００に記憶されているデータベースを用いて、実行される。個別化された書籍又は著者の推薦は、その加入者の興味を示す加入者から得られた情報を得ることによって、加入者に対してなされる。加入者からのエントリは、好ましくは、電子書籍推薦エントリ・サブメニュ８５５を用いて整理される。このシステムは、これらの加入者からのエントリを直接又は間接に用いて、加入者に推薦すべき書籍又は著者をサーチする。
【０１００】
一般的には、書籍推薦方法は、２つのカテゴリに分けられる。すなわち、応答性（ｒｅｓｐｏｎｓｉｖｅ）の方法と、インテリジェントな方法（データを分析して電子書籍を推薦する）とである。応答的又はインテリジェントな方法を用いて、配送システム２００は、推薦されるタイトル又は著者のリストを決定し、第２又は第３のレベルのサブメニュ８５６及び８５７を作成し、それらのタイトルを加入者が選択するように提案する。
【０１０１】
タイトルを提案する応答性の方法には、例えば、傾向（ムード）に関する質問の利用、著者のサーチ、キーワード・サーチが含まれる。ビューワ２６６の命令メモリ７３２とメニュ発生ハードウェア（例えば、６０７）とを用いて、一連の傾向に関する質問をメニュ上に与え、特定の時期における加入者の興味を判断することができる。この方法では、オペレーション・センタ２５０のプロセッサ４０４と命令メモリ４１６とは、それぞれのタイトルに、軽い、深刻、乱暴、短い、長い、退屈、わくわくさせる、複雑、読みやすい、若者向けのテーマ、老人向けテーマ、冒険、ロマンス、ドラマ、フィクション、サイエンス・フィクションなどのグループの中から、傾向インジケータ（及び、サブインジケータ）を割り当てる。これらのインジケータは、テキスト・データと共にホーム・サブシステム２５８に送られ、ライブラリ・メモリ６００に記憶される。加入者のエントリに基づいて、プロセッサ４０４は、インジケータの組を加入者のリクエストを関連付け、インジケータが一致する電子書籍の組を見つけて、加入者に提案する。
【０１０２】
著者又はキーワード（加入者から提供されたサーチ・ワード）の応答性サーチは、一般的にライブラリ・メモリ６００に記憶されているデータに関して、ライブラリ・プロセッサ６２８と命令メモリ６３２とによって実行される。例えば、加入者によって与えられたキーワードを、書評、批評家、及びプレビュー・データベースを記憶しているライブラリ・メモリ６００において一致を求めてサーチすることができる。このようにして、加入者が適切なサブメニュ上で「潜水艦」という語のエントリを提供している場合には、マイクロプロセッサ６２８は、命令メモリ６３２の中のルーチンからの命令を用いて、「レッド・オクトーバをさがせ」（“Ｈｕｎｔ  ｆｏｒ  Ｒｅｄ  Ｏｃｔｏｂｅｒ”）というタイトルを配置することができる。
【０１０３】
プログラムを提案するインテリジェントな方法には、加入者に関する個人的プロフィール・データ、及び／又は、その加入者が以前に注文した書籍（又は、購入データ）など加入者に関する履歴データを分析することが含まれる。この方法は、書籍オンデマンド・システムでは好ましく、メモリ４２８に記憶されている加入者データベースを用いてオンサイト・プロセッサ４０４によって配布点又はオペレーション・センタ２５０で実行することができる。ホーム・サブシステム２５８は、配布点やオペレーション・センタ２５０からのプログラム提案情報を含むテキスト・データを受け取り、同じテキスト・データの受信２１２と上述したビューワのメニュ発生ハードウェア（例えば、６０７、６２１）とを用いて、プログラム提案サブメニュ８５５及び８５６を発生する。命令メモリ（例えば、６３２、７３２）に記憶されているソフトウェア・ルーチン及びアルゴリズムは、履歴データと書籍注文データとを分析して当該加入者に提案する書籍の線を決定するのに用いられる。
【０１０４】
書籍や著者を加入者に推薦するというこの強力な機能のためのアルゴリズムは、１９９３年１２月２日付けの米国特許第５，７９８，７８５号である“Ｔｅｒｍｉｎａｌ  ｆｏｒ  Ｓｕｇｇｅｓｔｉｎｇ  Ｐｒｏｇｒａｍｓ  Ｏｆｆｅｒｅｄ  ｏｎ  ａ  Ｔｅｌｅｖｉｓｉｏｎ  Ｐｒｏｇｒａｍ  Ｄｅｌｉｖｅｒｙ  Ｓｙｓｔｅｍ”に詳細に開示されている。この米国特許は、本出願において援用する。
【０１０５】
図１３を参照すると、「あなたのライブラリの書籍」というサブメニュ８７２の上に複数のサブメニュ８５８が示されて、好ましくは、各本棚８７４及び８７６に対するサブメニュを備えた書棚番号に分割されている。「あなたが注文できる書籍」というサブメニュ８５８の上のサブメニュも、同じように、書棚８８０及び８８２によってサブメニュに分割されている。これらの書棚は、それぞれが、書籍のカテゴリ又はジャンルでありうる。電子書籍は、ベストセラー、小説、フィクション、ロマンスなどのカテゴリにグループ分けすることができる。図１４ｄを参照のこと。
【０１０６】
図１３を参照すると、「あなたの現在の書籍」８８４というサブメニュ８５８によって、加入者は、現在の書籍８８４を選択することができ、次にどのページを読むのかを決めることができる。この選択は、レベル２のサブメニュ８８５を用いて確認することができる。ヘルプ・サブメニュ８８７は、加入者に、追加的なヘルプ・スクリーン８８８を提供することができる。利用可能な機能８９０に対するサブメニュ８５８は、それぞれの機能８９１及び８９２に対する別個のサブメニュのシーケンスに分割することができる。
【０１０７】
図１３を参照すると、この配送システム２００を用いて、メッセージを送ることもできる。レベル１のメッセージ・スクリーンは、加入者に、その加入者が有している様々なメッセージ８９３の中から選択することを可能にしている。次に、各メッセージが、別個のサブメニュ・スクリーン８９４及び８９５の上に示される。メッセージには、テキストとグラフィクスとを含めることができる。
【０１０８】
図１３を参照すると、口座情報が、レベル１のサブメニュ８９６の上に示されており、それに続くサブメニュ８５８には、最近の注文とあなたの口座の差引勘定８９７とが示されている。入力スクリーン８９９として用いられる続きのサブメニュを有する出ていくメッセージ８９８に対するレベル１のサブメニュも存在している。
【０１０９】
図１３と図１４ａないし図１４ｊとに示されている特定の機能及びサブメニュに加えて、これ以外の多くの変形例や機能が可能である。書籍が最終的に読むために選択されると、タイトル・ページ８８６がスクリーン上に現れ、次にテキストのページが続く。
【０１１０】
ＩＩＩ．課金及び集金システム
課金及び集金システム２７８（図２及び図３に示されている）は、電子商取引と電話交換における最新技術を用い、注文をトラッキングし、配送を認証し、消費者に課金して、出版社に自動的に代金を払い込む。電話コネクタ２７０によって開始された電話コールは課金及び集金システム２７８によって受信され、このシステムは、注文を受けて消費者のクレジット・カード口座に請求することによって、人間の介入なしに直ちにこれに応答する。データは周期的にコンパイルされ、出版社２８２は書籍の売り上げに応じて代金を受け取る。この課金及び集金システム２７８は、また、双方向のケーブル接続、セルラ又はそれ以外の通信手段を介して加入者と接続することもできる。
【０１１１】
課金及び集金システム２７８は、オペレーション・センタ２５０と通信して入手可能な書籍に関する変更をトラッキングし、オペレーション・センタ２５０に統計データを提供することが好ましい。
【０１１２】
ＩＶ．公共図書館、学校及び書店システム
本発明による電子書籍システムは、公共図書館、学校及び書店で用いられるように修正することが可能である。図１５は、公共図書館、学校又は書店の位置に対するコンポーネントの可能性のある構成を示している。公共図書館、学校又は図書館におけるメイン・ユニットは、ファイル・サーバ９００である。ファイル・サーバ９００は、数千冊の書籍を記憶することができる大型の電子メモリ・ユニットである。ファイル・サーバには、ハードディスク、読み取り書き込み型のＣＤ−ＲＯＭ、読み取り専用のＣＤ−ＲＯＭなど、様々な電子記憶手段を用いることができる。
【０１１３】
このシステムは、５つのコンポーネントで構成されている。すなわち、コンバータ又はビデオ・コネクタ９０４と、コントローラ９０８と、ビューワ９１２と、カタログ・プリンタ９１６と、である。システムを制御するソフトウェアは、基本的に、コントローラ９０８に配置されている。コンバータ又はビデオ・コネクタ９０４は、上述したものと類似している。この構成では、コントローラ・ユニット９０８は、コンバータ９０４によってファイル・サーバ９００に転送されつつあるデータをモニタする。コントローラ９０８には、好ましくは、見るためのスクリーンと複数の制御ボタンとが備わっている。システムのより高度な制御を実行するためにより大きなスクリーンを有することが必要である場合には、ビューワ２６６をコントローラ９０８に接続して、ビューワ・スクリーンとコントロールズ（操作装置）７４０とを用いることができる。
【０１１４】
セキュリティ上の理由から、コントローラ９０８は、特定のファイル・サーバ９００から書籍を受け取ることを承認された公共的なビューワ９１２にだけ書籍をダウンロードすることができる。セキュリティ上の理由で、公共的なビューワ９１２が複数のファイル・サーバ９００にアクセスすることは好ましくない。このようにして、書籍のテキスト・データに関するセキュリティを維持することができる。公共的なビューワ９１２は、コントローラ９０８から一度に１冊又は２冊の書籍を受信できるというように制限することがで
きる。公共的なビューワ９１２のユーザは、新たな又は追加的な書籍を必要とするときには、ビューワ９１２を学校又は図書館に返還し、そこでコントローラ９０８から新たな書籍を受け取ることができる。
【０１１５】
ファイル・サーバ９００で利用可能な書籍をトラッキングするために、利用可能な書籍のタイトルをカタログ・プリンタ９１６で印刷することが可能である。カタログ・プリンタ９１６はライブラリ・コントローラ９０８に接続されており、書籍のタイトルはカタログ・プリンタ９１６にダウンロードされる。どの書籍のコーディングされたテキストも、このシステムのコントローラ９０８とカタログ・プリンタ９１６とを用いて印刷することはできない。データに関するセキュリティを維持するためには、どのような書籍データも、プリンタ９１６にダウンロードすることは許されていない。利用可能な電子書籍タイトル、雑誌又はそれ以外のテキスト・マテリアルの完全なプリントアウトが完了すると、カタログ９２０のハードコピーを、ファイル・サーバ９００に維持しておくことが可能である。
【０１１６】
示されているシステムは、書店で用いることもできる。書店は、公共的なビューワ９１２を顧客に賃貸して、１冊又は２冊の書籍のテキストをその公共的なビューワ９１２にロードすることができる。公共的なビューワ９１２には、自動タイムアウト・シーケンスを備えておくことができる。このタイムアウト・シーケンスは、例えば２週間程度のある期間が経過すると、書籍のテキスト・データを消去してしまう。２週間程度の期間が経過した時点でこの借りている者は公共ビューワ９１２を書店に返却し、読むための追加的な書籍を受け取ることが期待されている。このような構成を用いると、書店が常連客にビューワ９１２を（恒久的に）販売することも可能である。その場合には、常連客は、ときどき書店に立ち寄って書籍のテキスト・データを受け取り、それを彼自身のビューワ９１２上に恒久的に記憶できるのである。書店、学校及び図書館については、上述のファイル・サーバ９００とビューワ９１２とを用いるこれ以外の様々な構成も可能である。
【０１１７】
Ｖ．セットトップ・コンバータの使用
サイエンティフィック・アトランタ（Ｓｃｉｅｎｔｉｆｉｃ  Ａｔｌａｎｔａ）社やゼネラル・インスツルメンツ（Ｇｅｎｅｒａｌ  Ｉｎｓｔｒｕｍｅｎｔｓ）社によって作られているような既存のセットトップ・コンバータ・ボックスは、現時点では、本発明の書籍選択システムを扱えるようにはなっていない。ライブラリ機能を含むセットトップ・コンバータを作ることはできるのはあるが、既存のセットトップ・コンバータ技術と共に本発明の書籍選択システムを用いるためには、ハードウェアの修正が必要である。
【０１１８】
図１６ａ及び図１６ｂは、ハードウェアの修正又はアップグレードの例である。ポートを用いて、後述するハードウェア・アップグレードをセットトップ端末に取り付けている。セットトップ・コンバータ６０１に対して、電子書籍を受け取り選択することの補助するために２つのアップグレード、メニュ発生カードのアップグレード（図１６ａ）と情報ダウンロード・ユニット（図１６ｂ）と、が可能である。これらのアップグレードは、それぞれ、アップグレード・ポートを介してセットトップ端末ユニットに接続することができる。４ワイヤ・ケーブル、リボン・ケーブル、ＦｉｒｅＷｉｒｅ（ＩＥＥＥ１３９４Ｂ）インターフェース・コネクタ、ＵＳＢコネクタ、又は類似のものを用いて、アップグレードをセットトップ・コンバータ６０１に接続することができる。
【０１１９】
セットトップ・コンバータ６０１へのカードの追加９５０は、図１６ａに示されている。示されているカード９５０は、既存のセットトップ・コンバータ６０１技術を備えた書籍選択システムを用いるのに必要な追加的機能を提供する。カード９５０は、セットトップ端末のフレームの内側に差し込まれ、セットトップ端末の一部、進歩型のセットトップ端末になるように構成することができる。カード９５０がセットトップ・コンバータ６０
１に追加する基本的な機能は、データ信号の解釈、メニュの発生、メニュのシーケンシング、そして、究極的なものとして、テレビジョン又はビューワ９１２のいずれかを用いて加入者が書籍を選択する能力である。更に、カード９５０は、ケーブル・ヘッドエンドなどの遠隔位置が注文された書籍に関する情報を受け取る方法を提供する。書籍注文情報と制御コマンドとは、ケーブル・ヘッドエンドからカード９５０まで電話回線又はセクションＶＩＩで述べる代替の注文方法を用いて渡すことができる。
【０１２０】
カード９５０の基本コンポーネントは、ＰＣチップＣＰＵ９５２と、ＶＧＡグラフィクス・コントローラ９５４と、ビデオ・コンバイナ９５６と、論理回路９５８と、ＮＴＳＣエンコーダ９６０と、受信機９６２と、復調器（図示せず）と、ダイアラで構成されるコネクタ６１１’とである。カード９５０は、同軸ケーブルを介してケーブル・ヘッドエンドからデータ・テキスト信号を受け取ることによって動作する。カード９５０の論理回路９５８は、セットトップ・コンバータ６０１から、データ９６４と、赤外線コマンド９６６と、同期信号（図示せず）とを受け取る。リモコン上のビューワ２６６によってなされるメニュの選択は、セットトップ・コンバータ６０１のＩＲ装置によって受信され、カード９５０に渡される。カード９５０は、ＩＲ信号を解釈し、加入者が選択した書籍（又はメニュ）を決定する。カード９５０は、ＩＲコマンドを修正して、情報をセットトップ・コンバータ６０１に送る。修正されたＩＲコマンドは、セットトップ・コンバータ６０１が必要とするチャネル情報を含む。電話回線９６８とダイアラ６１１’とを用いると、カード９５０は、電子書籍注文情報をケーブル・ヘッドエンドに送ることができる。また、電話回線又はワイヤレス・ネットワークを含む他の通信ネットワークを介して電子書籍を受信し、ビデオ分配システムをバイパスすることも可能である。
【０１２１】
これらのコマンドは、セットトップ端末のマイクロプロセッサをハードウェア・アップグレードのマイクロプロセッサとリンクするインターフェースを介して送ることができる。このようにして、加入者の入力は、セットトップ端末のキーパッド又はリモコンを介して入力されるのであるが、任意のハードウェア・アップグレードに処理のために転送されることができ、そこで発生された応答は、表示のためにセットトップ端末に返送されることが可能になる。好適実施例では、ＩＲコマンド９６６は、セットトップ端末６０１からハードウェア・アップグレードに転送される。
【０１２２】
ハードウェア・アップグレードは、マイクロプロセッサと、対話型ソフトウェアと、処理回路と、バブル・メモリと、長期メモリ・デバイスとを含む。これらの基本コンポーネントに加えて、ハードウェア・アップグレードは、追加的な電話モデム又はＣＤ−ＲＯＭデバイスを利用することもある。
【０１２３】
情報ダウンロード・ハードウェア・アップグレード１００１（図１６ｂ）により、加入者は、セットトップ・コンバータ６０１を用いて、大量の情報を、オペレーション・センタ又はケーブル・ヘッドエンドからダウンロードすることが可能になる。ハードウェア・アップグレード１００１は、加入者が、書籍や雑誌などのデータをローカルなストレージにダウンロードすることを可能にする。基本的には、ハードウェア・アップグレード１００１は、追加的なローカル・ストレージ・ユニット（例えば、ハードディスク、フロッピ、光ディスク又は磁気カートリッジであり、図１６ｂに示されているように、マイクロプロセッサ１００５、命令メモリ１００７、そしてＲＡＭを含む場合もある）である。好ましくは、小型の携帯用ビューワ２６６にもアップグレード１００１が提供され、ＴＶを用いなくともダウンロードしたテキストを読むことを可能となる。
【０１２４】
ダウンロード可能な情報は、オペレーション・センタ２５０又はケーブル・ヘッドエンドによって供給されるテキストやグラフィクスである。このアップグレードを用いると、書籍をダウンロードして、携帯型リーダ２６６を用いれば、どこででも読むことができる
。このアップグレードを用いると、書籍をダウンロードして、圧縮形式で記憶し、後で解凍することもできる。書籍は、見るときにだけ解凍する。公衆が直ちにアクセスすることを希望するような重要なテキストは、このシステムを用いれば利用可能になる。大統領のスピーチ、新たな法律、最高裁によってなされた最新の堕胎に関する判断などを、直ちに入手可能とすることができる。
【０１２５】
ある実施例では、書籍注文情報は、ポーリング・リクエスト・メッセージ・フォーマットを用いてケーブル・ヘッドエンドによってポーリングされるまで、それぞれのセットトップ端末に記憶される。ポーリング・リクエスト・メッセージ・フォーマットの例は、６つのフィールドで構成される。すなわち、（１）メッセージの開始における立上りフラグ、（２）アドレス・フィールド、（３）加入者領域指定、（４）ポーリング・コマンド／応答（すなわち、Ｐ／Ｆ）ビットを含むセットトップ端末の識別子、（５）情報フィールド、そして、（６）メッセージの最後の立下りフラグである。ポーリング・リクエストに応答してセットトップ端末によってケーブル・ヘッドエンドまで通信される情報に対する同様の応答フレーム・フォーマットも用いることができる。
【０１２６】
図１７には、データ受信機６１７’とデータ送信機１０１１とを含む好ましいセットトップ端末が示されている。データ送信機は、セットトップ端末６０１とケーブル・ヘッドエンドとの間の登り（アップストリーム）のデータ通信能力を提供する。アップストリーム・データ伝送は、上述したポーリング・システムを用いて、そして更に、データ送信機１０１１を用いて達成される。受信機６１７’と送信機１０１１との両方を、セットトップ端末６０１自体に組み入れることもできるし、又は、アップグレード・モジュールを介して追加することもできる。特定のハードウェア構成とは関係なく、セットトップ端末のデータ伝送能力は、図１７に示されているハードウェアを用いて達成されうる。
【０１２７】
図１７には、データ受信機６１７’とチューナとが共同して機能することによって受信されるＲＦ信号が示されている。これらの装置は、共に、マイクロプロセッサ１０１３とのインターフェースを有し、このマイクロプロセッサ１０１３は、セットトップ端末のキーパッド、リモコン又はビューワ９１２のいずれかを介して、加入者から入力１０１５を受け取る。加入者のＴＶで受信されることが意図されているすべてのケーブル信号は、チューナ６１３によってアクセスされ、その後で、処理回路１０１７によって処理される。この処理回路１０１７は、典型的には、スクランブル解除、復調、ボリューム制御、そして、チャネル３又は４のＴＶキャリア上への再変調のための追加的コンポーネント（図示せず）を含む。
【０１２８】
個々のセットトップ端末に向けられたデータは、各セットトップ端末の特定のアドレス又はＩＤに従って、データ受信機６１７’によって受信される。このようにして、それぞれのアドレス指定可能なセットトップ・コンバータは、それ自身のデータだけを受信する。データ受信機６１７’は、セットトップ・コンバータ６０１に特有のデータを、既に述べた信号フレームの情報フィールドにおいて、又は、入来スペクトルにおける適宜の周波数に配置された別個のデータ・キャリアの上で受信する。
【０１２９】
受信されたどのデータも、書籍に関する情報と、選択のために利用可能なメニュとを含む。加入者は、キーパッド又はリモコンを用いて一連のコマンド１０１５を入力し、チャネル又はプログラムを選ぶ。そのようなコマンドを受け取ると、マイクロプロセッサ１０１３は、チューナに、データを搬送しているチャネルの適切な周波数に同調するように命令し、次に、処理回路１０１７にこのデータのスクランブル解除を開始するように命令する。
【０１３０】
書籍を選択すると、マイクロプロセッサ１０１３は、ローカル・メモリ（図示せず）に
すべての選択情報を記憶し、後で、ケーブル・ヘッドエンドに向けてデータを返送する。マイクロプロセッサ１０１３は、すべてのＣＡＴＶ信号受信を調整し、更に、様々なアップストリーム・データ伝送コンポーネントと相互作用する。典型的には、データ送信機１０１１は、５から３０ＭＨＺの帰還周波数帯域で動作する。別の実施例では、１０から１５ＭＨＺの周波数帯域が用いられる。しかし、用いられる周波数帯域とは関係なく、データ送信機１０１１は、情報を、既に述べた応答フレームの情報フィールドにおけるケーブル・ヘッドエンドに送る。当業者であれば、多数の変形例を考慮することが可能であり、上述したセットトップ端末のハードウェア・コンポーネントの組合せを用いて、アップストリームのデータ伝送を達成することができる。
【０１３１】
ＶＩ．書籍オンデマンド・システム（Ｂｏｏｋ−Ｏｎ−Ｄｅｍａｎｄ  Ｓｙｓｔｅｍ）
この出願で説明している電子書籍システム２００は、書籍オンデマンド・スタイルに構成することもできる。図１８ａは、書籍オンデマンド・システムのための構成の一例を示している。書籍オンデマンド・システムは、消費者の家庭、書店、学校、又は公共図書館と、オペレーション・センタ２５０又はケーブル・ヘッドエンドなどの配布サイト１０２０のいずれかとの間に、より強力な双方向の通信を必要とする。ある実施形態において、このタイプの双方向通信は、図１７に示されてており上述したハードウェアによって提供されうる。別の通信経路に関係する追加的な方法は、セクションＶＩＩにおいて述べる。
【０１３２】
図１８ａを参照すると、書籍オンデマンド・システムでは、加入者は、書籍に関する入手可能なメニュからダウンロードする書籍を選択する。入手可能なメニュは、通常、配布サイト１０２０によって加入者の位置まで送られる。彼が選択した後で、彼の選択（又はリクエスト）に関する情報は、配布点１０２０（ケーブル・ヘッドエンドなど）又はオペレーション・センタのいずれかに通信される。このリクエストを受け取ると、書籍のために必要とされるテキスト及びグラフィクス情報は、スプールされ、加入者に送られる。このようにして、書籍は、加入者からのリクエストがあったときにだけ送られ、かつ、書籍（又は、テキスト）に対する要求があると直ちに送られる。
【０１３３】
このようなデマンド・システムをサポートするためには、テキストの搬送及び配布は、ビデオ・オンデマンド・ケーブルや電話テレビジョン・システム等の強力なノード・アーキテクチャ（ｎｏｄａｌ  ａｒｃｈｉｔｅｃｔｕｒｅ）の配布システム上で、公共電話システム又はセルラー電話システム上で個別の電話呼の使用を通じて、インターネットの使用を通じて、又は複数の他のデータ・ネットワーク・オプションで、なされなければならない。
【０１３４】
書籍オンデマンド・システムによると、加入者にとっては書籍のより強力な選択が可能になり、不要である又は不必要な書籍データの通信量を制限することができる。また、電子書籍を加入者にはるかに迅速に提供する。
【０１３５】
より強力な配布システムに加えて、書籍オンデマンド・システムは、配布点１０２０が、テキスト情報をスプールアウトするためのより高度な装置を備えていることを要求する。これは、書籍を記憶するファイル・サーバ技術１０２４、又は、テキスト情報を配布する電話タイプのスイッチング（図示せず）を用いると、達成できる。このような書籍オンデマンド・システムを構成するのに用いることができるファイル・サーバ１０２４と配布技術とは、既に引用した米国特許第５，２６２，８７５号及び第５，２１８，６９５号とに記載されている。
【０１３６】
図１８ａは、ファイル・サーバ技術を用いる書籍オンデマンド・システムの実施例を示している。電子書籍に加えて、図１８ａの実施例は、ほとんどどのようなデジタル・デー
タの配布でもサポートしている。電子書籍又はテキスト・ファイルは、出版社２８２及びそれ以外のソースから、ローカル・フィード１０３２やＡＴＭ１０２８を通じて、又は、衛星ディッシュ１０３６によって受信される。好ましくは、配布点１０２０は、加入者からのリクエストを受け取りテキストを双方向の通信システム（ビデオ・オンデマンド（ＶＯＤ）１０４４など）を介して配送するケーブル・ヘッドエンドである。
【０１３７】
ライブラリ・ユニット２６２は、基本的なプレミアム・タイプのサービス・ケーブル・システム１０４８、ニア・ビデオ・オンデマンド・タイプのケーブル・システム（又は、ペイパービュー（ＰＰＶ）１０５２）、又は、ビデオ・オンデマンド・ケーブル・システム１０４４のいずれかに接続することができる。これら３つのシステムのいずれかと接続する際には、ライブラリ２６２は、ケーブルに直接にアクセスすることができるし、又は、セットトップ端末６０１’、６０１’’、６０１’’’を介してシステムにアクセスすることもできる。
【０１３８】
双方向のビデオ・オンデマンド・システム１０４４を用いると、加入者は、特定の書籍タイトルをリクエストすると、リクエストの直後にそのテキストを受け取ることができる。これを達成するには、配布点１０２０が、入手可能な書籍のリストをケーブル配送システムを介して、ライブラリ・ユニット２６２まで伝送する。ライブラリ・ユニット２６２は、入手可能な書籍のリストをメニュ又は類似のフォーマット上に表示する。先に述べたように、ライブラリ・ユニット２６２は入手可能な書籍のカテゴリをリスト化し配布点１０２０からのリクエストを形成するメニュを用いるのが好ましい。電子書籍を選択した後では、ライブラリ・ユニット２６２は、リクエスト信号を双方向の通信システム１０４４上を配布点１０２０まで送る。このリクエスト信号は、２つの方法で処理することができる。ライブラリ・ユニット２６２がリクエストを始動するか、又は、配布点１０２０が様々なライブラリを双方向システム１０４４上へポーリングするかのいずれかである。書籍タイトルに対するリクエストを受け取ると、その書籍タイトルと関連するテキストは、双方向のケーブル・システム１０４４を用いて伝送される。
【０１３９】
図１８ｂは、地域的な又は全国的な書籍オンデマンド・システムをサポートするオペレーション・センタ２５０の拡大図である。実際、示されているオペレーション・センタ２５０は、ほとんどすべての任意のデジタル・データの配布をサポートしている。オペレーション・センタ２５０は、テープ１０６０、１０６０’、ＡＴＭ１０２８又は衛星１０３６によってデジタル情報を受け取る複数のフィードをサポートしている。情報は、入力ＭＵＸ１０６４と小型のファイル・サーバ１０６８とを介して処理された後で、マスタ・ファイル・サーバ１０７２に到達する。出版社２８２から受け取った書籍などのデジタル・データは、マスタ・ファイル・サーバ１０７２に記憶される。デジタル・データは、ＭＰＥＧ２などの標準的なフォーマットで圧縮されて記憶されるのが好ましい。
【０１４０】
システム・コントローラ１０７６は、地域的又は全国的な書籍オンデマンド・システムに対する制御を行う。電子書籍はグループごとにパッケージングがなされ、様々なケーブル・ヘッドエンドへのフィードを提供する。更に、スケジューリングやマーケット・リサーチがオペレーション・センタ２５０で行われる。スケジューリングやマーケット・リサーチを処理するためには、電子書籍購入データが、マルチプレクサ１０８２を介してオペレーション・センタ２５０で受信される。電子書籍購入情報は、オペレーション・センタ２５０から課金及び集金サブシステムに提供することができる。
【０１４１】
オペレーション・センタ２５０は、また、ファイル・サーバにメッセージや広告を挿入する機能も有している。これらのメッセージや広告は、最終的には、加入者によって受け取られる。
【０１４２】
マスタ・ファイル・サーバ１０７２は、出力マルチプレクサ１０８０とＡＴＭ１０２８とを、デジタル・データを配布するための衛星接続点に加えて、用いる。好適実施例では、ケーブル・ヘッドエンドは、書籍に関するテキスト・データを、出力マルチプレクサ１０２８とＡＴＭシステム１０２８とを介してマスタ・ファイル・サーバ１０８０から受け取る。デジタル書籍データを受け取ると、ケーブル・ヘッドエンドは、その書籍をローカル・ファイル・サーバ１０２４に記憶する。図１８Ａの配布点１０２０は、ＡＴＭフックアップ１０８８又は衛星フックアップを介して図１８ｂのオペレーション・センタ２５０からデータを受け取るケーブル・ヘッドエンドの一例である。
【０１４３】
ＶＩＩ．代替的な配送及び注文方法
電子書籍メニュ・データを含む電子書籍及び関連データを、オンデマンド配送システムを用いることによって、加入者に提供することができる。ここで、電子書籍は、注文が配送システムによって受け取られた後で配送される。配送システムは、電子書籍をリアルタイム又はニア・リアルタイム（すなわち、ニア・オンデマンド）で、又は、配送システムが電子書籍を処理しパッケージングを行い送信することを可能にする遅延期間の後で、提供することができる。あるいは、配送システムは、連続的な態様で、１つ又は複数の電子書籍をブロードキャストすることができる。この実施例の場合には、加入者は、ブロードキャストされた電子書籍のリストから、希望する電子書籍を指定する。この配送システムは、電子書籍が配送されるときに、例えば、加入者の口座又はクレジットカードから引き落としを行う課金システムを含むことがある。この配送システム、又は、関連する認証システムは、加入者が希望する電子書籍を復号化し記憶し見ることを可能にするローカルな認証コードを提供することができる。
【０１４４】
ａ．電子書籍の配送にＴＶプログラム・ブロードキャスト配送システムを用いる場合
ｉ．配送システムの説明
テレビ・ブロードキャスト技術における進歩に加えて、政府の規制機関が、ブロードキャスト・テレビ産業に要件を課している。特に、空中を介してのブロードキャスト・テレビ・ネットワークは、近い将来に、高品位テレビ（ＨＤＴＶ）すなわちデジタル・ブロードキャスト・テレビ標準に移行する。これらの放送業者は、割り当てられた帯域幅において単一のＨＤＴＶデジタル信号を提供することを選択できる。この場合に、残りの帯域幅は、標準品位テレビ（ＳＤＴＶ）デジタル・プログラミングに用いられる。あるいは、放送業者は、自らの帯域幅を、電子書籍の配送などデータに関連するサービスに用いることを選択することもできる。
【０１４５】
この実施例は、デジタル・テレビ・プログラム・配送システムを用いた電子書籍配送システムに関係する。この実施例は、少なくとも２つの領域で用いることができる。すなわち、地上の空気媒体を用いブロードキャスト・デジタル・マルチプレクス信号の中に埋め込まれた電子書籍の配送と、既存のケーブル・テレビ・システムを介してブロードキャスト・デジタル・マルチメディア信号の中に埋め込まれた電子書籍の配送と、である。空気を介しての配送は、標準的な地上局によるテレビ・ブロードキャストを含む。ケーブル配送システムは、同軸ケーブル・システム、光ファイバ配送システム、及び電話配送システムを含む。最後の電話配送システムには、Ｔ１及びＴ３回線、ＩＳＤＮ回線及びＡＤＳＬ回線を含む。更に、電子書籍は、直接的な衛星ブロードキャスト、無線ブロードキャスト、及びＬＡＮを含むそれ以外のワイヤード接続手段によって、放送業者の信号の内部で配送することもできる。
【０１４６】
図１９には、ブロードキャスト・テレビ環境１１００が示されており、ここでは、全国放送業者１１１０などのブロードキャスト・プログラム提供者は、電子書籍データ１１１１が埋め込まれたデジタル・マルチプレクス・テレビ・プログラミングを、ブロードキャ
スト支局（ａｆｆｉｌｉａｔｅ）１１１２に提供している。電子書籍データ１１１１が埋め込まれたプログラミングは、任意の適切な手段によって、ブロードキャスト支局１１１２に提供されうる。例えば、全国的な放送業者１１１０は、電子書籍データ１１１１が埋め込まれたプログラミングを、衛星ブロードキャスト・システム１１２０を用いた衛星伝送によって提供することができる。衛星ブロードキャスト・システム１１２０は、アップリンク・サイト１１２１と、衛星１１２２と、ダウンリンク・サイト１１２３とを含みうる。衛星ブロードキャスト・システム１１２０は、電子書籍データ１１１１が埋め込まれたプログラミングを、ブロードキャスト支局１１１２に、そして、例えば、加入者の家庭など遠隔場所にあるホーム・システム２５８’、２５８’’及び２５８’’’に直接に伝送することができる。
【０１４７】
ブロードキャスト支局１１１２は、電子書籍データ１１１５が埋め込まれたデジタル・マルチプレクス・テレビ・プログラミングを、ローカル・ケーブル・システム１１１４などの中間的な場所に提供することができる。あるいは、ブロードキャスト支局１１１２は、電子書籍データ１１１５が埋め込まれたプログラミングを、加入者のホーム・システム２５８’、２５８’’及び２５８’’’に直接に伝送することができる。ローカルなケーブル・システム１１１４は、電子書籍データ１１１５が埋め込まれたプログラミングを受け取ると、次には、電子書籍データ１１１５が埋め込まれたプログラミングを、加入者のホーム・システム２５８’、２５８’’及び２５８’’’に直接に伝送することができる。
【０１４８】
ホーム・システム２５８’、２５８’’及び２５８’’’は、デジタルＴＶ信号を受信することができる任意の装置からデジタル・テレビ信号を受信することができる。この装置には、デジタル・テレビ、デジタル・セットトップ・ボックス、パーソナル・コンピュータ、又はこれらの任意の組合せなどが含まれる。あるいは、ホーム・サブシステムがビルトインされたテレビ受信機を有している場合もある。ホーム・システム２５８’、２５８’’及び２５８’’’は、同軸ケーブル・システム、光ファイバ配送システム、及び電話配送システムを含むケーブルによって、電子書籍データ１１１５が埋め込まれたプログラミングを受信することができる。ここで、電話配送システムには、Ｔ１及びＴ３回線、ＩＳＤＮ回線及びＡＤＳＬ回線が含まれる。あるいは、ホーム・システム２５８’、２５８’’及び２５８’’’は、衛星ブロードキャスト・システム１１２０を用いている全国的な放送業者１１１０から直接に電子書籍データ１１１１が埋め込まれたプログラミングを受信することもできる。例えば、ホーム・システム２５８’’’は、バックヤード衛星アンテナ１１４３を用いて電子書籍データ１１１１が埋め込まれた直接的なブロードキャスト衛星プログラミングを受信する。
【０１４９】
ホーム・システム２５８’、２５８’’及び２５８’’’は、インターネット１１０５に接続されていることもありうる。インターネット１１０５は、ウェブ・サイト２７９などのウェブ・サイトへのアクセスを提供する。インターネット１１０５は、また、課金及び集金システム２７８やオペレーション・センタ２５０にも接続しうる。オペレーション・センタ２５０は、電子書籍データをフォーマットして、ブロードキャスト支局１１１２及び全国放送業者１１１０に配送する役割を有している。その際に、電子書籍データは、それぞれのプログラム信号の中に埋め込まれて配送される。オペレーション・センタ２５０は、インターネット１１０５を用いて、電子書籍注文メニュをポストすることができる。これは、図１３に示されているメニュ・システム８５１において提供されている。課金及び集金システム２７８は、インターネット１１０５を用いて電子書籍の購入に対する注文及び支払いを受け取ることができる。電子書籍注文メニュ８５１は、全国放送業者１１１０、ブロードキャスト支局１１１２、又はローカルなケーブル・システム１１１４からのブロードキャストの一部として提供することができる。あるいは、電子書籍注文メニュ８５１は、インターネット・ウェブ・サイトからダウンロードすることができるし、イン
ターネット・ウェブ・サイト上で直接に見ることができる。インターネット１１０５をこのような目的に用いることについては、後で詳述する。
【０１５０】
図１９では、全国放送業者１１１０は、テレビ・プログラム放送業者である。あるいは、全国放送業者１１１０は、ラジオ・プログラム放送業者であるか、テレビとラジオとの混合放送業者でありうる。全国放送業者１１１０は、別個に又は組み合わせて、他の任意のタイプのデータ又は通信をブロードキャストすることができる。同様にして、ブロードキャスト支局１１１２は、テレビ若しくは音声、又は、その両方をブロードキャストすることができ、また、別個に又は組み合わせて、他の任意のタイプのデータ又は通信をブロードキャストすることができる。全国放送業者１１１０とブロードキャスト支局１１１２とは、アナログ信号と、パケット・データを含む任意のタイプのデジタル信号とをブロードキャストすることができる。全国放送業者１１１０とブロードキャスト支局１１１２とによってブロードキャストされたデジタル・データは、高品位テレビ及び標準品位テレビ信号を含みうる。
【０１５１】
図２０は、オペレーション・センタ２５０で生じる出版業者又はプロバイダ２８２からのテキスト処理に関係するステップの流れ図である。ステップＳ５００に示されているように、出版業者２８２は、書籍用のテキストのデータ・ファイルを処理し、圧縮し、暗号化した上で、オペレーション・センタ２５０に送る。書籍用のテキスト・ファイルは１冊分を一度に送ることができる。ステップＳ５０４に示されているように、オペレーション・センタ２５０は、出版業者２８２からのデータ・ストリームを受け取り処理する。この処理の一部には、将来の配送目的での、暗号化、誤り訂正及び記憶が含まれる。テキスト・ファイルは、複数のホーム・システムに同時に受け取られるように、又は、特定の個別のホーム・システムに向けて配送することができる。
【０１５２】
ある実施例では、ステップＳ５０９に示されているように、ファイルは、より小さな情報パケットに分割される。ヘッダ情報は、パケットに追加される。ビット・ストリームは、シリアル・デジタル・ビット・ストリームから、放送業者のビデオ／オーディオ・プログラム・マルチプレクス信号への挿入されうるデジタル・ストリームに変換される。ステップＳ５１３は、ビデオ／オーディオ・プログラム・マルチプレクスの中の適切なデータ・フィールドにデジタル・データが多重化（マルチプレクス）される様子を示している。デジタル・データは、付属的なＭＰＥＧ２サービスとして扱うことができ、私的なデータとしてマルチプレクスの中に配置され、ＭＰＥＧ２のトランスポート・パケットの適用ヘッダか別個のトランスポート・ストリームの中のいずれかで搬送される。ステップＳ５１３は、また、オペレーション・センタ２５０が、産業標準のＭＰＥＧプログラム・マップ・テーブル及びプログラムに特有の情報とへの必要な修正を実行している様子が示されている。
【０１５３】
ｉｉ．ブロードキャスト配送システムのための家庭内での受信オプション
図２１ａないし図２１ｇは、加入者の家庭などの遠隔場所での受信オプションを示している。図２１ａでは、ホーム・システム２５８は、デジタルセットトップ端末１２２０に結合されている。セットトップ端末１２２０は、ブロードキャスト支局１１１２又はローカル・ケーブル・システム１１１４から、電子書籍データ１１１５が埋め込まれたプログラミングを受信する。あるいは、全国放送業者１１１０は、衛星ブロードキャスト・システム１１２０を用いて、電子書籍データ１１１１が埋め込まれたプログラミングを提供する。後者の例では、セットトップ端末１２２０は、ローカルの又はバックヤードの衛星ディッシュ・アンテナ又はそれと類似の装置に結合される。更に別の例では、セットトップ端末１２２０は、衛星ブロードキャスト・システム１１２０とローカル・ケーブル・システム１１１４との両方から、そして更には、地上ブロードキャストを用いているブロードキャスト支局１１１２から直接にプログラミングを受信する。
【０１５４】
図２１ａには、更に、課金及び集金システム２７８と通信するために使用できる電話１１７８、パーソナル・コンピュータ（ＰＣ）１１７２、及びインターネット１１０５との通信に使用できるモデム１１７３との通信に用いることができるモデム１１７３が示されている。パーソナル・コンピュータ１１７２は、信号経路１１７４を用いてセットトップ端末１２２０に結合することができる。信号経路１１７４は、ＲＳ−２３２ケーブル、ＵＳＢフォーマット・インターフェース、ファイヤワイヤ・インターフェース、コネクタなどのケーブル接続、又は、例えば赤外線シグナリング、無線周波数シグナリングなどの無線手段を含むことができる。
【０１５５】
セットトップ端末１２２０は、電子書籍データ１１１５が埋め込まれたプログラミングをホーム・システム２５８に送るのに必要な処理を実行する。セットトップ端末１２２０は、電子書籍データ１１１５が埋め込まれたプログラミングをデマルチプレクスし、デマルチプレクスされた信号をホーム・システム２５８に与える。これを行うためには、セットトップ端末１２２０は、電子書籍と関係するデータを、デジタル・プログラム・マルチプレクス信号から抽出する。
【０１５６】
セットトップ端末１２２０は、リモコン装置（以下では、単にリモコンとも称する）１９００からコマンドを受け取ることができる。セットトップ端末１２２０は、インターネット１１０５などの外部ソースを用いてデータの受信及び転送を可能にする通信装置１２２１を含む。例えば、セットトップ端末１２２０は、電話モデム、ケーブル・モデム、無線モデム、光ファイバ・コネクタ、ＬＡＮコネクタ、そしてこれらの装置の任意の組合せを含みうる。インターネット１１０５へのこの接続を用いて、セットトップ端末１２２０とＰＣ１１７２とは、課金及び集金システム２７８にアクセスし、又は、インターネット１１０５に接続してインターネット・ウェブ・サイト２７９にアクセスし、オペレーション・センタ２５０によって提供される電子書籍注文メニュ８５１を見ることができる。
【０１５７】
セットトップ端末１２２０は、他のローカル及びリモート装置との通信のための入力及び出力ポートを有している。ローカルなケーブル・システム１１１４又は地上ブロードキャスト方法は電子書籍データが埋め込まれたプログラミングを家庭まで配送する最も普及した伝送媒体であるが、電話回線（Ｔ１及びＴ３回線、ＩＳＤＮ回線、ＡＤＳＬ回線を含む）、セルラ・ネットワーク、光ファイバ、ローカル・エリア・ネットワーク、パーソナル通信ネットワーク、アナログ及びデジタル衛星、家庭への伝送に用いられるそれ以外の類似の技術などを、相互に交換可能な態様で用いることができる。セットトップ端末１２２０は、セットトップ端末１２２０からホーム・システム２５８やテレビへの通信を提供する出力ポートを有しうる。また、セットトップ端末１２２０は、メンテナンス、トラブルシューティング、再プログラミング、追加的な顧客対応機能などのために用いることができる電話ジャックを含むこともできる。電話ジャックは、セットトップ端末１２２０をインターネット１１０５を接続して、電子書籍を注文するのに用いることができる。あるいは、セットトップ端末１２２０は、適切なインターフェース装置コネクタを用いて他の通信インターフェースをサポートすることもある。プログラミング１１１５に埋め込まれている電子書籍データは、電子書籍注文メニュ８５１などのデータを含み、加入者にどちらの電子書籍の購入が可能であるかについてアドバイスを行うことができる。電子書籍注文メニュ８５１がいったんホーム・システム２５８に受信されると、ホーム・システム２５８は、適切なメニュを発生することができる。あるいは、メニュ検索及び参照、あるいは、電子書籍の選択や注文は、インターネット１１０５上のインターネット・ウェブ・サイト２７９を用いて達成することができる。インターネット１１０５へは、提供されているモデム・インターフェースを用いてアクセスできる。
【０１５８】
図２１ｂは、電子書籍データ１１１５が埋め込まれたブロードキャスト・デジタル・プ
ログラミングを受け取り、それをホーム・システム２５８に提供する構成要素の別の配列が示されている。図２１ｂでは、デジタル・テレビ１１７１は、ブロードキャスト支局１１１２に結合されて、プログラミング１１１５を受け取るようになっている。デジタル・テレビ１１７１は、また、ローカルなケーブル・システム１１１４又は衛星ブロードキャスト・システム１１２０から電子書籍データ１１１５が埋め込まれたプログラミングを受け取ることができる。
【０１５９】
デジタル・テレビ１１７１は、セットトップ端末１２２０に関して既に説明した機能を実行するオプションのスマート・カード１１８０を含みうる。例えば、スマート・カード１１８０は、ケーブル・モデム、電話モデム、無線モデム、光ファイバ・コネクタ、又はＬＡＮコネクタを含む。図２１ｂには、パーソナル・コンピュータ１１７２とモデム１１７３とが示されているが、これらは、従前の例と同じように、インターネット１１０５に接続する機能を有している。デジタル・テレビ１１７１の機能は、例えば、赤外線信号又は無線周波数信号を用いて、リモコン１９００によって制御することができる。インターネット１１０５へのこの接続を用いて、テレビ１１７１とＰＣ１１７２とは、課金及び集金システム２７８にアクセスすることができるし、インターネット１１０５に接続してウェブ・サイト２７９にアクセスし、オペレーション・センタ２５０によって提供されている電子書籍注文メニュ８５１を見ることができる。
【０１６０】
図２１ｃには、電子書籍データ１１１５が埋め込まれたブロードキャスト・デジタル・プログラミングを受信する構成要素の別の配列が示されている。図２１ｃでは、スマート・カード１１８０を組み入れたデジタル・テレビ１１７１’が、電子書籍データ１１１５が埋め込まれたプログラミングをローカルなケーブル・システム１１１５から受け取り、既に述べた図書館２６２のすべての機能を実行する。これには、ビューワ２６６への接続も含まれる。テレビ１１７１’は、また、直接的な衛星ブロードキャスト、光ファイバ接続、イーサネット（登録商標）などのＬＡＮ、プレーン・オールド電話サービス（ＰＯＴＳ）、それ以外の電話配送システム（Ｔ１及びＴ３回線、ＩＳＤＮ回線、ＡＤＳＬ回線を含む）、及びブロードキャスト支局１１１２からの空気を介してのブロードキャストを含むそれ以外の媒体を用いた、電子書籍データ１１１５が埋め込まれたプログラミングを受信することができる。テレビ１１７１’は、スマート・カード１１８０を組み入れており、例えば、図２１ｂに示されているパーソナル・コンピュータ１１７２の機能のいくつか又は全部を含む。テレビ１１７１’は、インターネット１１０５に接続し、ウェブ・サイト２７９にアクセスしてオペレーション・センタ２５０によって提供される電子書籍注文メニュ８５１を見ることができる。リモコン１９００は、テレビ１１７１’と図書館２６２とを制御するのに用いられる。テレビ１１７１’は、また、そのプログラミングの中に、テレビ１１７１’のディスプレイ上に表示されるソフト・キーボード１１７４を含むことがある。リモコン１９００は、次に、ソフト・キーボード１１７４上の「ソフト・キー」を操作するのに用いられる。テレビ１１７１’は、また、テレビ１１７１’と図書館２６２とを制御しテレビ１１７１’をそのパーソナル・コンピュータの役割において操作するのに用いられる独立のキーボードを組み入れている場合もある。キーボード１１７４’は、ワイヤード接続によってテレビ１１７１’に接続することができる。あるいは、キーボード１１７４’は、テレビ１１７１’及び図書館２６２と、赤外線通信、無線周波数通信及びレーザを含むそれ以外の光学的手段を用いて、通信することができる。テレビ１１７１’と図書館２６２とは、信号経路１１５４を用いて、電話システムに接続することができる。
【０１６１】
図２１ｄは、電子書籍データ１１１５が埋め込まれたブロードキャスト・デジタル・プログラミングを受信するための構成要素の更に別の配列を示している。図２１ｄでは、完全な電子書籍ホーム・システム２５８として機能するスマート・カードを組み入れたデジタル・テレビ１１７１’が、ローカルなケーブル・システム１１１４から電子書籍データ
１１１５が埋め込まれたプログラミングを受け取り、既に説明したホーム・システム２５８のすべての機能を実行し、テレビのディスプレイ上に電子書籍データを表示する。テレビ１１７１’は、また、直接的な衛星ブロードキャスト、光ファイバ接続、イーサネットなどのＬＡＮ、ＰＯＴＳ、それ以外の電話配送システム（Ｔ１及びＴ３回線、ＩＳＤＮ回線、ＡＤＳＬ回線を含む）、及びブロードキャスト支局１１１２からの空気を介してのブロードキャストを含むそれ以外の媒体を用いた、電子書籍データ１１１５が埋め込まれたプログラミングを受信することができる。テレビ１１７１’は、スマート・カード１１８０を組み入れており、例えば、図２１ｂに示されているパーソナル・コンピュータ１１７２の機能のいくつか又は全部を含む。テレビ１１７１’は、インターネット１１０５に接続し、ウェブ・サイト２７９にアクセスしてオペレーション・センタ２５０によって提供される電子書籍注文メニュ８５１を見ることができる。リモコン１９００は、テレビ１１７１’とホーム・システム２５８とを制御するのに用いられる。テレビ１１７１’は、また、そのプログラミングの中に、テレビ１１７１’のディスプレイ上に表示されるソフト・キーボード１１７４を含むことがある。リモコン１９００は、次に、ソフト・キーボード１１７４上の「ソフト・キー」を操作するのに用いられる。テレビ１１７１’は、また、テレビ１１７１’とホーム・システム２５８とを制御しテレビ１１７１’をそのパーソナル・コンピュータの役割において操作するのに用いられる独立のキーボードを組み入れている場合もある。キーボード１１７４’は、ワイヤード接続によってテレビ１１７１’に接続することができる。あるいは、キーボード１１７４’は、テレビ１１７１’及びホーム・システム２５８と、赤外線通信、無線周波数通信及びレーザを含むそれ以外の光学的手段を用いて、通信することができる。テレビ１１７１’とホーム・システム２５８とは、信号経路１１５４を用いて、電話システムに接続することができる。
【０１６２】
図２１ｅは、電子書籍データ１１１５が埋め込まれたブロードキャスト・デジタル・プログラミングを受信するための構成要素の更に別の配列を示している。図２１ｅでは、スマート・カード１１８０を組み入れたデジタル・テレビ受信機を備えたＰＣ１１７２が、ローカルなケーブル・システム１１１４から電子書籍データ１１１５が埋め込まれたプログラミングを受け取り、既に説明した図書館２６２のすべての機能を実行する。この機能には、ビューワ２６６への接続も含まれる。ＰＣ１１７２は、また、直接的な衛星ブロードキャスト、光ファイバ接続、イーサネットなどのＬＡＮ、ＰＯＴＳ、それ以外の電話配送システム（Ｔ１及びＴ３回線、ＩＳＤＮ回線、ＡＤＳＬ回線を含む）、及びブロードキャスト支局１１１２からの空気を介してのブロードキャストを含むそれ以外の媒体を用いた、電子書籍データ１１１５が埋め込まれたプログラミングを受信することができる。ＰＣ１１７２は、インターネット１１０５に接続し、ウェブ・サイト２７９にアクセスしてオペレーション・センタ２５０によって提供される電子書籍注文メニュ８５１を見ることができる。
【０１６３】
図２１ｆは、電子書籍データ１１１５が埋め込まれたブロードキャスト・デジタル・プログラミングを受信するための構成要素の更に別の配列を示している。図２１ｆでは、完全な電子書籍ホーム・システム２５８として機能するスマート・カード１１８０を組み入れたデジタル・テレビ受信機を備えたＰＣ１１７２が、ローカルなケーブル・システム１１１４から電子書籍データ１１１５が埋め込まれたプログラミングを受け取り、既に説明したホーム・システム２５８のすべての機能を実行する。ＰＣ１１７２は、また、直接的な衛星ブロードキャスト、光ファイバ接続、イーサネットなどのＬＡＮ、ＰＯＴＳ、それ以外の電話配送システム（Ｔ１及びＴ３回線、ＩＳＤＮ回線、ＡＤＳＬ回線を含む）、及びブロードキャスト支局１１１２からの空気を介してのブロードキャストを含むそれ以外の媒体を用いた、電子書籍データ１１１５が埋め込まれたプログラミングを受信することができる。ＰＣ１１７２は、インターネット１１０５に接続し、ウェブ・サイト２７９にアクセスしてオペレーション・センタ２５０によって提供される電子書籍注文メニュ８５１を見ることができる。
【０１６４】
図２１ｇは、電子書籍データ１１１５が埋め込まれたブロードキャスト・デジタル・プログラミングを受信するための構成要素の更に別の配列を示している。図２１ｇでは、ホーム・システム２５８が、ローカルなケーブル・システム１１１４から電子書籍データ１１１５が埋め込まれたプログラミングを受け取るデジタルＴＶ受信機１６１３を含む。ホーム・システム２５８は、インターネット１１０５に接続し、ウェブ・サイト２７９にアクセスしてオペレーション・センタ２５０によって提供される電子書籍注文メニュ８５１を見ることができる。
【０１６５】
図２２は、ＴＶプログラム・ブロードキャスト配送システムを用いた電子書籍の配送をサポートするホーム・システム２５８のハードウェア構成が示されている。図２２におけるホーム・システム２５８は、ホーム・システム・フロントエンド２５９と、ホーム・システム・バックエンド２５９’とを含む。ホーム・システム・フロントエンド２５９は、電子書籍データを受け取る配送システムに基づいて変動する。ホーム・システム・バックエンド２５９’及びそれに関連する構成要素と機能とは、セクションＩＩで既に述べたように、配送システムとは無関係であって、一貫している。ホーム・システム・フロントエンド２５９は、デジタル・データの直接的な受信、ＴＶプログラム・ブロードキャスト信号の受信、データの信号からのストリップ（抽出）など、複数の機能を実行する。ホーム・システム・フロントエンド２５９の希望する機能を達成するには、様々なハードウェア構成を用いることができる。例えば、図２２に示されているように、ホーム・システム２５８は、セットトップ端末１２２０、ＴＶ１１７１、又はコネクタ１６１７を用いてコンピュータ１１７２からデジタル・プログラム・マルチプレクスを受信するように構成することができる。あるいは、ホーム・システム２５８は、ＲＦチャネルを受け取ることもできる。この場合は、デジタル・プログラム・マルチプレクス信号がデジタルＴＶ受信機１６１３を用いて含まれており、信号をデジタル・プログラム・ブロードキャスト・コネクタ１６１７に提供して、電子書籍データを信号から抽出する。最後に、ホーム・システム２５８は、デジタル・データ・ストリームを受け取ることができ、このストリームは、コネクタ１６１９を用いてデジタル・プログラム・マルチプレクスから抽出されたものである。電子書籍システムと関係するデジタル・データがＴＶプログラム・ブロードキャスト信号から抽出されると、このデジタル・データは、ホーム・システム２５８内のデジタル・ロジック６０９に、セクションＩＩで説明したように、それ以後の処理のために提供される。
【０１６６】
消費者の家庭において、デジタルＴＶプログラム信号を受け取りその信号からデータをストリップするためには、コネクタ１６１７が用いられる。図２３は、コネクタ１６１７によって実行されるプロセスの流れ図である。コネクタ１６１７は、ステップＳ１６０７においてデジタル・プログラム・マルチプレクス信号を受け取り、ステップ１６０８において信号からＭＰＥＧ制御情報を取り除き、ステップＳ１６１２においてストリームがその中に埋め込まれた任意の電子書籍データを含むかどうかを判断し、ステップＳ１６１６において電子書籍データを信号から抽出し、ステップＳ１６２０において抽出された電子書籍データ・ストリームをデジタル論理要素に通信する。
【０１６７】
ｉｉｉ．ＴＶプログラム・ブロードキャスト配送のための電子書籍注文プロセス
セクションＩＩにおいて既に述べたように、加入者は、メニュ・システムから自らが希望する電子書籍を選択する。このメニュ・システムとそのコンテンツとは、ＴＶプログラム・ブロードキャスト配送システムを介して周期的にホーム・システム２５８に配布されるか、新たな電子書籍を注文する際に課金及び集金システム２７８によってホーム・システム２５８まで配送される情報を用いて、オペレーション・センタ２５０が更新する。このメニュからなされた電子書籍の注文リクエストは、処理のために、課金及び集金システム２７８に送られる。
【０１６８】
配送が双方向のケーブル・システムを用いて行われる場合には、セットトップ端末１２２０は、注文リクエスト情報をローカルなケーブル・システム１１１４に送るのに用いることができる。ローカルなケーブル・システム１１１４は、課金及び集金システム２７８、又は、電子書籍注文又は課金目的でセットトップ端末１２２０からのリクエストを処理するオペレーション・センタ２５０と通信状態にある。更に、モデムを備えている電話回線を用いて、情報をセットトップ端末１２２０から課金及び集金システム２７８又はオペレーション・センタ２５０に転送することができる。あるいは、セットトップ端末１２２０は、ケーブル・モデム、無線モデム、ＬＡＮコネクタ、Ｔ１及びＴ３コネクタ、ＡＤＳＬコネクタ、ＩＳＤＮコネクタ、又は、情報をケーブル・システム１１１４に伝送する、若しくは、別の通信経路を介して課金及び集金システム２７８かオペレーション・センタ２５０に直接に伝送するためのそれ以外の改良型通信インターフェースを組み入れている。あるいは、ホーム・システム２５８は、これらの通信経路の任意のものを介して直接に、課金及び集金システム２７８に接続することができる。
【０１６９】
図２４ａないし図２４ｃは、電子書籍データ１１１５又は１１１１が埋め込まれたプログラミングと共に用いることができる注文プロセスの別の配列を示している。以下の議論では、加入者は、ローカル・ケーブル・システム１１１４から電子書籍データ１１１５が埋め込まれたプログラミングを受け取る。しかし、電子書籍データ１１１５が埋め込まれたプログラミングが、ブロードキャスト支局１１１２若しくは衛星ブロードキャスト・システム１１２０によって、又は、電子書籍データが埋め込まれたデジタル・ブロードキャスト・プログラミングを提供することができる任意の実体から提供されるときには、注文プロセスを用いることもできる。
【０１７０】
図２４ａないし図２４ｃでは、電子書籍注文リクエストは、課金及び集金システム２７８へのケーブル・モデムを用いる、課金及び集金システム２７８への専用双方向伝送システムを介する、課金及び集金システム２７８への電話モデムを用いる、既存の電話回線を用いる、無線通信システムを介したセルラ・モデムを用いる、Ｔ１及びＴ３回線、ＡＤＳＬ回線、ＩＳＤＮ回線、並びに電話及びＰＯＴＳを用いるなど、様々な通信媒体を介して提供することができる。あるいは、電子書籍注文リクエストは、イーサネットなどのＬＡＮを介して提供することもできる。
【０１７１】
図２４ａでは、全国放送業者１１１０が、電子書籍データ１１１１が埋め込まれたプログラミングを、ブロードキャスト支局１１１２に提供している。ブロードキャスト支局１１１２は、電子書籍データ１１１５が埋め込まれたプログラミングを、ローカルなケーブル・システム１１１４に送る。ローカルなケーブル・システム１１１４は、電子書籍データ１１１５が埋め込まれたプログラミングを、ホーム・システム２５８に送る。リクエストされた電子書籍を、ホーム・システム２５８において、電子書籍データが埋め込まれたプログラミングから受け取るには、加入者は、注文リクエストを始動しなければならない。図２４ａに示されている実施例では、加入者は、注文リクエスト１１９０を、課金及び集金システム２７８に送り、この課金及び集金システム２７８は、オペレーション・センタ２５０からのリクエストされた電子書籍データの配送をプログラミングに含ませるために開始する。
【０１７２】
電子書籍は、加入者が注文リクエストを提供することなく、ホーム・システム２５８において受け取ることができる。他の加入者が、例えば贈り物として、電子書籍をホーム・システム２５８に配送させることも可能である。電子書籍は、また、試験的に又は承認に基づいてホーム・システム２５８に送ることもできる。例えば、試験的な電子書籍を試験的にホーム・システム２５８に送ることができ、その場合には、この試験的な電子書籍は、ホーム・システム２５８での受領から一定の時間が経過した後では見ることができない
ようにするコードを含めることもできる。試験的な電子書籍を見るという特権をとっておくためには、加入者は、この試験的な電子書籍を購入するという意思を示せばよい。そうすると、オペレーション・センタ２５０は、認証コードを送り、それによって、加入者は、恒久的にその試験的な電子書籍を保持することが可能になる。あるいは、配送システム２００は、第１章だけなど電子書籍の一部分を暗号化されていない状態で提供することもでき、その場合には、加入者は、残りの部分を復号化するには、その電子書籍を購入して認証コードを受け取らなければならない。
【０１７３】
図２４ｂには、注文プロセスの別の構成が示されている。図２４ｂに示されている注文プロセスは、注文リクエスト１１９０’が課金及び集金システム２７８に送られ、次に課金及び集金システム２７８は、ブロードキャスト支局１１１２よる挿入のために電子書籍データの配送を開始するという点で、図２４ａに示されているものとは異なっている。
【０１７４】
図２４ｃは、注文プロセスの更に別の構成を示している。図２４ｃでは、注文リクエスト１１９０’’は、課金及び集金システム２７８に送られ、次に課金及び集金システム２７８は、全国放送業者１１１０による挿入のために電子書籍データの配送を開始する。
【０１７５】
ｂ．インターネットを用いた注文システムの動作
ＴＶプログラム・ブロードキャスト配送環境に典型的である一方向の配送環境では、インターネットを用いることにより、電子書籍を注文する加入者に場所を問わずにアクセスすることが可能である。加入者は、インターネット・ウェブ・サイト２７９に、図２１ａ、図２１ｂ、図２１ｅ、図２１ｆのＰＣ１１７２や、図２１ｃ又は図２１ｄのテレビ１１７１’や、図２１ｇのホーム・システム２５８を用いて、ログオンする。加入者は、次に、加入者ＩＤを入力する。それにより、インターネット・ウェブ・サイト２７９は、個別化されたメニュをこの加入者に提供する。加入者は、例えば、ＰＣ１１７２、テレビ１１７１’又はホーム・システム２５８上で個別化されたメニュを見ることができる。個別化されたメニュは、例えば、過去に注文のあった電子書籍など、加入者に特有のデータに基づいている。電子書籍の注文がインターネット・ウェブ・サイト２７９上でなされるときには、インターネット・ウェブ・サイト２７９は、例えば、加入者の自動番号識別（ＡＮＩ）、ユーザ名、ユーザＩＤ、インターネット・アドレス（すなわち、ＲＥＭＯＴＥ＿ＨＯＳＴ、ＲＥＭＯＴＥ＿ＡＤＤＲ及びＨＴＴＰ＿ＮＡＭＥ）に基づいて、加入者２８５を識別する。加入者は、ブロードキャスト・テレビ・サービスに加入したときに加入者に与えられた一意的な加入者識別子によっても識別されうる。加入者を識別するこれ以外の手段としては、ブラウザのクッキーなど、特別なものもある。ブラウザのクッキーは、ウェブ・サイト・サーバがブラウザ上の限られた量の情報を記憶することを可能にするものである。この情報は、典型的には、セット・クッキーＨＴＴＰ応答フィールド・ヘッダを用いて、加入者の端末に送られる。セット・クッキー・フィールドは、名前／値のペアであるクッキー・コンテンツを含み、また、このクッキーがいつ有効でなくなるか、クッキーが有効なインターネット・ドメイン、クッキーが有効なドメインの中のＵＲＬの経路部分を説明する情報も含む。クッキーを理解するブラウザは、例えば、このデータをセットトップ端末のハードディスク上に記憶し、このクッキーがクッキー・リクエスト・ヘッダ・フィールド内で生じた元のウェブ・サイト・サーバに、これらのデータを戻す。クッキーは、ブラウザに関する状態情報（加入者がこのウェブ・サイトを最後に訪問したのはいつか、どのリソースを加入者は最後に用いたか、など）を記憶するのに有用であり、この情報は、加入者がウェブ・サイトを立ち去ったりブラウザをシャットダウンしても失われない。
【０１７６】
ウェブ・サイト２７９のようなウェブ・サイトは、加入者に対する電子書籍注文をカスタマイズするのにクッキーを用いることができる。例えば、ウェブ・サイト２７９は、クッキー内の情報に基づいて、加入者をウェブ・サイト２７９に歓迎することができるし、
加入者によって提供されたそれまでの注文に基づいて、加入者をメニュ又は個別化されたメニュに導くことができる。加入者が識別されると、ウェブ・サイト２７９は、個別化された注文メニュを作成することができ、これを、加入者は、ホーム・システム２５８にダウンロードすることができる。
【０１７７】
電子書籍の注文がいったんなされると、課金及び集金システム２７８は、この注文を処理して、リクエストされた電子書籍をＴＶブロードキャスト配送システムを介して配送するようにオペレーション・センタ２５０へのリクエストを始動することができる。
【０１７８】
図２５は、インターネットを用いた電子書籍の注文と関連する主なステップの流れ図である。流れ図は、図１９のブロードキャスト環境を前提にしている。
【０１７９】
プロセスは、ステップＳ１００から始まる。ステップＳ１１０では、図２１ａ、２１ｂ、２１ｅ若しくは２１ｆのＰＣ１１７２か、図２１ｃ若しくは２１ｄのテレビ１１７１’か、又は、ホーム・システム２５８が、ウェブ・サイト２７９にアクセスする。ウェブ・サイト２７９には、ウェブ・サイト２７９のアドレスをウェブ・ブラウザの位置ウィンドウに入力するか、ホーム・システム２５８メニュ上若しくはビューワ２６６で見ている実際の電子書籍の中に提供されたハイパーテキスト・リンクを付勢するか、異なるウェブ・サイトから受け取ったハイパーテキスト・リンクを付勢することによって、アクセスできる。次にプロセスは、ステップＳ１２０に移動する。
【０１８０】
ステップＳ１２０では、ウェブ・サイト２７９を示しているデータ信号がセットトップ端末２２０に送信され、ウェブ・サイト２７９がリクエスト側の装置上に表示される。次にプロセスは、ステップＳ１３０に移動する。ステップＳ１３０では、ウェブ・サイト２７９は、加入者によって選択された電子書籍に対する注文信号１１９０を受け取る。注文信号１１９０は、電子書籍識別子と、リクエスト側のホーム・システム２５８のアドレス及びＩＤとを含む。プロセスは、次に、ステップＳ１４０に進む。
【０１８１】
ステップＳ１４０では、ウェブ・サイト２７９は、認証リクエスト１１９６を課金及び集金システム２７８に送信する。プロセスは、ステップＳ１５０に移動する。ステップＳ１５０では、課金及び集金システム２７８は、注文信号１１９０が発せられたホーム・システム２５８が選択された電子書籍を受け取ることが認証されるかどうかが判断される。課金及び集金システム２７８は、リクエストしている加入者の過去のクレジットカード履歴を評価することができる。課金及び集金システム２７８は、加入者の口座が支払い不能であるかどうかを判断することができる。ホーム・システム２５８が選択された電子書籍を受け取る権限を有していないときには、プロセスは、ステップＳ１６０に移動する。有している場合には、プロセスは、ステップＳ１７０に進む。
【０１８２】
ステップＳ１６０では、課金及び集金システム２７８はメッセージをリクエストしているホーム・システム２５８に送り、選択されたプログラムにはアクセス不可能であるということをアクセス不能の理由と共に述べる。そして、プロセスはステップＳ１９０に移動して停止する。
【０１８３】
ステップＳ１７０では、課金及び集金システム２７８は、認証信号１１９１をオペレーション・センタ２５０に送る。次に、プロセスは、ステップＳ１８０に移動する。ステップＳ１８０では、オペレーション・センタ２５０は、リクエストされた電子書籍のデータを検索しプログラミングに埋め込む。プロセスは、ステップＳ１９０に進み、終了する。
【０１８４】
インターネットを用いた電子書籍の注文方法は、テレビ・プログラムブロードキャスト配送の実施例に限定されない。この注文方法は、一般的な性質を有し、本出願で述べられ
ている任意の配送方法を用いて配送される電子書籍を注文するのに用いることができる。
【０１８５】
ｃ．インターネット配送方法
図２６は、インターネットを用いて電子書籍を配送する別の配送計画３０１’である。図２６では、出版社２６がインターネット・ウェブ・サイト２７９に電子書籍を掲示している。この出版社は、テキスト及びグラフィクス・データをデジタル・フォーマットに変換し、デジタル・データを圧縮し、圧縮されたデジタル・データをインターネット・ウェブ・サイト２７９にアップロードすることができる。あるいは、出版社２８２は、外部の変換機能２８３を用いて、テキスト及びグラフィクス・データをデジタル・フォーマットに変換することもできる。この場合には、変換機能２８３が、デジタル・データをインターネット・ウェブ・サイト２７９に提供することができる。例えば、大きなオンライン書店は、様々な出版社から出版物を電子形式で集めたり、ハードコピーの書籍を電子形式に変換したり、電子書籍を、インターネット・ウェブ・サイト２７９などインターネット上に掲示することができる。
【０１８６】
電子書籍は、次に、例えば、公共交換型電話ネットワーク（ＰＳＴＮ）を用いて、又は、それ以外の通信システムを用いて、加入者２８５、図書館２８６及び書店２８７に転送することができる。図書館２８６と書店２８７とは、電子書籍を加入者２８５に提供することができる。
【０１８７】
電子書籍がインターネット・ウェブ・サイト２７９上に提供されると、課金及び集金機能がインターネット・ウェブ・サイト２７９に組み入れられる。例えば、加入者は、クレジットカード番号を、インターネット・ウェブ・サイト２７９のページのデータ・フィールドのの中に入力することによって、電子書籍の選択に対する支払いを行うことができる。この構成では、別個の課金及び集金システムは必要でない。あるいは、インターネット・ウェブ・サイト２７９が情報を課金及び集金システム２７８に伝えることもできる。
【０１８８】
インターネットを介しての電子書籍の配送は、多くの方法を用いて処理できる。ある方法では、電子書籍は、注文が処理されると直ぐに、リクエスト側のホーム・システム２５８にダウンロードされる。あるいは、電子書籍を、注文プロセスの一部として入力されている電子メール・アドレスに電子メールとして送ることもできる。別の実施例では、注文処理プロセスの一部として、加入者に、加入者が注文した電子書籍を加入者の都合のいいときに検索できる場所及び認証情報を与えることもできる。電子書籍製品、新聞、雑誌、又はそれ以外の定期刊行物を購読するために、インターネット・ウェブ・サイト２７９は、加入者がインターネット・ウェブ・サイト２７９にログオンしたときに直ちに自動的に、加入者に最新の製品を配送することもできる。電子書籍データは、連続的でマルチキャストされたストリーミング・ビデオ、オーディオ又はデータ・フィールドの中に埋め込むことができる。
【０１８９】
ｄ．他の配送方法
電子書籍の配送のための実施例を以上でいくつか説明した。ここでは、これらの特定の配送のための実施例について再説すると共に、本発明によってサポートされる他の配送実施例についても述べることにする。セクションＩでは、エンコーダ２０４を用いて、電子書籍データをビデオ配分システム２０８を介して送信するのに用いられるオペレーション・センタ２５０とアップリンク２５４について述べた。次に述べる実施例では、モジュール型のエンコーダ２５４１を用いる。このモジュール型エンコーダは、電子書籍のテキストを配送される信号とモジュール型の送信サブシステム２５４２との中に挿入する。後者の送信サブシステムが、実際の信号を送信する。モジュール型のエンコーダ２５４１とモジュール型の送信サブシステム２５４２とは、共に、それぞれユニークな配送方法の実施例のための送信機能をサポートしている。セクションＩＩでは、ビデオ信号の中に埋め込
まれた電子書籍データをホーム・システムで利用できるフォーマットに変換するのに、ビデオ・コネクタ２１２が用いられた。次の実施例は、配送された信号を埋め込まれた電子書籍データと共に受け取り、電子書籍データを抽出し、電子書籍データを更なる処理のためにデジタル・ロジック６０９に提供するモジュール型のコネクタ７００を用いる。モジュール型コネクタ７００は、それぞれのユニークな配送方法実施例に対する受信機能をサポートしている。
【０１９０】
図２７は、同軸又はファイバ・ケーブル・システム２７０１を介して電子書籍をホーム・システム１２５８に配送することに関連する実施例を示している。電子書籍データは、モジュール型エンコーダ２５４１による配送のために符号化される。ここで、エンコーダ２５４１は、図１ｂにおけるエンコーダ１７４と同一であり、モジュール型送信サブシステム２５４２によってフォーマットされ送信される。サブシステム２５４２は、図４のアップリンク２５４と同一である。この信号は、ケーブル・システム２７０１を介して配送される。この信号は、電子書籍データの専用又は非専用配送のために提供される。この信号はまた、ホーム・システム１２５８から課金及び集金システム２７８又はオペレーション・センタ２５０への注文のためのアクセスを提供するし、又は、この信号は、電子書籍がこれを介して注文され配送されるインターネットやそれ以外の公共ネットワークへのアクセスを提供する手段である。ケーブル・システム２７０１は、同軸ケーブル・ネットワーク、全体的にファイバであるネットワーク、ファイバと同軸とのハイブリッド・ネットワーク、ファイバからカーブ（ｃｕｒｂ）へのネットワーク、又は、それ以外の任意の配分技術である。ケーブル・システム上の信号は、ケーブル・モデムによって発生されるが、この場合には、外部ケーブル・モデム２７０２を用いて、信号を受信し、埋め込まれた電子書籍データをホーム・システム２５８のモジュール型コネクタ７００にそれ以降の処理のために提供する。あるいは、ホーム・システム１２５８は、内部ケーブル・モデム２７０５を含み、このモデムが信号を受け取り電子書籍データをモジュール型コネクタ７００に処理のために提供することもできる。それぞれの実施例で、モジュール型コネクタ７００は、埋め込まれた電子書籍データを、更なる処理のために、デジタル・ロジック６０９に提供する。
【０１９１】
別の実施例では、ケーブル・システムを介して配送される信号はビデオ信号である。ある実施例では、ビデオ信号はアナログ・ビデオ信号である。別の実施例では、ビデオ信号は、デジタル・ビデオ信号である。ホーム・システム１２５８は、内部ケーブル受信機／チューナ／復調器２７０６を含み信号を処理し、埋め込まれた電子書籍データをモジュール型コネクタ７００に提供する。コネクタ７００は、図２のビデオ・コネクタと同一である。セットトップ端末２７０３、又は、ケーブル対応ＴＶ、ケーブル・チューナ（図示せず）付きのＰＣなど、ケーブル・ビデオ信号を受け取ることができるそれ以外の装置が、ビデオ信号を処理し、それをホーム・システム１２５８の中のコネクタ７００に配送する。ホーム・システム１２５８は、埋め込まれた電子書籍データを抽出する。あるいは、セットトップ端末２７０３又はそれ以外のそのような装置は、ビデオ信号から埋め込まれた電子書籍データを抽出し、その電子書籍データをホーム・システム１２５８におけるモジュール型コネクタ７００に提供する。
【０１９２】
別の実施例では、電子書籍データは、オーディオ信号の中に埋め込まれており、ホーム・システム１２５８の中の適当なオーディオ能力のあるモジュール型コネクタ７００が電子書籍データをオーディオ信号からデジタル・ロジック６０９による処理のために抽出することが必要となる。ある実施例では、オーディオ信号はアナログ・オーディオ信号である。別の実施例では、オーディオ信号はデジタル・オーディオ信号である。
【０１９３】
更に別の実施例では、信号は、デジタル・データ・ストリームを含むスプレッド・スペクトル信号であり、ホーム・システム１２５８の中の適当なスプレッド・スペクトル受信
機及び復調器コネクタ７００が電子書籍データをデジタル・ロジック６０９による処理のために抽出することが必要となる。この実施例では、スプレッド・スペクトル信号は、ビデオ又はオーディオ信号と同じ帯域幅で伝送される。しかし、ノイズ・レベルよりは下である。
【０１９４】
図２８は、無線ブロードキャスト・システム２８０１を介してホーム・システム１２６０まで電子書籍を配送することに関連する実施例を示している。電子書籍データは、モジュール型エンコーダ２５４１による配送のために符号化され、モジュール型送信サブシステム２５４２によってフォーマット化され、送信される。信号は、無線ブロードキャスト・システム２８０１を介して配送される。この信号は、電子書籍データの専用又は非専用配送のために提供される。この信号はまた、ホーム・システム１２５８から課金及び集金システム２７８又はオペレーション・センタ２５０への注文のためのアクセスを提供するし、又は、この信号は、電子書籍がこれを介して注文され配送されるインターネットやそれ以外の公共ネットワークへのアクセスを提供する手段である。この無線ブロードキャスト・システムは、マイクロ波マルチポイント配送システム（ＭＭＤＳ）、ローカル・マルチポイント配送システム（ＬＭＤＳ）、指示テレビ固定サービス（ＩＴＦＳ）システム、又は、任意のそれ以外の無線データ、ビデオ、又はテレフォニ・ブロードキャスト・システムでありうる。これには、テリジェント（Ｔｅｌｉｇｅｎｔ）によって提供されているようなポイント・ツー・ポイント及びポイント・ツー・マルチポイントのマイクロ波ブロードキャストシステム、ウィンスター（ｗｉｎｓｔａｒ）デジタル無線ネットワーク、及びＡＴＴの無線システムが含まれる。無線ブロードキャストシステム上の信号は、無線モデムによって発生されるが、この場合には、外部無線モデム２８０２を用いて、信号を受信し、埋め込まれた電子書籍データをホーム・システム１２６０のモジュール型コネクタ７００にそれ以降の処理のために提供する。あるいは、ホーム・システム１２６０は、内部無線モデム２７０５を含み、このモデムが信号を受け取り電子書籍データをホーム・システム１２６０モジュール型コネクタ７００に処理のために提供することもできる。それぞれの実施例において、モジュール型コネクタ７００は、埋め込まれた電子書籍データを、更なる処理のために、デジタル・ロジック６０９に提供する。
【０１９５】
別の実施例では、無線ブロードキャスト・システムを介して配送される信号はビデオ信号である。ある実施例では、ビデオ信号はアナログ・ビデオ信号である。別の実施例では、ビデオ信号は、デジタル・ビデオ信号である。ホーム・システム１２６０は、内部無線受信機／チューナ／復調器２８０６を含み信号を処理し、埋め込まれた電子書籍データをモジュール型コネクタ７００に提供する。無線セットトップ端末２８０３、又は、ＴＶ、無線受信機及びチューナ（図示せず）付きのＰＣなど、無線ビデオ信号を受け取ることができるそれ以外の装置が、ビデオ信号を処理し、それをホーム・システム１２６０の中のコネクタ７００に配送する。ホーム・システム１２６０は、埋め込まれた電子書籍データを抽出する。あるいは、セットトップ端末２８０３又はそれ以外のそのような装置は、ビデオ信号から埋め込まれた電子書籍データを抽出し、その電子書籍データをホーム・システム１２６０におけるモジュール型コネクタ７００に提供する。
【０１９６】
別の実施例では、電子書籍データは、オーディオ信号の中に埋め込まれており、ホーム・システム１２６０の中の適当なオーディオ能力のあるモジュール型コネクタ７００が電子書籍データをオーディオ信号からデジタル・ロジック６０９による処理のために抽出することが必要となる。ある実施例では、オーディオ信号はアナログ・オーディオ信号である。別の実施例では、オーディオ信号はデジタル・オーディオ信号である。
【０１９７】
更に別の実施例では、信号は、デジタル・データ・ストリームを含むスプレッド・スペクトル信号であり、ホーム・システム１２６０の中の適当なスプレッド・スペクトル受信機及び復調器コネクタ７００が電子書籍データをデジタル・ロジック６０９による処理の
ために抽出することが必要となる。この実施例では、スプレッド・スペクトル信号は、ビデオ又はオーディオ信号と同じ帯域幅で伝送される。しかし、ノイズ・レベルよりは下である。
【０１９８】
図２９は、衛星ブロードキャスト・システム２９０１を介してホーム・システム１２８０まで電子書籍を配送することに関連する実施例を示している。電子書籍データは、モジュール型エンコーダ２５４１による配送のために符号化され、モジュール型送信サブシステム２５４２によってフォーマット化され、送信される。信号は、衛星ブロードキャスト・システム２９０１を介して配送される。この信号は、電子書籍データの専用又は非専用配送のために提供される。この信号はまた、ホーム・システム１２５８から課金及び集金システム２７８又はオペレーション・センタ２５０への注文のためのアクセスを提供するし、又は、この信号は、電子書籍がこれを介して注文され配送されるインターネットやそれ以外の公共ネットワークへのアクセスを提供する手段である。この衛星ブロードキャスト・システム２９０１は、ディレクＴＶ（ＤｉｒｅｃＴＶ）及びエコスター（ＥｃｈｏＳｔａｒ）、ダイレクト・ツー・ホーム（ｄｉｒｅｃｔ  ｔｏ  ｈｏｍｅ）衛星ブロードキャスト・システム、ビデオ・ネットワーク配分ブロードキャスト・システム、ポイント・ツー・ポイント又はポイント・ツー・マルチポイントのＶＳＡＴシステム、ワールドスペース、ＣＤラジオ又はＸＭなどのデジタル・オーディオ・ブロードキャスト・システム、又は、イリジウム、テレデシック又はグローバルスターなどのモバイル・データ及びテレフォニ衛星ブロードキャスト・システムなどでありうる。あるいは、衛星ブロードキャスト・システムは、地域化されたブロードキャスト・サービスで構成されることができるし、又は、通信リピータ・サービスを小さな地理的領域に提供する気球や航空機に搭載された通信サービスを記憶し送ることができる。衛星ブロードキャストシステム上の信号は、衛星モデムによって発生されるが、この場合には、外部衛星モデム２９０２を用いて、信号を受信し、埋め込まれた電子書籍データをホーム・システム１２８０のモジュール型コネクタ７００にそれ以降の処理のために提供する。あるいは、ホーム・システム１２８０は、内部衛星モデム２９０５を含み、このモデムが信号を受け取り電子書籍データをホーム・システム１２８０モジュール型コネクタ７００に処理のために提供することもできる。それぞれの実施例において、モジュール型コネクタ７００は、埋め込まれた電子書籍データを、更なる処理のために、デジタル・ロジック６０９に提供する。
【０１９９】
別の実施例では、衛星ブロードキャスト・システムを介して配送される信号はビデオ信号である。ある実施例では、ビデオ信号はアナログ・ビデオ信号である。別の実施例では、ビデオ信号は、デジタル・ビデオ信号である。ホーム・システム１２８０は、内部衛星受信機／チューナ／復調器２８０６を含み信号を処理し、埋め込まれた電子書籍データをモジュール型コネクタ７００に提供する。衛星受信機２９０３、又は、ＴＶ、衛星受信機及びチューナ付きのＰＣなど、衛星ビデオ信号を受け取ることができるそれ以外の装置が、ビデオ信号を処理し、それをホーム・システム１２８０の中のコネクタ７００に配送する。ホーム・システム１２８０は、埋め込まれた電子書籍データを抽出する。あるいは、衛星受信機２９０３又はそれ以外のそのような装置は、ビデオ信号から埋め込まれた電子書籍データを抽出し、その電子書籍データをホーム・システム１２８０におけるモジュール型コネクタ７００に提供する。
【０２００】
別の実施例では、電子書籍データは、オーディオ信号の中に埋め込まれており、ホーム・システム１２８０の中の適当なオーディオ能力のあるモジュール型コネクタ７００が電子書籍データをオーディオ信号からデジタル・ロジック６０９による処理のために抽出することが必要となる。ある実施例では、オーディオ信号はアナログ・オーディオ信号である。別の実施例では、オーディオ信号はデジタル・オーディオ信号である。
【０２０１】
更に別の実施例では、信号は、デジタル・データ・ストリームを含むスプレッド・スペ
クトル信号であり、ホーム・システム１２８０の中の適当なスプレッド・スペクトル受信機及び復調器コネクタ７００が電子書籍データをデジタル・ロジック６０９による処理のために抽出することが必要となる。この実施例では、スプレッド・スペクトル信号は、ビデオ又はオーディオ信号と同じ帯域幅で伝送される。しかし、ノイズ・レベルよりは下である。
【０２０２】
図３０は、ワイヤード接続データ・ネットワーク３００１を介してホーム・システム１２９０まで電子書籍を配送することに関連する実施例を示している。電子書籍データは、モジュール型エンコーダ２５４１による配送のために符号化され、モジュール型送信サブシステム２５４２によってフォーマット化され、送信される。信号は、ワイヤード接続データ・ネットワーク３００１を介して配送される。この信号は、電子書籍データの専用又は非専用配送のために提供される。この信号はまた、ホーム・システム１２９０から課金及び集金システム２７８又はオペレーション・センタ２５０への注文のためのアクセスを提供するし、又は、この信号は、電子書籍がこれを介して注文され配送されるインターネットやそれ以外の公共ネットワークへのアクセスを提供する手段である。このワイヤード接続データ・ネットワーク３００１は、メタリック・ワイヤ又はファイバであり、ＨＤＳＬ、ＡＤＳＬ、ＤＳＬ、ＩＳＤＮ、Ｔ１、Ｔ３、ＳＯＮＥＴ、ＡＴＭ、Ｘ．２５、フレーム・リレー、交換式マルチメガビット・データ・サービス（ＳＭＤＳ）などを含む多数の通信標準の任意のものをサポートしている。ワイヤード接続ブロードキャスト・システム上の信号は、データ・モデム又は送信装置によって発生されるが、この場合には、適切なモデム、インターフェース装置、又はデータ終端装置（ＤＴＥ）を用いて、信号を受信し、埋め込まれた電子書籍データをホーム・システム１２９０のモジュール型コネクタ７００にそれ以降の処理のために提供する。このような受信装置の実施例については、図３０において、ＨＤＳＬモデム、ＡＤＳＬモデム３００３、ＤＳＬモデム３００３、ＩＳＤＮターミナル装置（ＴＥ）３００５、Ｔ１デジタル・サービス・ユニット（ＤＳＵ）３００６、Ｔ３ＤＳＵ３００７、ファイバ・ユーザ・ネットワーク・インターフェース装置（ＵＮＩ）３００８、ＡＴＭＵＮＩ３００９、Ｘ．２５ＤＴＥ３０１０、フレーム・リレー・アセンブラ／デアセンブラ（ＦＲＡＤ）３０１１、及びＳＭＤＳ加入者ネットワーク・インターフェース装置（ＳＮＩ）３０１２などが示されている。あるいは、ホーム・システム１２９０は、内部モデム又はＤＴＥ３０１３を含み、これが１つ又は複数の信号タイプを受け取り、電子書籍データが埋め込まれた受け取った信号を、ホーム・システム１２９０モジュール型コネクタ７００に処理のために提供することもできる。最後に、ホーム・システム１２９０は、トランシーバを用いて、ワイヤード接続ＬＡＮに接続されることもある。この実施例では、電子書籍データは、任意の時刻に、ＬＡＮを介して配送される。この実施例がどのように用いられるかに関する一例は、それぞれの学生がＬＡＮに接続された電子書籍ホーム・サブシステムを有しているような大学における環境である。教授は、教科書や課題を選択された学生に配送することができる。それぞれの実施例において、モジュール型コネクタ７００は、埋め込まれた電子書籍データを、更なる処理のために、デジタル・ロジック６０９に提供する。
【０２０３】
図３１は、ＰＳＴＮ３１０１を介してホーム・システム１３１０まで電子書籍を配送することに関連する実施例を示している。電子書籍データは、モジュール型エンコーダ２５４１による配送のために符号化され、モジュール型送信サブシステム２５４２によってフォーマット化され、送信される。信号は、ＰＳＴＮ３１０１を介して配送される。この信号は、ホーム・システム１３１０から課金及び集金システム２７８又はオペレーション・センタ２５０への注文のためのアクセスを提供するし、又は、この信号は、電子書籍がこれを介して注文され配送されるインターネットやそれ以外の公共ネットワークへのアクセスを提供する手段である。ＰＳＴＮ上の信号は、データ・モデム又は送信装置によって発生されるが、この場合には、適切なモデム３１０２を用いて、信号を受信し、埋め込まれた電子書籍データをホーム・システム１３１０のモジュール型コネクタ７００にそれ以降
の処理のために提供する。あるいは、ホーム・システム１３１０は、内部モデム３１０３を含み、これが信号を受け取り、電子書籍データが埋め込まれた受け取った信号を、ホーム・システム１３１０モジュール型コネクタ７００に処理のために提供することもできる。それぞれの実施例において、モジュール型コネクタ７００は、埋め込まれた電子書籍データを、更なる処理のために、デジタル・ロジック６０９に提供する。
【０２０４】
図３２は、無線パーソナル通信システム（ＰＣＳ）３２０１を介してホーム・システム１３１０まで電子書籍を配送することに関連する実施例を示している。電子書籍データは、モジュール型エンコーダ２５４１による配送のために符号化され、モジュール型送信サブシステム２５４２によってフォーマット化され、送信される。信号は、ＰＣＳネットワーク３２０１を介して配送される。無線ＰＣＳシステムは、例えば、無線ＬＡＮ、デジタル・セルラ・テレフォニ・ネットワーク、アナログ・セルラ・テレフォニ・ネットワーク、デジタル・セルラ・ラジオ・システム、アナログ・セルラ・ラジオ・システム、デジタル・ページャ・ネットワーク、アナログ・ページャ・ネットワーク、パーソナル通信ネットワーク（ＰＣＮ）などでありうる。この信号は、電子書籍データの専用又は非専用配送のために提供される。この信号はまた、ホーム・システム１３２０から課金及び集金システム２７８又はオペレーション・センタ２５０への注文のためのアクセスを提供するし、又は、この信号は、電子書籍がこれを介して注文され配送されるインターネットやそれ以外の公共ネットワークへのアクセスを提供する手段である。無線ＰＣＳ受信機３２０２は、信号を受信し、埋め込まれた電子書籍データをホーム・システム１３２０のモジュール型コネクタ７００にそれ以降の処理のために提供する。あるいは、ホーム・システム１３２０は、内部モデムＰＣＳ受信機３２０３を含み、これが信号を受け取り、電子書籍データが埋め込まれた受け取った信号を、ホーム・システム１３２０モジュール型コネクタ７００に処理のために提供することもできる。それぞれの実施例において、モジュール型コネクタ７００は、埋め込まれた電子書籍データを、更なる処理のために、デジタル・ロジック６０９に提供する。
【０２０５】
図１９を再度参照すると、全国又はローカルなテレビ放送業者の信号を用いた電子書籍の配送に関係する複数の実施例が示されている。全国放送業者１１１０からの信号は、衛星システム１１２２を用いて、地上のローカル・テレビ支社１１１２を用いて、又は、ローカル・ケーブル・システム１１１４を用いて、ホーム・サブシステム２５８’、２５８’’、又は２５８’’’に配送することができる。あるいは、ローカル・テレビ・ブロードキャスト支社１１１２が、ホーム・システム２５８’、２５８’’、又は２５８’’’まで地上を配送するか、又はローカル・ケーブル・システム１１１４を用いて配送することができる信号を生成する。ある実施例では、ビデオ信号はアナログ・ビデオ信号であり、電子書籍データはビデオ信号の中に埋め込まれている。別の実施例では、ビデオ信号はデジタル・ビデオ信号であり、電子書籍データは独立のデータ・ストリームとして搬送される。別の実施例では、電子書籍データはオーディオ信号の中に埋め込まれている。ある実施例では、オーディオ信号はアナログ・オーディオ信号である。別の実施例では、オーディオ信号はデジタル・オーディオ信号である。
【０２０６】
更に別の実施例では、この信号は、デジタル・データ・ストリームを含むスプレッド・スペクトル信号であり、デジタル・ロジック６０９による処理のために電子書籍データを抽出するため、ホーム・システム２５８’、２５８’’、又は２５８’’’の中に図３２のコネクタ７００のような適切なスプレッド・スペクトル受信機のモジュール型コネクタを必要とする。この実施例では、スペクトル・スペクトル信号は、ビデオ又はオーディオ信号と同じ帯域幅で、しかし、ノイズ・レベルよりも下で送信される。
【０２０７】
あるいは、複数の実施例が、全国又はローカルなラジオ放送業者の信号を用いる電子書籍の配送と関係している。全国的なラジオ放送業者からの信号は、衛星システム１１２２
又はブロードキャスト支局（支社）１１２２を用いて、ホーム・システム２５８’、２５８’’、又は２５８’’’に配送することができる。あるいは、ラジオ・ブロードキャスト支局１１２２は、ホーム・システム２５８’、２５８’’、又は２５８’’’に地上で配送することが可能な信号を生成することができる。ある実施例ではオーディオ信号はアナログ・オーディオ信号であり、電子書籍データはオーディオ信号の中に埋め込まれている。別の実施例ではオーディオ信号はデジタル・オーディオ信号であり、電子書籍データは独立のデータ・ストリームとして搬送される。更に別の実施例では、電子書籍データは、アナログ・オーディオ・ブロードキャストのサブキャリアの中に埋め込まれている。最後の実施例では、信号はデジタル・データ・ストリームを含むスプレッド・スペクトル信号であり、デジタル・ロジック６０９による処理のために電子書籍データを抽出するために、ホーム・システム２５８’、２５８’’、又は２５８’’’の中に適切なスプレッド・スペクトル受信機のモジュール型コネクタ７００を必要とする。この実施例では、スプレッド・スペクトル信号は、オーディオ信号と同じ帯域幅で、しかしノイズ・レベルよりも下で送信される。
【０２０８】
上述したどの搬送方法でも、搬送経路を用いてインターネットへの接続を確立することで、このセクションで上述したような電子書籍データのインターネット経由での配送が可能となる。
【０２０９】
別の配送に関する実施例では、電子書籍システムは、図１５において示されているように、そして上述したように、例えば、公共図書館、学校、書店、新聞スタンド又はスタンドアロンのキオスクにおいて用いられるように修正することが可能である。電子書籍及び定期刊行物のための公共的なニューススタンドは、ニューヨーク市の通りの角にある街角の店や、空港や、更には航空機などにも便利に配置することが可能である。公共図書館、学校、書店、ニューススタンド又はキオスクのメイン・ユニットは、図１５に示されているようなファイル・サーバ９００でありうる。このファイル・サーバ９００は、数千もの書籍、新聞又は定期刊行物を記憶することができる大容量の電子的メモリである。ファイル・サーバでは、様々な電子記憶手段を用いることができる。例えば、ハードディスク、リード・ライト式のＣＤ−ＲＯＭ、リード・オンリのＣＤ−ＲＯＭなどである。図１５のコントローラ９０８は、書籍を公共ビューワ９１２にダウンロードすることができる。書店又は図書館は、１冊か２冊の書籍のテキストをその中にロードした公共ビューワ９１２を、顧客に貸すことができる。あるいは、顧客がビューワを所有する場合もある。顧客は、ファイル・サーバ９００にときどき戻り、書籍のためのテキスト・データを受け取り、この書籍のためのテキスト・データは、顧客が読んだり消去したりすることができるし、又は、顧客自身のホーム・システム２５８に永久的に記憶することも可能である。顧客に関してわかっている特定の情報に基づいて、電子書籍の中に含まれる広告のカスタマイズが可能であり、それぞれの顧客のためにダウンロードされた新聞、雑誌又は書籍をユニークなバージョンを作成することが可能となる。
【０２１０】
また、電子書籍データは、フロッピー・ディスク、磁気テープ、スマート・カード・デバイス、メモリ・スティック・デバイス又は任意の他の携帯型メモリ記憶装置などの物理的なデバイスに記憶されホーム・システム２５８に転送されるために加入者に提供されるコンテンツとして配送することも可能である。それぞれの電子書籍メモリ記憶デバイスは、一意的な識別子と、１又は複数の電子書籍ファイルと、関連した見ることの認証情報とを含んでいる。メモリ・デバイスから電子書籍ファイルを見ることを制限なしでサポートすることも可能である。あるいは、メモリ・デバイスの上の電子書籍ファイルの一部又は全部は、制限付きで見るために利用可能であるか、又は、見る前に課金及び集金システム２７８からの認証を要求することができる。この場合には、ホーム・システム２５８は、見る前の認証のために課金及び集金システム２７８にコンタクトすることができる。
【０２１１】
電子書籍がスマート・カード装置やメモリ・スティック装置など携帯用記憶媒体上に配送されるときには、電子書籍及びその記憶媒体は、その記憶装置を保護するような態様にパッケージングがなされ、実際の書籍の刺激を提供する。図３３は、電子書籍携帯用記憶媒体を記憶する記憶装置２６００の例である。スマート・カード２６０１は、記憶装置２６００のバックパネル２６０３の凹部２６０２に配置されている。フロント・パネル２６０４は、ヒンジ２６０５によってバック・パネル２６０３に接続されており、ヒンジ２６０５は、記憶装置２６００の背面２６０６に配置されている。フロント・パネル２６０４は、バック・パネル２６０３の上に閉じるように動作して、記憶媒体２６０１を完全にカバーするすることができる。フロント・パネル２６０４は、クラスプ又は類似するロック装置を有しており、これにより、バック・パネル２６０３の対応する移動止め２６０８と係合し、記憶媒体２６００を確実に閉じるようになっている。
【０２１２】
記憶装置２６００のフロント・パネル２６０４は、当該電子書籍に対応するハードコピーの書籍のフロント・カバー又はダスト・ジャケットの複製となるようなカバー２６０９を含むことがある。同様に、バック・パネル２６０３は、対応するハードコピーの書籍のバック・カバー又はダスト・ジャケットの上に存在するものに類似するディスプレイを含むことがある。カバー２６０９のようなカバーは、例えば、フロント・パネル２６０４の中に挿入された紙片又は類似の材料でありうる。あるいは、カバー２６０９は、対応するハードコピーの書籍のフロントカバーの恒久的に固定された複製でもありうる。結果的に得られる記憶装置２６００は、このようにして、対応するハードコピーの書籍をエミュレートし、対応するハードコピーの書籍と同じ態様で、実際の書棚又は他の記憶エリアに記憶することが可能である。
【０２１３】
電子書籍データは、マシン又は他の装置からホーム・システム２５８に配送される。図３４は、通信ネットワーク２７０２によって結合されたマシン２７０１のシステム２７００を示している。通信ネットワーク２７０２は、既に述べた任意のワイヤード接続又は無線システムである。通信ネットワーク２７０２は、定格が例えば１１０及び２２０ボルトのホーム・ワイヤ・システムなどの配電システムである。このシステム２７００は、ビューワ２６６がこれを介してマシン２７０１と通信するインターフェース２７０３を含む。例えば、インターフェース２７０３は、１１０ボルトのソケットに挿入できるプラグイン装置でありうる。このような装置２７０３は、ビューワ２６６へのワイヤード接続又は無線インターフェースを含む。
【０２１４】
マシン２７０１は、マイクロプロセッサ２７１０、メモリ２７１１及びトランシーバ２７１２を含むことがあり、これらは例えばＶＬＳＩの中に組み込まれている場合がある。メモリ２７１１の中に、ビューワ２６６にダウンロード可能である又はそうではなくインターフェース２７０３を用いてビューワ２６６によって見ることができる電子書籍が１又は複数含まれていることがありうる。例えば、家電はそのメモリ内に、この家電に関する電子的な技術マニュアルを含むことができる。この電子的な技術マニュアルにアクセスするためには、ビューワ２６６は、インターフェース２７０３を介して、コード又は同様な「ハンドシェーク」を送信し、マイクロプロセッサ２７１０にトランシーバ２７１２を用いてその電子的な技術マニュアルをビューワ２６６に送信させることが可能である。
【０２１５】
電子書籍システム２００は、書籍プレビュー機能を備えている。このようなプレビュー機能は、書店で書籍や雑誌を選択する際にいろいろと手に取るときのようなルック・アンド・フィールを与えてくれる。従って加入者は、電子書籍、電子雑誌、電子新聞などを、電子書籍、電子雑誌、又は電子新聞を購入する前にいろいろと見ることができる。電子書籍のプレビューについては、先に、図１４ｉ及び１４ｊとの関係で説明した。このような電子書籍プレビューは、オンライン・サービス、オフライン・サービス、又はその双方によって、提供されうる。
【０２１６】
オンラインの電子書籍プレビュー機能では、ウェブ・サイト２７９などのようなインターネット・ウェブ・サイトを用いて、電子書籍のプレビューを表示することができる。電子書籍のプレビューを得るためには、加入者は、ビューワ２６６や図２１ａないし２１ｇに示されているそれ以外の装置を用いて、ウェブ・サイト２７９にアクセスする。いったんインターネット・ウェブ・サイト２７９と通信状態に入れば、加入者は、電子書籍プレビューを選択して、利用できる電子書籍のプレビューのリスト又はメニュから見ることができる。選択された電子書籍のプレビューは、インターネット・ウェブ・サイト２７９のウェブ・ページ上に表示され、また、ビューワ２６６、テレビ１１７１又はパーソナル・コンピュータ１１７２の上に表示できる。
【０２１７】
他のオンライン・サイトを用いて電子書籍プレビューを表示することも可能である。一般に、例えば通信ネットワークにおける電子メール・アドレスなどアドレス指定可能などのようなノードも、電子書籍プレビューのための表示サイトとして用いることができる。
【０２１８】
電子書籍プレビューは、また、オフラインで例えばホーム・システム２５８にダウンロードすることも可能である。加入者は、インターネット・ウェブ・サイト２７９にアクセスして、電子書籍プレビューを含む電子ファイルをダウンロードすることができる。電子書籍プレビューは、例えば、ライブラリ又はビューワに記憶することができる。次に加入者は、例えば、ビューワ２６６、テレビ１１７１又はパーソナル・コンピュータ１１７２を用いて、電子書籍プレビューを見ることができる。
【０２１９】
電子書籍プレビューがホーム・システム２５８へダウンロードされるものとして提供されるときには、電子書籍プレビューは、暗号化されたフォーマットで又は暗号化されていないフォーマットで提供することができる。
【０２２０】
専用でフルタイムの配送を可能にする上述した配送方法を用いて、加入者からリクエストされた電子書籍、すべての加入者にブロードキャストされる電子書籍、更新されたメニュ・コンテンツ及び更新された広告を含む電子書籍データの連続的な配布を行うことができる。専用でないすなわちユーザの設定による接続を可能にする上述した配送方法に関しては、オペレーション・センター２５０は、リクエストがなされたときだけ又は周期的に電子書籍を配送することによってコンテンツのタイミング及び配送を管理して、配送を受け取れないことがあるホーム・システムへの配送を確実にすることができる。最後に、双方向の通信が可能である上述した配送方法を用いて、更新された電子書籍情報を注文する又はリクエストする目的で、オペレーション・センタ２５０又は課金及び集金システム２７８への返信経路を提供することができる。
【０２２１】
更に、ホーム・システム２５８は、配送システム２００と直接的なインターフェースを有する独立な装置として説明されているが、ホーム・システム２５８は、セットトップ端末、テレビ、ＰＣ、又は配送システム２００によって提供される信号を受け取ることができる任意の他の装置を経由して配送システム２００に接続することも可能である。また、ホーム・システム２５８は、セットトップ端末、テレビ、ＰＣ、ラジオ、又は配送システムによって提供される信号を受け取ることができる任意の他の装置の内部でサポートされる機能の一部又は全部を有する独立の装置ではない場合もある。
【０２２２】
ｅ．別の注文方法
以上で説明した配送方法は、どれも、ホーム・システム２５８から課金及び集金システム２７８又はオペレーション・センタ２５０へのアクセスを提供する実行可能な実施例である。ある実施例では、モジュール型（モジュラ）コネクタ７０１を、図６ａ及び８で示されているように、特定のプロトコル・フォーマット化及び送信プロセスを提供して、ホ
ーム・システム２５８が通信経路を用いることを可能にするために用いられる。アクセスを提供するためにＰＳＴＮが用いられる実施例では、モジュール型のコネクタ７０１は、図６ｂに示されているように、電話コネクタ２７０とモデム６１１とを含む。セルラ電話システムが用いられてアクセスが与えられる実施例では、モジュール型のコネクタ７０１は、図６ｂに示されているように、セルラ電話又はＰＣＮ電話６１１’を含む。
【０２２３】
ｆ．モバイル環境
無線ブロードキャスト・システム２８０１、衛星ブロードキャスト・システム２９０１、無線パーソナル通信システム３２０１、又は地上テレビ・ブロードキャスト・システムを用いる配送方法によって提供される特徴は、電子書籍ホーム・システム又はビューワ２６６の可動性である。この可動性により、電子書籍データをいつでもどこでも、フロリダの海岸で座っているときからニューヨーク市のバスに座っているときまで、注文し受信することが可能になる。この可動性により、日刊新聞、月刊雑誌、ブックオブザマンス・クラブからの書籍などの電子書籍データ購読製品を配送することが可能になる。これらの購読製品は、適当なホーム・システム２５８又は電子書籍ビューワ２６６に自動的に配送することができる。強化されているエンド・ツー・エンドの誤り訂正技術を送信システムに追加すれば、これらのモバイル環境でも受信する確率を高く保証することができる。更に、電子書籍データのパケットを再送信する送信方法を実現することができ、それぞれの再送信のときに配送された注文を変更して、受信の蓋然性を向上させることができる。低帯域幅のモバイル環境では、電子書籍ファイルをパケットに分割して、パケットを限定された回数だけ送信することができる。電子書籍ファイルが完全に受信されない場合には、電子書籍ビューワ２６６はオペレーション・センタ２５０にリクエストを開始して、電子書籍ファイルの中でまだ受信されていない部分だけを再送信することができる。
【０２２４】
本発明を、上述の概略的に示した特定の実施形態と関連して説明したが、多くの変更、改造、変形が当業者には明白であることが、明らかである。従って、上述の本発明の好適な実施形態は、例示を意図したものであり、限定のためのものではない。特許請求の範囲に定義された本発明の精神および範囲を逸脱することなく、種々の変更が可能である。
【図１ａ】
2012054964.tif 000003
【図１ｂ】
2012054964.tif 000004
【図２】
2012054964.tif 000005
【図３】
2012054964.tif 000006
【図４】
2012054964.tif 000007
【図５】
2012054964.tif 000008
【図６ａ】
2012054964.tif 000009
【図６ｂ】
2012054964.tif 000010
【図７】
2012054964.tif 000011
【図８】
2012054964.tif 000012
【図９】
2012054964.tif 000013
【図１０】
2012054964.tif 000014
【図１１】
2012054964.tif 000015
【図１２】
2012054964.tif 000016
【図１３】
2012054964.tif 000017
【図１４ａ】
2012054964.tif 000018
【図１４ｂ】
2012054964.tif 000019
【図１４ｃ】
2012054964.tif 000020
【図１４ｄ】
2012054964.tif 000021
【図１４ｅ】
2012054964.tif 000022
【図１４ｆ】
2012054964.tif 000023
【図１４ｇ】
2012054964.tif 000024
【図１４ｈ】
2012054964.tif 000025
【図１４ｉ】
2012054964.tif 000026
【図１４ｊ】
2012054964.tif 000027
【図１５】
2012054964.tif 000028
【図１６ａ】
2012054964.tif 000029
【図１６ｂ】
2012054964.tif 000030
【図１７】
2012054964.tif 000031
【図１８ａ】
2012054964.tif 000032
【図１８ｂ】
2012054964.tif 000033
【図１９】
2012054964.tif 000034
【図２０】
2012054964.tif 000035
【図２１ａ】
2012054964.tif 000036
【図２１ｂ】
2012054964.tif 000037
【図２１ｃ】
2012054964.tif 000038
【図２１ｄ】
2012054964.tif 000039
【図２１ｅ】
2012054964.tif 000040
【図２１ｆ】
2012054964.tif 000041
【図２１ｇ】
2012054964.tif 000042
【図２２】
2012054964.tif 000043
【図２３】
2012054964.tif 000044
【図２４】
2012054964.tif 000045
【図２５】
2012054964.tif 000046
【図２６】
2012054964.tif 000047
【図２７】
2012054964.tif 000048
【図２８】
2012054964.tif 000049
【図２９】
2012054964.tif 000050
【図３０】
2012054964.tif 000051
【図３１】
2012054964.tif 000052
【図３２】
2012054964.tif 000053
【図３３】
2012054964.tif 000054
【図３４】
2012054964.tif 000055
【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
電子書籍を加入者に提供する装置であって、
電子書籍注文サイトと通信し、電子書籍選択とプロセッサＩＤとを提供するプロセッサと、
前記プロセッサに結合されており、前記電子書籍選択と前記プロセッサＩＤとを前記注文サイトに送る送信機と、
データ信号とローカル認証コードとを受け取る受信機モジュールであって、前記データ信号は暗号化された電子書籍選択を含み、前記ローカル認証コードにより前記データ信号が見るために復号化されることが可能になる、受信機モジュールと、
前記受信機モジュールに結合されており、前記データ信号を復号化するのに必要となるまで前記受信された認証コードを記憶するメモリと
を備えた装置。
【外国語明細書】
2012054964000001.pdf